(57)【特許請求の範囲】
【請求項１】
表表紙と、裏表紙と、前記表表紙と裏表紙との間に形成された背表紙とを有する表紙と、前記表紙の背表紙に固定された綴具とを備え、
前記綴具は、
複数の開閉自在の綴杆と、
前記綴杆を間隔をおいて設けることができる長さを備えた保持部材と、
各綴杆がその基部において間隔をおいてその表面に固定され、綴杆が保持部材に固定されるように保持部材の内側に固定された作動部材と、
前記綴杆を付勢する開閉部材とを備え、
前記綴杆を開くときに、保持部材内で、前記綴杆を保持部材の長手方向に移動させるように形成され、
前記表紙は、
前記綴具が開かれるときに、綴具を構成する保持部材の長手方向に移動する綴杆に近接する表表紙及び／又は裏表紙の内面に、閉じられた綴杆と接し合う綴杆移動規制部が形成され、
前記綴杆移動規制部は、綴杆移動規制部が形成された表表紙及び／又は裏表紙が閉じられたとき、前記綴杆が開かれるときに移動するように構成された綴杆を開くように移動する方向側の面において且つ綴具の保持部材の表面に近い位置において、綴杆が閉じられた状態において綴杆と接して、綴杆の基部に向けて綴杆の開く方向への移動を規制するとともに、綴杆移動規制部が形成された表表紙及び／又は裏表紙が開かれるとき規制を解除するように、表紙の内面より突き出し設けられた、ファイル・バインダ類。
【請求項２】
前記綴杆移動規制部は、表紙の開閉に対応して屈曲するように、表表紙及び裏表紙と背表紙との境界と平行な折り曲げ部を形成された、請求項１に記載のファイル・バインダ類。
【請求項３】
前記綴杆移動規制部は、表紙の開閉に対応して屈曲するように、表表紙及び裏表紙と背表紙との境界に平行な折り曲げ部を形成され、
前記折り曲げ部より綴具に近い方の領域は、前記綴杆が開かれるときに移動するように構成された綴杆を開くように移動する方向側の面において、表表紙及び／又は裏表紙が閉じられたとき、綴杆が閉じられた状態において綴杆と接し、且つ綴具の保持部材の表面に近い位置において、綴杆の基部に向けて綴杆の開く方向への移動を規制するように突き出し設けられ、
前記折り曲げ部より綴具とは遠い領域は、表表紙及び／又は裏表紙の内面に固着された、請求項１に記載のファイル・バインダ類。
【請求項４】
前記綴杆移動規制部は、表紙が開閉されたとき、綴具の保持部材より綴杆の頂部側であって綴杆の頂部に向けて綴具に綴じられた被綴じ物の綴じ代側を押し上げないように回動自在に表紙に設けられた、請求項１ないし３のいずれかに記載のファイル・バインダ類。
【発明の詳細な説明】
【技術分野】
【０００１】
この発明は、ファイル・バインダ類に関し、特に例えばリング状綴具の先端を捻って開ける綴具を備えたファイル・バインダ類に関する。
【背景技術】
【０００２】
この発明の背景となる従来の綴具の一例がたとえば特開２００４−２５５８３５号公報に開示されている。この公報に開示されている綴具では、綴杆が取付けられた作動部材が、保持部材に設けられた保持用凸部などで保持されている。
【０００３】
【特許文献１】特開２００４−２５５８３５号公報
【発明の開示】
【発明が解決しようとする課題】
【０００４】
従来は、このＯ型リングの綴具においては、綴じられた用箋等の荷重により綴具の綴杆の係合がはずれることがある。特に、ファイル・バインダを落下させたときなど、その衝撃により綴杆の先端、特に係合している部分が撓み、綴具の係合した状態がはずれやすいという問題がある。
また、落下時の衝撃が大きいときは、綴具が不用意に開いて綴じられた書類が外れることもある。
それゆえに、この発明の主たる目的は、不用意に綴具が開くことのないファイル・バインダ類を提供することである。
【課題を解決するための手段】
【０００５】
この発明の請求項１にかかるファイル・バインダ類は、表表紙と、裏表紙と、前記表表紙と裏表紙との間に形成された背表紙とを有する表紙と、前記表紙の背表紙に固定された綴具とを備え、前記綴具は、複数の開閉自在の綴杆と、前記綴杆を間隔をおいて設けることができる長さを備えた保持部材と、各綴杆がその基部において間隔をおいてその表面に固定され、綴杆が保持部材に固定されるように保持部材の内側に固定された作動部材と、
前記綴杆を付勢する開閉部材とを備え、前記綴杆を開くときに、保持部材内で、前記綴杆を保持部材の長手方向に移動させるように形成され、前記表紙は、前記綴具が開かれるときに、綴具を構成する保持部材の長手方向に移動する綴杆に近接する表表紙及び／又は裏表紙の内面に、閉じられた綴杆と接し合う綴杆移動規制部が形成され、前記綴杆移動規制部は、綴杆移動規制部が形成された表表紙及び／又は裏表紙が閉じられたとき、前記綴杆が開かれるときに移動するように構成された綴杆を開くように移動する方向側の面において且つ綴具の保持部材の表面に近い位置において、綴杆が閉じられた状態において綴杆と接して、綴杆の基部に向けて綴杆の開く方向への移動を規制するとともに、綴杆移動規制部が形成された表表紙及び／又は裏表紙が開かれるとき規制を解除するように、表紙の内面より突き出し設けられた、ファイル・バインダ類である。
この発明の請求項２にかかるファイル・バインダ類は、前記綴杆移動規制部は、表紙の開閉に対応して屈曲するように、表表紙及び裏表紙と背表紙との境界と平行な折り曲げ部を形成された、請求項１に記載のファイル・バインダ類である。
この発明の請求項３にかかるファイル・バインダ類は、前記綴杆移動規制部は、表紙の開閉に対応して屈曲するように、表表紙及び裏表紙と背表紙との境界に平行な折り曲げ部を形成され、前記折り曲げ部より綴具に近い方の領域は、前記綴杆が開かれるときに移動するように構成された綴杆を開くように移動する方向側の面において、表表紙及び／又は裏表紙が閉じられたとき、綴杆が閉じられた状態において綴杆と接し、且つ綴具の保持部材の表面に近い位置において、綴杆の基部に向けて綴杆の開く方向への移動を規制するように突き出し設けられ、前記折り曲げ部より綴具とは遠い領域は、表表紙及び／又は裏表紙の内面に固着された、請求項１に記載のファイル・バインダ類である。
この発明の請求項４にかかるファイル・バインダ類は、前記綴杆移動規制部は、表紙が開閉されたとき、綴具の保持部材より綴杆の頂部側であって綴杆の頂部に向けて綴具に綴じられた被綴じ物の綴じ代側を押し上げないように回動自在に表紙に設けられた、請求項１ないし３のいずれかに記載のファイル・バインダ類である。
【発明の効果】
【０００６】
この発明によれば、表表紙と、裏表紙と、前記表表紙と裏表紙との間に形成された背表紙とを有する表紙と、前記表紙の背表紙に固定された綴具とを備え、前記綴具は、複数の開閉自在の綴杆と、前記綴杆を間隔をおいて設けることができる長さを備えた保持部材と、
各綴杆がその基部において間隔をおいてその表面に固定され、綴杆が保持部材に固定されるように保持部材の内側に固定された作動部材と、前記綴杆を付勢する開閉部材とを備え、前記綴杆を開くときに、保持部材内で、前記綴杆を保持部材の長手方向に移動させるように形成され、前記表紙は、前記綴具が開かれるときに、綴具を構成する保持部材の長手方向に移動する綴杆に近接する表表紙及び／又は裏表紙の内面に、閉じられた綴杆と接し合う綴杆移動規制部が形成され、前記綴杆移動規制部は、綴杆移動規制部が形成された表表紙及び／又は裏表紙が閉じられたとき、前記綴杆が開かれるときに移動するように構成された綴杆を開くように移動する方向側の面において且つ綴具の保持部材の表面に近い位置において、綴杆が閉じられた状態において綴杆と接して、綴杆の基部に向けて綴杆の開く方向への移動を規制するとともに、綴杆移動規制部が形成された表表紙及び／又は裏表紙が開かれるとき規制を解除するように、表紙の内面より突き出し設けられているので、綴杆移動規制部によって不用意に綴杆が開くことが防止され、例えばファイル・バインダ類を落下させてしまったときにおいても、表紙の綴杆移動規制部によって綴杆の移動を規制することもできる。
書類を入れたファイル・バインダ類を、机の中などのキャビネットに入れる場合、又あやまって落下させてしまった場合に、表紙が閉じた状態であれば綴杆移動規制部が綴具のスライド方向への移動を制限するため、不用意に開いてしまうことがない。又、表紙を開くと綴具の開閉が容易に行うことをできる。綴杆移動規制部によるロック及びロック解除は、表紙の開閉で行われるため、めんどうな動作が不要である。
この請求項２の発明によれば、前記綴杆移動規制部は、表紙の開閉に対応して屈曲するように、表表紙及び裏表紙と背表紙との境界と平行な折り曲げ部を形成されるので、表表紙及び／又は裏表紙の開閉動作に対応して、綴杆の方に向けて進退させることができる。
この請求項３の発明によれば、前記綴杆移動規制部は、表紙の開閉に対応して屈曲するように、表表紙及び裏表紙と背表紙との境界に平行な折り曲げ部を形成され、前記折り曲げ部より綴具に近い方の領域は、前記綴杆が開かれるときに移動するように構成された綴杆を開くように移動する方向側の面において、表表紙及び／又は裏表紙が閉じられたとき、綴杆が閉じられた状態において綴杆と接し、且つ綴具の保持部材の表面に近い位置において、綴杆の基部に向けて綴杆の開く方向への移動を規制するように突き出し設けられ、前記折り曲げ部より綴具とは遠い領域は、表表紙及び／又は裏表紙の内面に固着されるので、綴杆の移動が突出部で規制され、綴杆移動規制部によって不用意に綴杆が開くことが防止され、例えばファイル・バインダ類を落下させてしまったときにおいても、表紙の綴杆移動規制部によって綴杆の移動が規制され、綴杆の先端が曲がってしまうといった変形を防ぐこともできる。
この請求項４の発明によれば、前記綴杆移動規制部は、表紙が開閉されたとき、綴具の保持部材より綴杆の頂部側であって綴杆の頂部に向けて綴具に綴じられた被綴じ物の綴じ代側を押し上げないように回動自在に表紙に設けられているので、表紙が閉じられるときは、綴杆移動規制部が被綴じ物に妨げられることなく、円滑に綴杆の方向に進退させることができる。
【０００７】
この発明の上述の目的、その他の目的、特徴および利点は、図面を参照して行う以下の発明を実施するための最良の形態の説明から一層明らかとなろう。
一般的には、ファイルとはおおむね記録済みの文書（伝票・カタログ・書類など）をとじ、又は、はさみ入れて整理・保管することのできる表紙をいい、バインダーとはおおむね未記録のとじ穴のある用紙（ルーズリーフ、帳票など）をそう入し、記録できる、とじ具付き表紙をいうが、この発明の特許請求の範囲及び明細書においては、綴具の付いたファイルとバインダーとを総称して、ファイル・バインダ類という。
【発明を実施するための最良の形態】
【０００８】
この発明にかかる実施の形態である２穴真円型リング綴具を固定されたファイル・バインダ類について説明する。
図１は、本発明にかかる一実施の形態である綴具を備えたファイル・バインダ類を示す斜視図である。図２は、図１図示ファイル・バインダ類の表紙を閉じた状態における平面図解図である。図３は、図１図示ファイル・バインダ類の表紙の図解図であり、（Ａ）は、表紙を閉じた状態における底面図解図であり、（Ｂ）は、表紙の連設部の成形方法を示す斜視図解図である。図４は、図１図示ファイル・バインダ類の表紙を開いた状態における平面図解図である。図５は、図１図示ファイル・バインダ類の表紙の図解図であり、（Ａ）は、表紙を開き始めた状態における底面図解図であり、（Ｂ）は、表紙を開いた状態における底面図解図である。図６は、本発明にかかる一実施の形態である綴具の一例を示す斜視図であり、図７は、保持部材の斜視図である。図８は、作動部材及び開閉部材の斜視図解図である。図９は、開閉部材の平面図である。図１０は、開閉部材の側面図解図で、（Ａ）は元の状態の側面図解図で（Ｂ）（Ｃ）は巻線部の円周方向に力を加えた状態の側面図解図である。図１１は、綴杆及び作動部材の図解図であり、（Ａ）は閉じた状態における綴杆と作動部材を示す平面図解図であり、（Ｂ）は第２の作動片の左側図解図である。図１２は、閉じた状態における綴具の平面図である。図１３は、閉じた状態における綴具の底面図である。図１４は、閉じた状態における綴具の横断面図であり、（Ａ）は、図１３Ａ−Ａ断面図であり、（Ｂ）は、図１３Ｂ−Ｂ断面図である。図１５は、綴杆を開く状態を示す綴具の底面図である。図１６は、綴杆を開く状態を示す綴具の綴杆の図解図である。
【０００９】
この発明の一実施の形態であるファイル・バインダ類１１００は、表表紙１１１２と、裏表紙１１１４と、前記表表紙１１１２と裏表紙１１１４との間に形成された背表紙１１１６とを有する表紙１１１０と、前記表紙１１１０の背表紙１１１６に固定された綴具１０とを備える。
図１ないし６に示す綴具１０は、厚紙その他の比較的硬質なシート材からなる表紙１１１０の略中央に形成される左右一対の薄肉ヒンジ部１１１８，１１２０の内側の背表紙１１１６の内側表面に固定される。
固定する方法としては、綴具１０の長手方向の両端に形成された取付孔２０（後に詳述する）にボルトとナットやはとめ等の固着具を挿通させて、背表紙１１１６と一体となるように固定する方法がある。なお、ここでは、固着具として、ボルトとナットを用いて説明するが、これに限ることなく、例えば、ビス、はとめ、リベット等を用いてもよい。
【００１０】
綴具１０は、環状の綴杆を構成する一対のそれぞれ略円環状の金属製の第１の綴杆１２および第１の綴杆１２と一対の第２の綴杆１４と、前記第１の綴杆１２および第２の綴杆１４をそれぞれ間隔をおいて設けることができる長さを備えた保持部材１６と、その表面に第１の綴杆１２および第２の綴杆１４が間隔をおいて第１の綴杆１２および第２の綴杆１４のそれぞれの基部が固定され、第１の綴杆１２および第２の綴杆１４が前記保持部材１６に固定されるように保持部材１６の内側に可動自在に固定された作動部材１８と、作動部材１８を付勢する開閉部材４０とを備え、第１の綴杆１２及び第２の綴杆１４を開くときに、保持部材１６内で第１の綴杆１２及び第２の綴杆１４を保持部材１６の長手方向に移動させるように構成されている。
【００１１】
この綴具１０の綴杆は、主綴杆たる第１の綴杆１２と副綴杆たる第２の綴杆１４とからなる開閉自在の２穴タイプである。
第１の綴杆１２と第２の綴杆１４とは、同一方向に向けて、その綴杆係止部５０を指で外すことができるように構成されている。
そして、綴杆を閉じるときは、主綴杆たる第１の綴杆１２を、例えば親指と人差し指で直接挟んで閉じるように構成されており、第１の綴杆１２を２本の指で挟んで閉じる方向に作動させると、副綴杆たる第２の綴杆１４は追動するように構成されている。
【００１２】
前記表紙１１１０は、前記綴具１０が開かれるときに、綴具１０を構成する保持部材１６の長手方向に移動する綴杆１２，１４に近接する表表紙１１１２の内面に、綴じられた綴杆１４と接し合う綴杆移動規制部１１２２が形成され、前記綴杆移動規制部１１２２は、前記綴杆１２，１４が開かれるときに移動するように構成された綴杆１２，１４を開くように移動する方向側の面において、表表紙１１１２及び／又は裏表紙１１１４が閉じられたとき、綴杆１２，１４が閉じられた状態において綴杆１４と接し、且つ綴具１０の保持部材１６の表面に近い位置において、綴杆１４の基部に向けて綴杆１２，１４の開く方向への移動を規制するように突き出し設けられている。
【００１３】
表紙１１１０は、図３に示すように、表表紙１１１２と裏表紙１１１４とが背表紙１１１６に対して立設状態となるように連設されている。
そして、表表紙１１１２及び裏表紙１１１４は、背表紙１１１６寄りに開閉用の薄肉ヒンジ部１１１８Ａ，１１１８Ｂが設けられている。表表紙１１１２及び裏表紙１１１４と背表紙１１１６との連設部の構成としては、プラスチック型表紙体に略Ｖ字溝からなる連設部１１２０を形成してその溝底で折り曲げる構成を採用している。すなわち、図３に示す通り、表表紙１１１２及び裏表紙１１１４と背表紙１１１６との連設部１１２０となる略Ｖ字溝を設け、この連設部１１２０の溝底で折り曲げて背表紙１１１６に対し表表紙１１１２及び裏表紙１１１４が立設状態に連設されるようにしたものである。連設部１１２０を利用した場合、この連設部１１２０の開き角度を変えることによって背表紙１１１６の構造を変更することができる。
【００１４】
表表紙１１１２及び裏表紙１１１４の開閉を可能にする薄肉ヒンジ部１１１８Ａ，１１１８Ｂは、断面略Ｖ字溝であり、連設部１１２０から若干小口寄りの位置において表表紙１１１２及び裏表紙１１１４に設けられる。
【００１５】
前記綴杆移動規制部１１２２は、この実施の形態においては、平面視略楕円形の合成樹脂シート製綴杆移動規制片１１３０からなり、上下一対の綴杆１２及び１４のうち一方の綴杆１４の第４の半割杆１４ｂの上方において、表表紙１１１２の内面に設けられている。
綴杆移動規制片１１３０は、表紙１１１０の開閉に対応して屈曲するように、表表紙１１１２及び裏表紙１１１４と背表紙１１１６との境界と平行な折り曲げ部１１３２を形成されている。
前記折り曲げ部１１３２より綴具１０に近い方の領域は、前記綴杆１２，１４が開かれるときに移動するように構成された綴杆１２，１４を開くように移動する方向側の面において、表表紙１１１２及び／又は裏表紙１１１４が閉じられたとき、綴杆１２，１４が閉じられた状態において綴杆１４と接し、且つ綴具の保持部材１６の表面に近い位置において、綴杆１４の基部に向けて綴杆１２，１４の開く方向への移動を規制するように突き出し設けられる突出部１１３４を構成している。
前記折り曲げ部１１３２より綴具１０とは遠い領域は、表表紙１１１２及び／又は裏表紙１１１４の内面に固着される固着部１１３６を構成している。
綴杆移動規制片１１３０は、固着部１１３６を、熱、超音波、リベット、接着剤で、表紙１１１０の内面に取り付けることにより設けることができる。
そして、前記綴杆移動規制部１１２２は、表紙１１１０が開閉されたとき、綴具１０に向けて進退自在に構成され、綴具１０の保持部材１６より綴杆１４の頂部側であって綴杆１４の頂部に向けて綴具１０に綴じられた被綴じ物Ｓの綴じ代側Ｓ１を押し上げないように回動自在に表紙１１１０に設けられている。
【００１６】
この実施の形態においては、突出部１１３４は、表紙１１１０の幅方向において第２の綴杆１４の第４の半割杆１４ｂの中間に至る高さを備えており、表表紙１１１２が開かれて綴杆移動規制部１１２２が表紙１１１０の幅方向において後退して綴具１０より離れるときにおいても最も高い中央部分は綴具１０の第２の綴杆１４の環状内にとどまる。そして、少なくとも第２の綴杆１４の第４の半割杆１４ｂに近い領域は、徐々にその高さが低くなる円弧状に形成されており、第２の綴杆１４の第４の半割杆１４ｂの上方向すなわち綴杆移動規制部１１２２の突出部１１３４側に移動できる間隔を形成できるように構成されている。
この実施の形態においては、固着部１１３６は、第２の綴杆１４の第４の半割杆１４ｂの側の領域と、それとは反対側の上部の領域とは上下対称性を有し、又、突出部１１３４は、固着部１１３６と折り曲げ部１１３２を軸とした対称性を有している。
【００１７】
綴杆移動規制部１１２２は、表表紙１１１２が閉じられたときに、綴具１０が開かれるときに綴具１０を構成する保持部材１６の長手方向に移動する第２の綴杆１４の第４の半割杆１４ｂに近接する表表紙１１１２の内面において、閉じられた第２の綴杆１４と接し合うように構成されている。
そして、綴杆移動規制部１１２２は、綴杆移動規制部１１２２が形成された表表紙１１１２が閉じられたとき、綴具１０が開かれるときに移動するように構成された第２の綴杆１４の第４の半割杆１４ｂを開くように移動する方向側の面において且つ綴具１０の保持部材１６の表面に近い位置において、綴具１０が閉じられた状態において第２の綴杆１４の第４の半割杆１４ｂと接して、第２の綴杆１４の基部に向けて綴具１０の開く方向への移動を規制するとともに、表表紙１１１２が開かれるとき綴杆移動規制部１１２２による規制を解除するように、表表紙１１１２が開かれることに伴って平行移動して、表紙１１１０の幅方向すなわち綴具１０から離れる方向に後退するように構成されている。
そして、前記綴杆移動規制部１１２２は、表紙１１１０が開閉されたとき、綴具１０に向けて進退自在に構成され、綴具１０の保持部材１６より綴杆１４の頂部側であって綴杆１４の頂部に向けて綴具１０に綴じられた被綴じ物Ｓの綴じ代側Ｓ１を押し上げないように回動自在に表紙１１１０に設けられている。
【００１８】
このような表紙１１１０を熱可塑性樹脂製シート材からなる表紙体を用いて成形する一例たる製造としては、図３（Ｂ）に示すように熱可塑性樹脂のシート材からなる表紙体に互いに平行な２本の略Ｖ字溝からなる連設部１１２０を形成し、この連設部１１２０のやや内側寄りの位置において互いに平行な略Ｖ字溝からなる連設部１１２０をヒートプレスＨで成形すると同時に表紙体に略Ｖ字溝からなる連設部１１２０を閉塞する方向の加圧力を加えて互いの溝底を折り曲げるようにしている。熱可塑性樹脂製のシート材単体以外に、熱可塑性樹脂製シート材と表装材との２層構造も利用し得る。また、この２層構造において、厚紙とクロスの２層構造とすれば、略Ｖ字溝からなる連設部１１２０の溝壁同志を接着剤で接着する構成も採用し得る。
【００１９】
閉じた第１の綴杆１２及び第２の綴杆１４の幅は、表紙１１１０の背表紙１１１６の背幅及び平行に対向した表表紙１１１２と裏表紙１１１４との間の幅よりも狭く形成されている。
第２の綴杆１４は、第２の作動片３２に取り付けられた基部よりやや上部から綴杆係止部５０のやや外側に至るまで、略平行に閉じられた表表紙１１１２と裏表紙１１１４に形成された綴杆移動規制部１１２２を構成する突出部１１３４に当接する。綴杆移動規制部１１２２の突出部１１３４は、第２の綴杆１４の上側面に当接する。
また、閉じた第１の綴杆１２及び第２の綴杆１４の下側面は、綴杆移動規制部１１２２の突出部１１３４の下端面と第２の綴杆１４を遊貫するための第２の貫通孔２８の上端縁に挟まれて、第１の貫通孔２６及び第２の貫通孔２８の上端縁と接している。
【００２０】
そして、ファイル・バインダ類１１００の表表紙１１１２と裏表紙１１１４とを平行に閉じた状態で第１の綴杆１２を天側とし第２の綴杆１４を地側にしてファイル・バインダ類１１００を立てたとき、第１の綴杆１２の第２の半割杆１２ｂ及び第２の綴杆１４の第４の半割杆１４ｂ側に綴じられた用箋等の被綴じ物Ｓが偏っているときに衝撃が加わったりして、第１の綴杆１２の第２の半割杆１２ｂ及び第２の綴杆１４の第４の半割杆１４ｂが第１の綴杆１２の第１の半割杆１２ａ及び第２の綴杆１４の第３の半割杆１４ａと外れる上向きに移動したとしても、第２の綴杆１４の移動が綴杆移動規制部１１２２で規制され、綴杆移動規制部１１２２の突出部１１３４の下縁部に当接して、第１の綴杆１２の第２の半割杆１２ｂと第１の綴杆１２の第１の半割杆１２ａ及び第２の綴杆１４の第４の半割杆１４ｂと第２の綴杆１４の第３の半割杆１４ａとが綴杆係止部５０で外れることがない。
【００２１】
ファイル・バインダ類１１００の表表紙１１１２と裏表紙１１１４とを平面上に並置されるように開かれたとき、綴杆移動規制部１１２２の突出部１１３４は、第２の綴杆１４の第４の半割杆１４ｂより離間し、綴杆移動規制部１１２２による移動の規制を解除されるとともに、ファイル・バインダ類１１００の表表紙１１１２及び裏表紙１１１４は、第１の貫通孔２６及び第２の貫通孔２８の周縁より離間し、第１の綴杆１２及び第２の綴杆１４を第１の貫通孔２６及び第２の貫通孔２８の中で遊貫された状態になる。
【００２２】
この実施の形態においては、綴杆移動規制部１１２２は、表表紙１１１２側にのみ設けられている。
それは、第１の綴杆１２を上側にして、ファイル・バインダ類１１００を立てたとき、表表紙１１１２側に位置する第１の綴杆１２を構成する第２の半割杆１２ｂ及び表表紙１１１２側に位置する第２の綴杆１４を構成する第４の半割杆１４ｂが、綴杆係止部５０を構成する凸部５４ａ，凸部５８ａが下向きに突出している関係上、上方向にのみ第２の半割杆１２ｂ及び第４の半割杆１４ｂが上がることを想定しているためである。
【００２３】
前記実施の形態においては、第１の綴杆１２及び第２の綴杆１４を開くとき、第１の半割杆１２ａと第３の半割杆１４ａ及び第２の半割杆１２ｂと第４の半割杆１４ｂが、それぞれ反対側方向に移動するように構成されているが、第１の半割杆１２ａと第２の半割杆１２ｂのうち及び第３の半割杆１４ａと第４の半割杆１４ｂのうち一方のみが、移動するように構成してもよい。
例えば、綴杆移動規制部１１２２が当接する側である第２の半割杆１２ｂ及び第４の半割杆１４ｂ側とは、反対側の第１の半割杆１２ａ及び第３の半割杆１４ａを移動しないように構成し、綴具１０を開閉するとき移動する第２の半割杆１２ｂ及び第４の半割杆１４ｂ側に綴杆移動規制部１１２２を設けるようにしてもよい。
第２の半割杆１２ｂ及び第４の半割杆１４ｂを移動しないようにする構造としては、例えば、第２の作動片３２を保持部材１６の内側面に係止させて、その移動を抑制する構造が考えられる。
【００２４】
前記実施の形態においては、折り曲げ部１１３２は、断面Ｕ字状又は断面Ｖ字状の溝を形成して薄肉にした折り曲げ部を形成したが、かかる構成ではなく単純に綴杆移動規制片１１３０を折り曲げて形成してもよい。
【００２５】
引き続き、綴具１０について、さらに詳しく説明する。
綴具１０は、環状の綴杆を構成する一対のそれぞれ略円環状の金属製の第１の綴杆１２および第１の綴杆１２と一対の第２の綴杆１４と、前記第１の綴杆１２および第２の綴杆１４をそれぞれ間隔をおいて設けることができる長さを備えた保持部材１６と、その表面に第１の綴杆１２および第２の綴杆１４が間隔をおいて第１の綴杆１２および第２の綴杆１４のそれぞれの基部が固定され、第１の綴杆１２および第２の綴杆１４が前記保持部材１６に固定されるように保持部材１６の内側に可動自在に固定された作動部材１８とを備える。
【００２６】
保持部材１６は、第１の綴杆１２と第２の綴杆１４とを所定の間隔をおいて設けることができる長さを備える平面視略長方形で、その両端、すなわち表紙Ａに取り付ける取付孔２０近傍においては、平面視略半円弧状に形成されている。
保持部材１６は、第１の綴杆１２および第２の綴杆１４を固定する部位より長手方向における外側近傍より内側に向かって、その中央が膨出した断面略半円弧状の被綴じ物載置部２２を備え、且つ、被綴じ物載置部２２の内側は保持空間を備え、その保持空間に作動部材１８等を収容するように構成されている。
保持部材１６の被綴じ物載置部２２の両端には、その長手方向に略その一端から他端に亘って、作動部材１８を摺動自在に保持する保持壁２４が設けられている。この実施の形態においては、保持壁２４は、保持部材１６の長手方向において、第１の綴杆１２および第２の綴杆１４のそれぞれの外側近傍より内部に亘って略全体において垂下されるように、第１の保持壁２４ａおよび第２の保持壁２４ｂが連設され、第１の保持壁２４ａと第２の保持壁２４ｂとは平行で略同一の形状の板状である。
そして、この第１の保持壁２４ａおよび第２の保持壁２４ｂと被綴じ物載置部２２によって囲繞された保持空間内に、後に詳しく説明する作動部材１８、開閉部材４０等が収容される。
【００２７】
保持部材１６の被綴じ物載置部２２には、第１の綴杆１２と第２の綴杆１４とを、一定の間隔（日本工業規格等で決められている一定の長さ）をおいて遊貫するための第１の貫通孔２６と第２の貫通孔２８がそれぞれ穿設されている。
第１の貫通孔２６と第２の貫通孔２８とは、第１の綴杆１２を構成する第１の半割杆１２ａおよび第２の半割杆１２ｂと、第２の綴杆１４を構成する第３の半割杆１４ａおよび第４の半割杆１４ｂとに対応して、保持部材１６の幅方向において左右に分かれて一定の間隔をおいて、２つずつ穿設されている。
【００２８】
作動部材１８は、平面視略長方形状金属板からなる一対の第１の作動片３０および第２の作動片３２からなる。
第１の作動片３０及び第２の作動片３２は、その長手方向において、第１の保持壁２４ａ及び第２の保持壁２４ｂと平行でその内面に摺動する外側端縁３０ｂ及び外側端縁３２ｂが形成され、該外側端縁３０ｂ及び外側端縁３２ｂと平行に当該一対の第１の作動片３０及び第２の作動片３２を突き合わせる突き合わせ縁３０ａ及び突き合わせ縁３２ａが内側縁に形成されている。第１の作動片３０及び第２の作動片３２は、突き合わせ縁３０ａ及び突き合わせ縁３２ａの長手方向における中央Ｃ（図１１及び図１３図示）を対称の中心とする点対称形で、保持部材１６の保持空間内において各々をその長手方向において並置したとき、各々その内側縁において屈曲自在に係合する。
【００２９】
そして、第１の作動片３０および第２の作動片３２は、外側から力が加わらないときには、第１の作動片３０と第２の作動片３２とが谷折り、すなわち保持部材１６の被綴じ物載置部２２の内面より離れた方向（突き合わせ縁３０ａおよび突き合わせ縁３２ａが、図１１図示平面Ｐxyより下側）に向いて、あるいはまた、山折り、すなわち保持部材１６の被綴じ物載置部２２の内面に近づいた方向（突き合わせ縁３０ａおよび突き合わせ縁３２ａが図１１図示平面Ｐxyより上側）に向いて、その谷折りまたは山折りの状態を維持するように、保持部材１６の内側の保持空間部に内設されている。
平面Ｐxyとは、第１の綴杆１２と第２の綴杆１４それぞれの基部が第１の作動片３０と第２の作動片３２に固着された部分（４箇所）を通る左右軸Ｙ1，Ｙ2および前後軸Ｘ1，Ｘ2（図１１図示）を含む平面である。
【００３０】
作動部材１８は、一方の作動片、すなわち第１の作動片３０における保持部材１６の被綴じ物載置部２２の内側面と対向する表面（すなわち上面）には、第１の綴杆１２を構成する第１の半割杆１２ａの基部が固定され、且つ、前記第１の半割杆１２ａとは一定の間隔をおいて、第２の綴杆１４を構成する第３の半割杆１４ａの基部が固定されている。
また、他方の作動片、すなわち第２の作動片３２における保持部材１６の被綴じ物載置部２２と対向する表面（すなわち上面）には、第１の綴杆１２を構成する第２の半割杆１２ｂの基部が固定され、且つ、前記第２の半割杆１２ｂと一定の間隔をおいて、第２の綴杆１４を構成する第４の半割杆１４ｂの基部が固定されている。
【００３１】
一方の作動片、すなわち第１の作動片３０は、前記保持部材１６に形成された第１の貫通孔２６に通される突出部３０ｃ1（第１の半割杆１２ａの近傍に形成）および前記保持部材１６に形成された第２の貫通孔２８に通される突出部３０ｃ2（第３の半割杆１４ａの近傍に形成）が形成されている。
第２の作動片３２は、前記保持部材１６に形成された第１の貫通孔２６に通される突出部３２ｃ1（第２の半割杆１２ｂの近傍に形成）及び前記保持部材１６に形成された第２の貫通孔２８に通される突出部３２ｃ2（第４の半割杆１４ｂの近傍に形成）が形成されている。
そして、一対の第１の作動片３０及び第２の作動片３２は、前記突出部３０ｃ1と突出部３０ｃ2および突出部３２ｃ1と突出部３２ｃ2が第１の貫通孔２６と第１の貫通孔２６及び第２の貫通孔２８と第２の貫通孔２８に通された状態で、突き合わされている。
第１の作動片３０及び第２の作動片３２は、突き合わせ縁３０ａおよび突き合わせ縁３２ａが、綴杆、すなわち第１の綴杆１２及び第２の綴杆１４を開いた際には前記保持部材１６の内面に近づき且つ前記第１の綴杆１２及び第２の綴杆１４を閉じた際には前記保持部材１６の内面から離れるように、前記第１の綴杆１２及び第２の綴杆１４を開閉する方向に揺動可能に、前記保持部材１６に保持される。
【００３２】
第１の作動片３０は、一対の作動片が突き合わされる略直線状の突き合わせ縁３０ａが内側に形成され、前記突き合わせ縁３０ａと略平行な略直線状の外側端縁３０ｂが外側に形成されている。
第２の作動片３２は、一対の作動片が突き合わされる略直線状の突き合わせ縁３２ａが内側に形成され、前記突き合わせ縁３２ａと略平行な略直線状の外側端縁３２ｂが外側に形成されている。
第１の作動片３０の外側端縁３０ｂは、突出部３０ｃ1及び突出部３０ｃ2が、形成されている。
第２の作動片３２の外側端縁３２ｂは、突出部３２ｃ1及び突出部３２ｃ2が、形成されている。
すなわち、その突き合わせ縁３０ａおよび突き合わせ縁３２ａが突き合わされ且つ外側端縁３０ｂおよび外側端縁３２ｂが保持部材１６の第１の保持壁２４ａと第２の保持壁２４ｂとの両壁内内側面に接近する。
【００３３】
前記突出部３０ｃ1と突出部３０ｃ2とは、第１の半割杆１２ａと第３の半割杆１４ａの基部の取付け位置に近い位置である第１の作動片３０の幅方向において外側で、それぞれ前後に間隔をあけて一対形成され、且つ、突出部３２ｃ1と突出部３２ｃ2とは、第２の半割杆１２ｂと第４の半割杆１４ｂの基部の取付け位置に近い位置である第２の作動片３２の幅方向において外側で、それぞれ前後に間隔をあけて一対形成され、第１の綴杆１２及び第２の綴杆１４の開閉ができるように、保持部材１６の第１の保持壁２４ａ及び第２の保持壁２４ｂより外側に突出している。
突出部３０ｃ1と突出部３０ｃ2とは、保持部材１６の第１の保持壁２４ａの第１の貫通孔２６及び第１の貫通孔２６より外側に突き出る長さを備え、また、突出部３２ｃ1と突出部３２ｃ2とは、保持部材１６の第２の保持壁２４ｂの第２の貫通孔２８及び第２の貫通孔２８より外側に突き出る長さを備え、且つ、作動部材１８が綴杆の開閉時に保持部材１６の長手方向に移動可能な幅を有する舌状である。
作動片３０及び作動片３２は、金属またプラスチックの薄板からなり、作動片３０及び作動片３２と突出部３０ｃ1、突出部３０ｃ2、突出部３２ｃ1及び突出部３２ｃ2とは一体成形されてなる。
【００３４】
前記作動部材１８は、前記開閉部材４０を収容するために、開閉部材収容部３６が、第１の綴杆１２及び第２の綴杆１４が固定された表面とは反対側の裏面側より表面側に向けて凹設されている。
前記作動部材１８は、第１の作動片３０の突き合わせ縁３０ａの近傍が第１の綴杆１２の突き出る方向に向けて凹まされ且つ第２の作動片３２の突き合わせ縁３２ａの近傍が第２の綴杆１４の突き出る方向に向けて凹まされることにより、第１の作動片３０に形成された凹み３６ａと第２の作動片３２に形成された凹み３６ｂとを形成されてなる開閉部材収容部３６が形成されている。
凹み３６ａは、突き合わせ縁３０ａ側が深く凹まされ、第１の綴杆１２側の上縁及び第２の綴杆１４側の下縁は略平行で、突き合わせ縁３０ａと略直交する平面視略方形状である。
凹み３６ｂは、突き合わせ縁３２ａ側が深く凹まされ、第１の綴杆１２側の上縁及び第２の綴杆１４側の下縁は略平行で、突き合わせ縁３２ａと略直交する平面視略方形状である。
前記開閉部材収容部３６は、第１の作動片３０に形成された凹み３６ａと第２の作動片３２に形成された凹み３６ｂとが、突き合わせ縁３０ａ及び突き合わせ縁３２ａを軸として線対称形に形成されて構成されている。
前記開閉部材４０は、第１の綴杆１２及び第２の綴杆１４が固定された表面とは反対側の裏面側において、作動部材１８の前記開閉部材収容部３６に固定され、前記第１の綴杆１２及び第２の綴杆１４を開くときに、保持部材１６内で、前記作動片３０及び作動片３２を保持部材１６の長手方向に移動させるとともに保持部材１６の内面に近づいた方向に保持されるように、第１の綴杆１２及び第２の綴杆１４を開く方向に変化させるように形成されているので、開閉部材収容部３６は、開閉部材４０を収容し、開閉部材４０の作用により第１の作動片３０と第２の作動片３２とが低背化を図るように構成されている。
【００３５】
前記第１の作動片３０は、一対の作動片を係合させるための係合部３０ｄ及び係合部３０ｅが、第１の作動片３０の突き合わせ縁３０ａから第２の作動片３２の突き合わせ縁３２ａに向けて突き出し設けられ、且つ、一対の作動片を係合させるための係合部３２ｄ及び係合部３２ｅが、第２の作動片３２の突き合わせ縁３２ａから第１の作動片３０の突き合わせ縁３０ａに向けて突き出し設けられている。
係合部３０ｄ及び係合部３０ｅと係合部３２ｄ及び係合部３２ｅは、対向する第１の作動片３０及び第２の作動片３２の上側に向けて延びて突き合わせ縁３０ａ及び突き合わせ縁３２ａを中心にして第１の作動片３０と第２の作動片３２とが揺動するように形成されている。
【００３６】
係合部３０ｄ及び係合部３０ｅと係合部３２ｄ及び係合部３２ｅは、保持部材１６の被綴じ物載置部２２の内面側に向けて、作動部材１８の厚み分を突き出された基部と、前記基部の先端より突き出された押さえ部とを備えた平面視略Ｕ字状に形成されている。そして、押さえ部は、一対の作動片たる第１の作動片３０及び第２の作動片３２のうちの片一方の作動片たる第１の作動片３０または第２の作動片３２のはずれ止めの機能を備え、係合部３０ｄ及び係合部３０ｅと係合部３２ｄ及び係合部３２ｅは、保持部材１６の被綴じ物載置部２２の内面側に向けて突き出されて、一対の作動片たる第１の作動片３０及び第２の作動片３２の片一方の作動片、すなわち第１の作動片３０または第２の作動片３２の保持部材１６の被綴じ物載置部２２の内面側において接近している。
最も外側の係合部３０ｄ及び係合部３２ｄは、第１の作動片３０と第２の作動片３２を逆方向に移動させたときにおいても作動部材１８の端縁より内側に位置する幅を備えている。
最も外側の係合部３０ｄ及び３２ｄと内側の係合部３０ｅ及び３２ｅとは、第１の綴杆１２及び第２の綴杆１４の基部が取付けられた部位を挟んで適宜な間隔をおいて形成されている。
【００３７】
そして、前記第１の綴杆１２および第２の綴杆１４が閉じるときには、図１４に示すように、作動部材１８を構成する第１の作動片３０及び第２の作動片３２は、その突き合わせ縁３０ａおよび突き合わせ縁３２ａが保持部材１６の内面（被綴じ物載置部２２の内面）より離れた方向に向いて（すなわち谷折りの状態）、第１の作動片３０の突き合わせ縁３０ａと第２の作動片３２の突き合わせ縁３２ａとが突き合わされた状態において保持されるとともに、前記第１の綴杆１２および第２の綴杆１４を開くときには、図１９に示すように、作動部材１８を構成する第１の作動片３０及び第２の作動片３２は、保持部材１６の内面（被綴じ物載置部２２の内面）に近づいた方向に向いて（すなわち山折り状態）、第２の作動片３２の突き合わせ縁３２ａとが突き合わされた状態に保持されるように保持部材１６内の空間において固定される。
【００３８】
また、作動部材１８を構成する第１の作動片３０及び第２の作動片３２は、保持部材１６の被綴じ物載置部２２の内面に近づいた方向、すなわち山折りの状態においては、第１の作動片３０と第２の作動片３２の長手方向、すなわち第１の作動片３０と第２の作動片３２に固着された第１の半割杆１２ａと第３の半割杆１４ａとを結ぶ線（Ｘ1（図１１図示））および第２の半割杆１２ｂと第４の半割杆１４ｂとを結ぶ線（Ｘ2（図１１図示））と平行な方向に、第１の作動片３０と第２の作動片３２とを移動させることができるように摺動自在に内設されている。
【００３９】
第１の作動片３０及び第２の作動片３２は、開閉部材収容部３６の外側近傍において、第１の作動片３０及び第２の作動片３２の長手方向への移動を規制する移動規制部が形成される。
移動規制部は、第１の作動片３０の突き合わせ縁３０ａに形成された規制凹部３０ｆ及び規制凸起３０ｇと、第２の作動片３２の突き合わせ縁３２ａに形成された規制凹部３２ｆ及び規制凸起３２ｇとから形成される。
規制凹部３０ｆは、凹み３６ａの外側近傍において、突き合わせ縁３０ａより幅方向において凹んだ平面視コ字型の欠きであり、規制凸起３２ｇは、前記規制凹部３０ｆと遊嵌するように形成された平面視コ字型の凸起であり、規制凹部３０ｆに規制凸起３２ｇが遊嵌されて、規制凹部３０ｆ内において第１の作動片３０及び第２の作動片３２がその長手方向に互い違いに移動するように形成されている。
規制凹部３２ｆは、凹み３６ｂの外側近傍において、突き合わせ縁３２ａより幅方向において凹んだ平面視コ字型の欠きであり、規制凸起３０ｇは、前記規制凹部３２ｆと遊嵌するように形成された平面視コ字型の凸起であり、規制凹部３２ｆに規制凸起３０ｇが遊嵌されて、規制凹部３２ｆ内において第１の作動片３０及び第２の作動片３２がその長手方向に互い違いに移動するように形成されている。
【００４０】
第１の作動片３０の凹み３６ａ内で突き合わせ縁３０ａ側及び第２の作動片３２の凹み３６ｂ内で突き合わせ縁３２ａ側において、第１の綴杆１２と第２の綴杆１４とを開閉方向に変化させる開閉部材４０が設けられている。
前記開閉部材４０は、前記作動部材１８を構成する一対の作動片すなわち作動片３０と作動片３２との間において、一対の作動片３０と作動片３２をそれぞれ逆方向に移動させるとともに、綴杆すなわち第１の綴杆１２及び第２の綴杆１４の開閉状態を保持させるように、第１の作動片３０に間隔をおいて固定された綴杆すなわち第１の半割杆１２ａ及び第３の半割杆１４ａの基部を結ぶ方向と斜めに交差する方向であり、且つ作動片３２に間隔をおいて固定された綴杆すなわち第２の半割杆１２ｂ及び第４の半割杆１４ｂの基部を結ぶ方向と斜めに交差する方向に、架け渡されている。
開閉部材４０は、引っ張りコイルバネからなり、巻線部４４と、巻線部４４の両端から巻線部４４を巻き起こしてフックとした固定先端部４２ａ及び固定先端部４２ｂとを備える。開閉部材４０は、図１０（Ａ）に示すように、巻線部４４の円周方向に規制腕部４６ａと規制腕部４６ｂとが平行に突き出されている。
【００４１】
前記開閉部材４０は、第１の綴杆１２と第２の綴杆１４とが閉じた状態において、無負荷時には密着していた巻線部４４がのびるように引っ張られた引っ張り荷重を受けた状態で、荷重を受ける固定先端部４２ａが第１の作動片３０に、固定先端部４２ｂが第２の作動片３２に固定されている。
更に、第１の綴杆１２と第２の綴杆１４とが閉じた状態において、開いた状態から閉じた状態への方向に向けて第１の作動片３０と第２の作動片３２とを突き合わせ縁３０ａ及び突き合わせ縁３２ａを中心に回動させる方向に、巻線部４４（コイル）の中心軸まわりにねじりモーメントを受け、ばねに荷重が加わり、素線に曲げ応力を発生させて、固定先端部４２ａが第１の作動片３０に、固定先端部４２ｂが第２の作動片３２に固定されている。
この場合、開閉部材４０は、巻線部４４にねじりモーメントなどの負荷が加わっていない状態（図１０（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図９及び図１０（Ａ）図示））で、固定先端部４２ａ及び４２ｂが開閉部材固定部３８ａ及び開閉部材固定部３８ｂにそれぞれ固定される。
ばねに荷重を加える荷重の方向としては、巻線部４４（コイル）を巻き込む方向に向くように構成されている。
【００４２】
規制腕部４６ａ及び規制腕部４６ｂは、固定先端部４２ａ及び固定先端部４２ｂの第１の作動片３０及び第２の作動片３２に固定される側から巻線部４４の中心軸と直交する方向にのび、一方の規制腕部４６ａと他方の規制腕部４６ｂとは、ねじりモーメントが発生しない元の状態は、図９及び図１０（Ａ）に示すように、巻線部４４の円周方向に略平行に突き出され、互いに反対向きにのびる。
一方の規制腕部４６ａは、固定先端部４２ａが第１の作動片３０の開閉部材固定部３８ａに固定されたとき、第１の作動片３０の裏面にその先端が突き当たり、他方の規制腕部４６ｂは、固定先端部４２ｂが第２の作動片３２の開閉部材固定部３８ｂに固定されたとき、第２の作動片３２の裏面（下面）にその先端が突き当たり、丸フックの固定先端部４２ａ及び固定先端部４２ｂが大きく傾くことなく、常に正規の状態にて開閉部材固定部３８ａ及び開閉部材固定部３８ｂに固定されるように構成されている。
ねじりモーメントが発生しない元の状態においては、一方の規制腕部４６ａともう一方の規制腕部４６ｂとは平行になるように形成されている。
【００４３】
開閉部材４０は、その固定先端部４２ａの一端が一方の作動片、すなわち第１の作動片３０の裏面（下面）に形成された開閉部材固定部３８ａに係止固定され、開閉部材４０の固定先端部４２ｂ一端が、他方の作動片、すなわち第２の作動片３２の裏面（下面）に形成された開閉部材固定部３８ｂに係止固定されている。
開閉部材固定部３８ａは、開閉部材収容部３６の凹み３６ａの裏面（下面）であって、第１の作動片３０の長手方向の中心Ｃ（図１１及び図１３図示）より第１の綴杆１２及び第２の綴杆１４を開くときに第１の作動片３０の移動する方向側にずれた位置に形成され、開閉部材固定部３８ｂは、開閉部材収容部３６の凹み３６ｂの裏面（下面）であって、第２の作動片３２の長手方向の中心Ｃ（図１１及び図１３図示）より第１の綴じ杆１２及び第２の綴じ杆１４を開くときに第２の作動片３２の移動する方向側にずれた位置に形成されている。
【００４４】
開閉部材固定部３８ａは、第１の作動片３０の裏面に続く係止基部３８ａ1と、係止基部３８ａ1の先端（下端）に開閉部材４０とは反対側に向けてのびる係止外れ止め部３８ａ2が突設された、側面Ｌ字形である。
開閉部材固定部３８ｂは、第２の作動片３２の裏面に続く係止基部３８ｂ1と、係止基部３８ｂ1の先端（下端）に開閉部材４０とは反対側に向けてのびる係止外れ止め部３８ｂ2が突設された、側面Ｌ字形である。
開閉部材固定部３８ａと開閉部材固定部３８ｂとは、第１の作動片３０及び第２の作動片３２の長手方向の中心Ｃを中心として、点対称に形成されている。
【００４５】
開閉部材４０は、第１の作動片３０と第２の作動片３２との突き合わせ縁３０ａおよび突き合わせ縁３２ａが、谷折り状態（図１４図示）、すなわち保持部材１６の被綴じ物載置部２２の内面より離れた状態に保持された状態にあるときに、伸展した状態となるように、第１の作動片３０と第２の作動片３２との間において斜めに架け渡され、この状態において、元の状態に戻ろうとする力が働くように構成されている。
開閉部材４０は、第１の作動片３０および第２の作動片３２のそれぞれの長手方向、すなわち第１の作動片３０の半割杆１２ａを固定する部位と半割杆１４ａを固定する部位とを結ぶ線（前後軸Ｘ1（図１１図示））および第２の作動片３２の半割杆１２ｂを固定する部位と半割杆１４ｂを固定する部位とを結ぶ線（前後軸Ｘ2（図１１図示））と斜めに交差する方向に架け渡されている。
【００４６】
第１の作動片３０の開閉部材固定部３８ａと第２の作動片３２の開閉部材固定部３８ｂとは、突き合わせ縁３０ａ及び突き合わせ縁３２ａの長手方向における中央Ｃ（図１１及び図１３図示）を回転軸として点対称となるように形成され、開閉部材４０が突き合わせ縁３０ａ及び突き合わせ縁３２ａの長手方向における中央Ｃ（図１１及び図１３図示）より均一な長さによって固定先端部４２ａが開閉部材固定部３８ａに、固定先端部４２ｂが開閉部材固定部３８ｂに係止されて、均一な力が第１の作動片３０及び第２の作動片３２にかかるように構成されている。
第１の作動片３０の突き合わせ縁３０ａ及び第２の作動片３２の突き合わせ縁３２ａにおいて突き合わされた第１の作動片３０と第２の作動片３２との間における距離を、一定に保ち、第１の作動片３０と第２の作動片３２とを引き寄せてそれぞれの位置関係を最適な状態に保つ。
したがって、綴杆を構成する第１の綴杆１２及び第２の綴杆１４の開閉時において、第１の作動片３０及び第２の作動片３２が突き合わせ縁３０ａ及び突き合わせ縁３２ａを枢軸として揺動するときにおいて、第１の作動片３０の幅と第２の作動片３２の幅との和が最大になったとき、すなわち、第１の作動片３０と第２の作動片３２とが平面状態（中立状態）になったときにおいても、第１の作動片３０の最も外側の縁（外側端縁３０ｂ）と保持部材１６の第１の保持壁２４ａとの間及び第２の作動片３２の最も外側の縁（外側端縁３２ｂ）と保持部材１６の第２の保持壁２４ｂとの間に適宜な間隙が生じ、保持部材１６の保持空間内において作動部材１８の第１の作動片３０及び第２の作動片３２が円滑に移動できる。
【００４７】
そして、１対の前記第１の作動片３０及び第２の作動片３２は、前記保持部材１６の長手方向において互いに逆方向に移動させることにより、前記半割杆の組み合わせによる前記第１の綴杆１２及び第２の綴杆１４が分離され、前記第１の綴杆１２及び第２の綴杆１４が分離されたときに、前記開閉部材４０は、前記第１の作動片３０と第２の作動片３２とを付勢して、前記第１の半割杆１２ａと第２の半割杆１２ｂ及び第３の半割杆１４ａと第４の半割杆１４ｂとを開放させる。
【００４８】
そして、開閉部材４０の弾性により、作動部材１８を構成する第１の作動片３０及び第２の作動片３２は、第１の綴杆１２と第２の綴杆１４を手で開き始めたとき、すなわち、第１の綴杆１２と第２の綴杆１４のそれぞれの綴杆係止部５０を外したとき、伸びていた開閉部材４０の巻線部４４を更に伸ばす方向に作用させ、第１の綴杆１２の第１の半割杆１２ａと第２の半割杆１２ｂとが離れる方向（第１の半割杆１２ａはＯ1方向で、第２の半割杆１２ｂはＯ2方向（図１１図示））および第２の綴杆１４の第３の半割杆１４ａと第４の半割杆１４ｂとが離れる方向（第３の半割杆１４ａはＯ1方向で、第４の半割杆１４ｂはＯ2方向（図１１図示））に移動し、第１の作動片３０と第２の作動片３２とをそれぞれ逆方向（第１の作動片３０はＯ1方向で、第２の作動片３２はＯ2方向（図１１図示））に移動させるように作用する（図１５参照）。
【００４９】
さらに、開閉部材４０は、第１の半割杆１２ａと第２の半割杆１２ｂとをおよび第３の半割杆１４ａと第４の半割杆１４ｂとを円周方向（図１１図示の左右軸Ｙ1および左右軸Ｙ2方向）に引き離すように作用する。ねじられていた開閉部材４０は、図１０（Ｂ）（Ｃ）の矢印方向に示すように元の状態に戻ろうとして、第１の半割杆１２ａと第２の半割杆１２ｂとをおよび第３の半割杆１４ａと第４の半割杆１４ｂとを第１の綴杆１２及び第２の綴杆１４の円周方向（第１の半割杆１２ａおよび第３の半割杆１４ａはＯ3方向、第２の半割杆１２ｂおよび第４の半割杆１４ｂはＯ4方向（図１１図示））に引き離すように作用する（図１８（Ａ）参照）。
【００５０】
そして、開閉部材４０は、開閉部材４０の弾性により伸びていた巻線部４４が縮む方向に作用して、作動部材１８を構成する第１の作動片３０は、綴杆係止部５０を閉じる位置の方向（Ｏ1とは反対の方向（図１１図示））に移動し、且つ、第２の作動片３２は、綴杆係止部５０を閉じる位置の方向（Ｏ2とは反対の方向（図１１図示））に移動する。（図１８（Ｂ）及び１９参照）。
すなわち、第１の作動片３０及び第２の作動片３２は、谷折り状態から徐々に平面状態（中立状態）となり、更に平面状態（中立状態）から山折り状態に変わる。第１の綴杆１２及び第２の綴杆１４は、開く方向（第１の半割杆１２ａ及び第３の半割杆１４ａはＯ3方向、第２の半割杆１２ｂ及び第４の半割杆１４ｂはＯ4方向）に回転して開く。
開閉部材４０は、第１の綴杆１２と第２の綴杆１４とを開いた状態にしたとき、第１の作動片３０の突き合わせ縁３０ａと第２の作動片３２の突き合わせ縁３２ａとが山折り状態、すなわち、保持部材１６の被綴じ物載置部２２の内側面に近づいた状態に保持するように作用する。
【００５１】
保持部材１６の被綴じ物載置部２２には、被綴じ物載置部２２の長手方向に延びる膨出部２２ａが形成され、膨出部２２ａは、作動部材１８の係合部３０ｄ及び３２ｅが上側に向いて回転し且つ係合部３０ｅ及び３２ｄが上側に向いて回転するとともに、開閉部材４０が上側に向いて移動したときに、被綴じ物載置部２２の内面と当接しないようにするために、被綴じ物載置部２２の長手方向に延びて形成されている。
そして、前記保持部材１６は、作動部材１８に間隔をおいて設けられた第１の綴杆１２及び第２の綴杆１４の基部を結ぶ方向に近い方向にのびる保持壁２４及び被綴じ物載置部２２を有し、前記保持部材１６の保持壁２４及び被綴じ物載置部２２により、作動部材１８を保持部材１６の内側に保持するための保持部が形成され、前記作動部材１６及び開閉部材４０は、前記第１の綴杆１２及び第２の綴杆１４を開閉するとき、前記保持空間内において移動するように構成されている。
【００５２】
前記保持部材１６は、前記したように、作動部材１８に間隔をおいて設けられた第１の綴杆１２と第２の綴杆１４との基部を結ぶ方向（図１１図示Ｘ1及びＸ2方向）に近い方向にのびる、第１の保持壁２４ａと第２の保持壁２４ｂとからなる保持壁２４を有し、前記保持壁２４は、作動部材１８に間隔をおいて設けられた第１の綴杆１２と第２の綴杆１４の基部を結ぶ方向（図１１図示Ｘ1及びＸ2方向）と交差する方向にのびて、保持壁２４の外側に向いて突出する第１の作動片３０の突出部３０ｃ1と突出部３０ｃ2及び第２の作動片３２の突出部３２ｃ1と突出部３２ｃ2を保持する保持部、すなわち第１の保持壁２４ａに形成された第１の保持部６０及び第１の保持部６２と、第２の保持壁２４ｂに形成された第２の保持部６４及び第２の保持部６６とを有している。
該第１の保持部６０及び第１の保持部６２は、前記保持壁２４の一部を作動部材１８の突出部３０ｃ1と突出部３０ｃ2より外側に打ち出された第１の保持部６０及び第１の保持部６２が、保持部材１６の内側に嵌装された作動部材１８の突出部３０ｃ1と突出部３０ｃ2を保持するように、保持壁２４（第１の保持壁２４ａ）の内側に向けて凹まされてなる。
また、第２の保持部６４及び第２の保持部６６は、前記保持壁２４の一部を作動部材１８の突出部３２ｃ1と突出部３２ｃ2より外側に打ち出された第２の保持部６４及び第２の保持部６６が、保持部材１６の内側に嵌装された作動部材１８の突出部３２ｃ1と突出部３２ｃ2を保持するように、保持壁２４（第２の保持壁２４ｂ）の内側に向けて凹まされてなる。
【００５３】
前記第１の保持部６０及び第１の保持部６２と第２の保持部６４及び第２の保持部６６は、前記作動部材１８の第１の作動片３０及び第２の作動片３２の下面に沿って、前記保持壁２４の下縁との間に間隔をおいて細い切り込み６８ａと切り込み７０ａ及び切り込み７２ａと切り込み７４ａが形成され、該切り込み６８ａと切り込み７０ａ及び切り込み７２ａと切り込み７４ａと保持壁２４の下縁との間における保持壁２４の外方に向けて打ち出された領域により、第１の保持部６０及び第１の保持部６２と第２の保持部６４及び第２の保持部６６が形成されている（図２６（Ａ）（Ｂ）参照）。
そして、第１の保持部６０及び第１の保持部６２と第２の保持部６４及び第２の保持部６６を構成する該領域が、保持部材１６の内側に嵌装された作動部材１８の突出部３０ｃ1と突出部３０ｃ2及び突出部３２ｃ1と突出部３２ｃ2の下面を保持するように内側に向けて打ち出され、保持壁２４の該切り込み６８ａと切り込み７０ａ及び切り込み７２ａと切り込み７４ａと保持壁２４の下縁との間の領域以外の領域より内側に向けて凹まされて、第１の保持部６０及び第１の保持部６２と第２の保持部６４及び第２の保持部６６が形成されている（図２７（Ａ）（Ｂ）参照）。
【００５４】
第１の綴杆１２は、略円環状の綴杆となるように、半円弧状の第１の半割杆１２ａと第２の半割杆１２ｂとから構成され、第２の綴杆１４は、略円環状の綴杆となるように、半円弧状の第３の半割杆１４ａと第４の半割杆１４ｂとから構成されている。そして、用紙等の被綴じ物Ｓに予め穿設された綴じ孔に挿通して、用紙等の被綴じ物Ｓを綴じることができるように、第１の半割杆１２ａおよび第２の半割杆１２ｂと、第３の半割杆１４ａと第４の半割杆１４ｂの先端、すなわち第１の綴杆１２および第２の綴杆１４の頂部において、綴杆係止部５０が形成されている。
【００５５】
前記綴杆を構成する第１の綴杆１２及び第２の綴杆１４は、断面円形状金属製線材を、綴杆係止部５０を外す方向（図１１のＯ1及びＯ2の方向）にのばし、且つ中央部分を押さえることによって綴杆を閉じる方向に対してわん曲させて形成されている。そして、第１の綴杆１２及び第２の綴杆１４は、中央が綴杆を開く方向（第１の半割杆１２ａ及び第３の半割杆１４ａは、図１１のＯ3方向、第２の半割杆１２ｂ及び第４の半割杆１４ｂは、図１１のＯ4方向）に膨み且つ両端が綴杆を閉じる方向にわん曲した断面略空豆（ビーンズ）型の形状に形成されている。
すなわち、環状の第１の綴杆１２及び第２の綴杆１４を開閉方向に見て、第１の綴杆１２及び第２の綴杆１４の内側は波状起伏面が形成され、第１の綴杆１２及び第２の綴杆１４の外側は半円弧状に形成されている。そして、第１の綴杆１２及び第２の綴杆１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙にあける綴じ穴には丸穴が多いので、用紙等の被綴じ物Ｓの綴じ穴に対応しにくく、用紙等の被綴じ物Ｓの綴じ穴を傷つけるおそれがある。
ところが、綴杆を構成する第１の綴杆１２及び第２の綴杆１４は、細いならば綴杆係止部５０の嵌合がうまくゆかないときがある。
そのために、第１の綴杆１２及び第２の綴杆１４の幅を広げたいが、元の線材として断面積の小さいものを使用しても、元の金属製線材を加工することにより綴杆としては必要な幅が確保されるようにしたい。
そこで、本願発明にかかる綴杆は、それを形成する線材の中央部分を押さえて線材を空豆（ビーンズ）型につぶすことにより全体としての幅を広げ、すなわち、綴杆の全体の幅を綴杆係止部５０を外す方向に広げて、綴杆係止部５０の嵌合を完全にできるように形成している。
【００５６】
この実施の形態においては、第１の綴杆１２を構成する第１の半割杆１２ａ及び第２の半割杆１２ｂと第２の綴杆１４を構成する第３の半割杆１４ａ及び第４の半割杆１４ｂとは、同じ形状、すなわち曲率（曲率半径）が同じものである。
第１の綴杆１２を構成する第１の半割杆１２ａ及び第２の半割杆１２ｂは、第１の半割杆１２ａの自由端の綴杆係止部５０と、第２の半割杆１２ｂの自由端の綴杆係止部５０とを係止することにより、環状に連結される。
また、第２の綴杆１４を構成する第３の半割杆１４ａと第４の半割杆１４ｂとは、第３の半割杆１４ａの自由端の綴杆係止部５０と、第４の半割杆１４ｂの自由端の綴杆係止部５０とを係止することにより、環状に連結される。
【００５７】
第１の綴杆１２及び第２の綴杆１４は、それぞれの基部が第１の作動片３０及び第２の作動片３２に固着された部分（４箇所）を通る左右軸Ｙ1，Ｙ2および前後軸Ｘ1，Ｘ2（図１１図示）を含む平面Ｐxyと垂直な平面を構成するように、第１の作動片３０と第２の作動片３２より立設されている。そして、第１の綴杆１２の軸Ｚ1（図１１図示）が構成する円形面と第２の綴杆１４の軸Ｚ2（図１１図示）が構成する円形面とは、平行で、且つ、第１の綴杆１２と第２の綴杆１４が第１の作動片３０と第２の作動片３２と固着された部位を通る平面Ｐxyと垂直となるように構成されている。
【００５８】
前記綴杆は、第２０図〜第２５図に示すように、直接指で閉じられる主綴杆たる第１の綴杆１２と、該第１の綴杆１２の閉じる方向に向けての作動に追動する副綴杆たる第２の綴杆１４とにより構成されている。
そして、第１の綴杆１２と第２の綴杆１４とは、同一方向（図１５のＯ1及びＯ2方向）に向けて、その綴杆係止部５０を指で外すことができるように構成されている。
第１の綴杆１２を構成する第１の半割杆１２ａの先端に形成された綴杆係止部５０を構成する先端の凸部５２ａ及びその凸部５２ａに続く凹部５２ｂと、第２の半割杆１２ｂの綴杆係止部５０を構成する先端の凸部５４ａ及びその先端の凸部５４ａに続く凹部５４ｂとは、第１の綴杆１２を閉じたとき係合するように逆方向に向けて突き出しあるいは凹み形成されている。
凸部５２ａ及び凸部５４ａは、それぞれ先端から内側に向けて湾曲凸面を有する傾斜対向面５２ｃ及び湾曲凸面を有する傾斜対向面５４ｃと、傾斜対向面５２ｃ及び傾斜対向面５４ｃに続き、凸部５２ａ及び凸部５４ａの後端（基部側）から除々に先端側（すなわち閉じる方向）に入り込んだ傾斜対向面５２ｄ及び傾斜対向面５４ｄが形成され、後端近傍が鉤状で、全体として鉤鼻状に形成されている。
凹部５２ｂは、基部側から先端に向けて湾曲凹面を有する傾斜対向面を備え、凹部５４ｂは、同様に基部側から先端に向けて湾曲凹面を有する傾斜対向面を備えている。
また、第２の綴杆１４を構成する第３の半割杆１４ａの先端に形成された綴杆係止部５０を構成する凸部５６ａ及びその凸部５６ａに続く凹部５６ｂと、第４の半割杆１４ｂの綴杆係止部５０を構成する先端の凸部５８ａ及びその先端の凸部５８ａに続く凹部５８ｂとは、第２の綴杆１４を閉じたとき係合するように逆方向に向けて突き出しあるいは凹み形成されている。
凸部５６ａ及び凸部５８ａは、それぞれ先端から内側に向けて湾曲凸面を有する傾斜対向面５６ｃ及び湾曲凸面を有する傾斜対向面５８ｃと、傾斜対向面５６ｃ及び傾斜対向面５８ｃに続き、凸部５６ａ及び凸部５８ａの後端（基部側）から除々に先端側（すなわち閉じる方向）に入り込んだ傾斜対向面５６ｄ及び傾斜対向面５８ｄが形成され、後端近傍が鉤状で、全体として鉤鼻状に形成されている。
凹部５６ｂは、基部側から先端に向けて湾曲凹面を有する傾斜対向面を備え、凹部５８ｂは、同様に湾曲凹面を有する傾斜対向面を備えている。
【００５９】
第１の半割杆１２ａの綴杆係止部５０を構成する凸部５２ａ及び第３の半割杆１４ａの綴杆係止部５０を構成する凸部５６ａは、同一方向に向けて突き出し設けられ、先端部から基部側にかけて形成された湾曲凸面を備え、両方が同一形状に形成されている。
また、第１の半割杆１２ａの綴杆係止部５０を構成する凹部５２ｂ及び第３の半割杆１４ａの綴杆係止部５０を構成する凹部５６ｂは、同一方向に向けて凹み形成され、凸部５４ａ及び凸部５６ａの後端から基部側にかけて形成された湾曲凹面を備え、両方が同一形状に形成されている。
第２の半割杆１２ｂの綴杆係止部５０を構成する凸部５４ａ及び第４の半割杆１４ｂの綴杆係止部５０を構成する凸部５８ａは、同一方向に向けて突き出し設けられ、先端部から基部側にかけて形成された湾曲凸面を備え、両方が同一形状に形成されている。
また、第２の半割杆１２ｂの綴杆係止部５０を構成する凹部５４ｂ及び第４の半割杆１４ｂの綴杆係止部５０を構成する凹部５８ｂは、同一方向に向けて凹み形成され、凸部５４ａ及び凸部５８ａの後端から基部側にかけて形成された湾曲凹面を備え、両方が同一形状に形成されている。
第１の半割杆１２ａの凸部５２ａ及び凹部５２ｂと第２の半割杆１２ｂの凸部５４ａ及び凹部５４ｂとは点対称に形成され、第３の半割杆１４ａの凸部５６ａ及び凹部５６ｂと第４の半割杆１４ｂの凸部５８ａ及び凹部５８ｂとは点対称に形成されている。
【００６０】
第１の綴杆１２の凸部５２ａの傾斜対向面５２ｃ及び凹部５４ｂの傾斜対向面は、第１の綴杆１２の軸方向とは斜交するように形成され、開閉するときには、傾斜対向面５２ｃと凹部５４ｂの傾斜対向面とが一点を共有し合う内接関係で接する。
第１の綴杆１２の凸部５２ａの傾斜対向面５２ｃ及び凸部５４ａの傾斜対向面５４ｃは、第１の綴杆１２の軸方向とは斜交するように形成され、開閉するときには、傾斜対向面５２ｃと傾斜対向面５４ｃとが一点を共有し合う外接関係で接する。
第２の綴杆１４の凸部５６ａの傾斜対向面５６ｃ及び凹部５８ｂの傾斜対向面は、第２の綴杆１４の軸方向とは斜交するように形成され、開閉するときには、傾斜対向面５６ｃと凹部５８ｂの傾斜対向面とが一点を共有し合う内接関係で接する。
第２の綴杆１４の凸部５６ａの傾斜対向面５６ｃ及び凸部５８ａの傾斜対向面５８ｃは、第２の綴杆１４の軸方向とは斜交するように形成され、開閉するときには傾斜対向面５６ｃと傾斜対向面５８ｃとが一点を共有し合う外接関係で接する。
【００６１】
主綴杆たる第１の綴杆１２を２本の指で挟んで綴杆を閉じ始めるとき、第２の綴杆１４の第３の半割杆１４ａの凸部５６ａと第２の綴杆１４の第４の半割杆１４ｂの凹部５８ｂとが当接する前に（図２３参照）、第１の綴杆１２の第１の半割杆１２ａの凸部５２ａと第１の綴杆１２の第２の半割杆１２ｂの凸部５４ａとが当接し、更に第１の綴杆１２を閉じるように作動させると、第１の綴杆１２の第１の半割杆１２ａの凹部５２ｂが第２の半割杆１２ｂの凸部５４ａ上を摺動するとともに、第１の綴杆１２の第１の半割杆１２ａの凸部５２ａが第２の半割杆１２ｂの凹部５４ｂに嵌合される正規の係止位置を通り過ぎて、第１の半割杆１２ａの凸部５２ａが第２の半割杆１２ｂの凹部５４ｂの傾斜対向面上を摺動してずり上がる（図２４参照）。
このように、第１の綴杆１２を閉じる方向に作動させると、第２の綴杆１４の第３の半割杆１４ａの凸部５６ａと第２の綴杆１４の第４の半割杆１４ｂの凸部５８ａとが当接し、更に、第１の綴杆１２を閉じるように作動させると、第２の綴杆１４の第３の半割杆１４ａの凸部５６ａが第４の半割杆１４ｂの凸部５８ａの傾斜対向面５８ｃ上を摺動し（図２３参照）、更に第１の綴杆１２の第１の半割杆１２ａの凸部５２ａが第２の半割杆１２ｂの凹部５４ｂの傾斜対向面をずり上がると、第２の綴杆１４の第３の半割杆１４ａの凸部５６ａ（第４の半割杆１４ｂの凸部５８ａ）が第４の半割杆１４ｂの凹部５８ｂ（第３の半割杆１４ａの凹部５６ｂ）に嵌まり込み嵌合する（図２４参照）。
その後、第１の綴杆１２から指を離し閉じる力を解放すると、開閉部材４０の作用により第１の綴杆１２はわずかに開く方向に逆戻りして、第１の綴杆１２は、第２の綴杆１４と同様に、第１の半割杆１２ａの凸部５２ａ（第２の半割杆１２ｂの凸部５４ａ）が第２の半割杆１２ｂの凹部５４ｂ（第１の半割杆１２ａの凹部５２ｂ）に嵌まり込み嵌合する（図２５参照）。
【００６２】
綴杆を閉じるとき、第１の作動片３０及び第２の作動片３２は、山折り状態（図１９参照）から徐々に平面状態（中立状態）となり、更に平面状態（中立状態）から谷折り状態（図１４参照）に変わるとともに、同列に並んだ状態から、一旦綴杆係止部５０の外れる方向（第１の作動片３０はＯ1方向、第２の作動片３２はＯ2方向）に移動して、たがいちがいに並んだ状態となり（図２４参照）、その後逆戻りして同列に並ぶ。
それによって、移動規制部を構成する第１の作動片３０の規制凸起３０ｇが第２の作動片３２の規制凹部３２ｆ内を移動して、規制凹部３２ｆにおける綴杆係止部５０の外れる方向とは反対側の端縁に当接し、且つ移動規制部を構成する第２の作動片３２の規制凸起３２ｇが第１の作動片３０の規制凹部３０ｆ内を移動して、規制凹部３０ｆにおける綴杆係止部５０の外れる方向とは反対側の端縁に当接する（図１５参照）。そのために、綴杆を閉じるとき、第１の綴杆１２の第１の半割杆１２ａの凸部５２ａが第２の半割杆１２ｂの凹部５４ｂに嵌合される正規の停止位置を通り過ぎて、第１の半割杆１２ａの凸部５２ａが第２の半割杆１２ｂの凹部５４ｂの傾斜対向面上を摺動してずり上がりオーバーランするとき、第１の綴杆１２の移動距離を規制して適宜な位置でオーバーランが停止され、第１の綴杆１２の綴杆係止部５０から指を外せば開閉部材４０の元の状態に戻ろうとする力が作用して、第１の作動片３０及び第２の作動片３２は、一旦綴杆係止部５０の外れる方向（第１の作動片３０はＯ1方向、第２の作動片３２はＯ2方向）に移動してたがいちがいに並んだ状態から、逆戻りして同列に並び、綴杆係止部５０が嵌合する（図１３、１４、２３、２４及び２５参照）。
【００６３】
このように、主綴杆たる第１の綴杆１２を閉じ始めると、直接指で閉じられない副綴杆たる第２の綴杆１４が閉じる方向に移動を始め、更に第１の綴杆１２が閉じて正規の係止位置を通り過ぎるまで移動すると、第２の綴杆１４の係合が進み第１の綴杆１２より先に第２の綴杆１４が完全に係止されるので、直接指で閉じられない副綴杆たる第２の綴杆１４が確実に係止された後、主綴杆たる第１の綴杆１２が確実に係止される。
したがって、第１の綴杆１２を指で摘んで先に閉じる方向に移動させたときに、オーバーランするように第１の綴杆１２を摘まめば、確実に第２の綴杆１４を正規の位置に係止でき、第１の綴杆１２の操作のみで、閉じることができる。
このように、第１の綴杆１２を指で操作することにより第２の綴杆１４を閉じることができるので、ワンタッチ綴具としての利便性が高い。
【００６４】
また、第１の綴杆１２の頂部を指でねじることにより第１の綴杆１２の綴杆係止部５０を外したとき、第１の作動片３０と第２の作動片３２には、ねじられていた開閉部材４０が元の状態に戻ろうとする力、すなわち一方の固定先端部４２ａと他方の固定先端部４２ｂとが、図１０（Ｂ）（Ｃ）矢印方向に示すように、巻線部４４の円周方向に回転して元の状態に戻ろうとするように力が働くことにより、第１の綴杆１２は開く。
そして、第１の綴杆１２及び第２の綴杆１４は、その綴杆係止部５０が外され（図１５参照）、第１の作動片３０及び第２の作動片３２は、谷折り状態から徐々に平面状態（中立状態）となり更に平面状態から山折り状態に変わるとともに、綴杆係止部５０の外れる方向（第１の作動片３０はＯ1方向、第２の作動片３２はＯ2方向）に移動する（図１８（Ａ）参照）。それによって、移動規制部を構成する第１の作動片３０の規制凸起３０ｇが第２の作動片３２の規制凹部３２ｆ内を移動して、規制凹部３２ｆにおける綴杆係止部５０の外れる方向とは反対側の端縁に突き当たり、且つ移動規制部を構成する第２の作動片３２の規制凸起３２ｇが第１の作動片３０の規制凹部３０ｆ内を移動して、規制凹部３０ｆにおける綴杆係止部２方向とは反対側の端縁に突き当たる（図１８（Ｂ）参照）。
第１の綴杆１２から手を離すと、第１の綴杆１２及び第２の綴杆１４は、開閉部材４０の一方の固定先端部４２ａと他方の固定先端部４２ｂとが、図１０（Ｂ）（Ｃ）矢印方向に示すように、巻線部４４の円周方向に回転して元の状態に戻ろうとするように第１の作動片３０及び第２の作動片３２に力を働かせることにより、更に開き（第１の半割杆１２ａ及び第３の半割杆１４ａはＯ3方向、第２の半割杆１２ｂ及び第４の半割杆１４ｂはＯ4方向）、且つ、開閉部材４０の巻線部４４が縮むことにより開閉部材４０の固定先端部４２ａと他方の固定先端部４２ｂとを平面視反対方向に移動するように力が働くことにより、第１の作動片３０と第２の作動片３２とは、逆方向に移動する（図１８（Ａ）（Ｂ）参照）。
すなわち、作動部材１８及び開閉部材４０は、第２の綴杆１４を構成する第３の半割杆１４ａの凸部５６ａと第４の半割杆１４ｂの凸部５８ａとを開く方向に作用し、そして、第１の綴杆１２の第１の半割杆１２ａの凸部５２ａと第２の半割杆１２ｂの凸部５４ａとを引き離す方向に作用するとともに、第２の綴杆１４を構成する第３の半割杆１４ａの凸部５６ａと第４の半割杆１４ｂの凸部５８ａとを引き離すように作用する。
【００６５】
このように、この実施の形態においては、第１の綴杆１２又は第２の綴杆１４の頂部を指でねじることにより、第１の綴杆１２の第１の半割杆１２ａおよび第２の半割杆１２ｂの綴杆係止部５０と、第２の綴杆１４の第３の半割杆１４ａおよび第４の半割杆１４ｂの綴杆係止部５０を外すことができる。
【００６６】
また、第１の綴杆１２の第１の半割杆１２ａと第２の半割杆１２ｂの綴杆係止部５０および第２の綴杆１４の第３の半割杆１４ａと第４の半割杆１４ｂの綴杆係止部５０の係合を解除したとき、作動部材１８は、開閉部材４０の一方の固定先端部４２ａと他方の固定先端部４２ｂとが巻線部４４の円周方向において近づこうとする力が働くことにより、第１の作動片３０の突き合わせ縁３０ａと第２の作動片３２の突き合わせ縁３２ａとが、山折り状態になる。
【００６７】
次に、作動部材１８を保持部材１６の保持空間内に装填する方法について、主として図２６及び図２７に基づいて説明する。
保持部材１６は、第１の作動片３０と第２の作動片３２を装填する前には、第１の保持壁２４ａの第１の保持部６０及び第１の保持部６２と第２の保持壁２４ｂの第２の保持部６４及び第２の保持部６６とが、第１の保持壁２４ａ及び第２の保持壁２４ｂの他の領域より外側に向けて膨出している（図２６（Ｂ）参照）。
すなわち、第１の保持壁２４ａは、第１の貫通孔２６の近傍において第１の保持部６０及び第１の保持部６２を形成するための第１の保持壁２４ａの下縁との間に間隔をおいて細い切り込み６８ａ及び切り込み７０ａが形成され、該切り込み６８ａ及び切り込み７０ａと第１の保持壁２４ａの下縁との間における領域が第１の保持壁２４ａより外側に向けて打ち出されて、第１の保持部６０及び第１の保持部６２が形成される（図２６（Ｂ）参照）。
また、第２の保持壁２４ｂは、第２の貫通孔２８の近傍において第２の保持部６４及び第２の保持部６６を形成するための第２の保持壁２４ｂの下縁との間に間隔をおいて細い切り込み７２ａ及び切り込み７４ａが形成され、該切り込み７２ａ及び切り込み７４ａと第２の保持壁２４ｂの下縁との間における領域が第２の保持壁２４ｂより外側に向けて打ち出されて、第２の保持部６４及び第２の保持部６６が形成される（図２６（Ａ）参照）。
作動部材１８を保持部材１６の保持空間内に装填するときは、まず、第１の作動片３０を保持部材１６内に装填し、次に、第２の作動片３２を保持部材１６内に装填する（図２７（Ａ）参照）。
このとき、第１の作動片３０の突出部３０ｃ1が第１の保持部６０の内側に、第１の作動片３０の突出部３０ｃ2が第１の保持部６２の内側に位置し、第２の作動片３２の突出部３２ｃ1が第２の保持部６４の内側に、第２の作動片３２の突出部３２ｃ2が第２の保持部６６の内側に位置する。
次に、第１の保持部６０、第１の保持部６２、第２の保持部６４及び第２の保持部６６を、第１の保持壁２４ａ及び第２の保持壁２４ｂの内側に向けて打ち込み、平面円弧状の第１の保持部６０、第１の保持部６２、第２の保持部６４及び第２の保持部６６を形成する（図２７（Ｂ）参照）。
而して、第１の保持部６０が突出部３０ｃ1の下面を、第１の保持部６２が突出部３０ｃ2の下面を、第２の保持部６４が突出部３２ｃ1の下面を、第２の保持部６６が突出部３２ｃ2の下面をそれぞれ保持するように形成される。そして、突出部３０ｃ1は第１の貫通孔２６より外側に、突出部３０ｃ2は第２の貫通孔２８より外側に、突出部３２ｃ1は第１の貫通孔２６より外側に、突出部３２ｃ2は第２の貫通孔２８より外側に突き出る。
【００６８】
次に、開閉部材４０を作動部材１８に装填する方法について、図８ないし１０に基づいて説明する。
第１の綴杆１２と第２の綴杆１４とが閉じた状態において、開いた状態から閉じた状態への方向に向けて第１の作動片３０と第２の作動片３２とを突き合わせ縁３０ａ及び突き合わせ縁３２ａを中心に回動させる方向にばねに荷重を加えて、巻線部４４（コイル）の中心軸まわりにねじりモーメントを受け、素線に曲げ応力を発生させるようにして、開閉部材４０を固定先端部４２ａが第１の作動片３０に、固定先端部４２ｂが第２の作動片３２に固定する。
この場合、開閉部材４０は、巻線部４４にねじりモーメントなどの負荷が加わっていない状態（図１０（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図９及び図１０（Ａ）図示））で、固定先端部４２ａ及び４２ｂが開閉部材固定部３８ａ及び開閉部材固定部３８ｂにそれぞれ固定する。
ばねに荷重を加える荷重の方向としては、巻線部４４（コイル）を巻き込む方向に向くように構成されている。
【００６９】
前記実施の形態によれば、一対の作動片（第１の作動片３０及び第２の作動片３２）には、保持部材１６に形成された貫通孔（第１の貫通孔２６及び第２の貫通孔２８）に通される突出部（突出部３０ｃ1、突出部３０ｃ2、突出部３２ｃ1、及び突出部３２ｃ2）が形成されているので、作動片（第１の作動片３０及び第２の作動片３２）に綴杆（第１の綴杆１２、第２の綴杆１４）の基部を例えばカシメ止めをしても作動片（第１の作動片３０及び第２の作動片３２）にかかるストレスを少なくするために面積を大きくすることができる。そのために、作動片（第１の作動片３０及び第２の作動片３２）全体の強度を増すことができる。
【００７０】
前記実施の形態の保持部とは異なり、図２８及び図２９において示すように、保持壁の下端縁より突き出し設けられた方形凸部を内側に向けて折り曲げて、第１の保持壁２４ａに第１の保持部１６０及び第１の保持部１６２が、第２の保持壁２４ｂに第２の保持部１６４及び第２の保持部１６６が形成され、作動部材１８の第１の作動片３０及び第２の作動片３２に形成された（第１の綴杆１２及び第２の綴杆１４が突出する方向とは反対側に向けて突設されている）突条２３０ｈ及び突条２３２ｈの下端縁を、第１の保持壁２４ａの第１の保持部１６０及び第１の保持部１６２、第２の保持壁２４ｂの第２の保持部１６４及び第２の保持部１６６により保持するように構成してもよい。
第１の作動片３０及び第２の作動片３２は、その長さ方向に、第１の保持壁２４ａの第１の保持部１６０と第１の保持部１６２及び第２の保持壁２４ｂの第２の保持部１６４と第２の保持部１６６の上面を摺動して移動することができる。
【００７１】
前記実施の形態とは異なり、作動部材を、図３０及び図３１に示すように変更してもよい。
図３０及び図３１図示第１の作動片３０は、突き合わせ縁３０ａとは離れた位置で、間隔をおいて設けられた第１の綴杆１２の基部と第２の綴杆１４の基部とを結ぶ方向（図３０図示Ｘ1及びＸ2方向）に近い方向にのびる突条２３０ｈが形成されている。この実施の形態においては、第１の綴杆１２の基部と第２の綴杆１４の基部とを結ぶ方向と平行で第１の作動片３０の長さ方向にのびる。
前記突条２３０ｈは、間隔をおいて設けられた第１の綴杆１２の基部と第２の綴杆１４の基部の間で外側端縁３０ｂの突出部３０ｃ1と突出部３０ｃ2との間において、連続して、第１の綴杆１２及び第２の綴杆１４が突出する方向とは反対側に向けて突設されている。
前記突条２３０ｈは、第１の作動片３０を構成する平板状の金属製板体を断面Ｌ字形に折り曲げて形成されている。
また、図３０及び図３１図示第２の作動片３２は、突き合わせ縁３２ａとは離れた位置で、間隔をおいて設けられた第１の綴杆１２の基部と第２の綴杆１４の基部とを結ぶ方向（図３０図示Ｘ1及びＸ2方向）に近い方向にのびる突条２３２ｈが形成されている。この実施の形態においては、第１の綴杆１２の基部と第２の綴杆１４の基部とを結ぶ方向と平行で第２の作動片３２の長さ方向にのびる。
前記突条２３２ｈは、間隔をおいて設けられた第１の綴杆１２の基部と第２の綴杆１４の基部の間で外側端縁３２ｂの突出部３２ｃ1と突出部３２ｃ2との間において、連続して、第１の綴杆１２及び第２の綴杆１４が突出する方向とは反対側に向けて突設されている。
前記突条２３２ｈは、第２の作動片３２を構成する平板状の金属製板体を断面Ｌ字形に折り曲げて形成されている。
したがって、第１の作動片３０及び第２の作動片３２は、第１の綴杆１２の基部と第２の綴杆１４の基部間におけるしなりが、突条２３０ｈ及び突条２３２ｈにより防止される。
【００７２】
図３０及び図３１図示第１の作動片３０は、基部で固定された第１の半割杆１２ａ及び第３の半割杆１４ａの基部の近傍に、第１の作動片３０を補強してしなりを少なくするために、ビード２３４ａ及びビード２３４ｂが上面に向けて突設されている。
図３０及び図３１図示第２の作動片３２は、基部で固定された第２の半割杆１２ｂ及び第４の半割杆１４ｂの基部の近傍に、第２の作動片３２を補強してしなりを少なくするために、ビード２３４ｃ及びビード２３４ｄが上面に向けて突設されている。
【００７３】
ビード２３４ａは、第１の半割杆１２ａの基部と突出部３０ｃ1との間において第１の作動片３０の長手方向にのびる第１直線部２３４ａ１と、突条２３０ｈの内側（第１の作動片３０の幅方向における略々中央において）で第１の半割杆１２ａの基部の近傍から第１の作動片３０の長手方向にのびる第２直線部２３４ａ2と、第１直線部２３４ａ１の内側端と第２直線部２３４ａ２の外側端との間を結ぶ斜線部２３４ａ3とを備え、第１の作動片３０の下面から上面に向けて一定幅を有する直線状凸部を突設してなる。
ビード２３４ｂは、第３の半割杆１４ａの基部と突出部３０ｃ2との間において第１の作動片３０の長手方向にのびる第１直線部２３４ｂ１と、突条２３０ｈの内側（第１の作動片３０の幅方向における略々中央において）で第３の半割杆１４ａの基部の近傍から第１の作動片３０の長手方向にのびる第２直線部２３４ｂ2と、第１直線部２３４ｂ１の内側端と第２直線部２３４ｂ２の外側端との間を結ぶ斜線部２３４ｂ3とを備え、第１の作動片３０の下面から上面に向けて一定幅を有する直線状凸部を突設してなる。
ビード２３４ｃは、第２の半割杆１２ｂの基部と突出部３２ｃ1との間において第２の作動片３２の長手方向にのびる第１直線部２３４ｃ１と、突条２３２ｈの内側（第２の作動片３２の幅方向における略々中央において）で第２の半割杆１２ｂの基部の近傍から第２の作動片３２の長手方向にのびる第２直線部２３４ｃ2と、第１直線部２３４ｃ1の内側端と第２直線部２３４ｃ2の外側端との間を結ぶ斜線部２３４ｃ3とを備え、第２の作動片３２の下面から上面に向けて一定幅を有する直線状凸部を突設してなる。
ビード２３４ｄは、第４の半割杆１４ｂの基部と突出部３２ｃ2との間において第２の作動片３２の長手方向にのびる第１直線部２３４ｄ１と、突条２３２ｈの内側（第２の作動片３２の幅方向における略々中央において）で第３の半割杆１４ｂの基部の近傍から第２の作動片３２の長手方向にのびる第２直線部２３４ｄ2と、第１直線部２３４ｄ１の内側端と第２直線部２３４ｄ２の外側端との間を結ぶ斜線部２３４ｄ3とを備え、第２の作動片３２の下面から上面に向けて一定幅を有する直線状凸部を突設してなる。
【００７４】
前記実施の形態においては、第２の綴杆１４の側にのみ、綴杆移動規制部１１２２が形成されているが、図３３ないし３６において示すように、第１の綴杆１２と第２の綴杆１４との両方に跨って形成されてもよい。
この実施の形態においては、前記綴杆移動規制部２１２２は、平面視略方形の合成樹脂シート製綴杆移動規制片２１３０からなる。綴杆移動規制片２１３０は、第１の綴杆１２と第２の綴杆１４とに跨る長さを備え、第１の綴杆１２及び第２の綴杆１４側の長手端縁に、それと平行な長手端縁に向けて細長い切り込み２１３８Ａ及び２１３８Ｂを形成して、突出部２１３４（第１突出部２１３４Ａ，第２突出部２１３４Ｂ，第３突出部２１３４Ｃ）を形成されている。
綴杆移動規制片２１３０は、表紙２１１０の開閉に対応して屈曲するように、表表紙２１１２及び裏表紙２１１４と背表紙２１１６との境界と平行な折り曲げ部２１３２を形成されている。
前記折り曲げ部２１３２より綴具１０に近い方の領域は、前記綴杆１２，１４が開かれるときに移動するように構成された綴杆１２，１４を開くように移動する方向側の面において、表表紙２１１２及び／又は裏表紙２１１４が閉じられたとき、綴杆１２，１４が閉じられた状態において綴杆１２，１４と接し、且つ綴具の保持部材１６の表面に近い位置において、綴杆１２，１４の基部に向けて、綴杆１２，１４の開く方向への移動を規制するように突き出し設けられる、上下一対の第１突出部２１３４Ａ及び第２突出部２１３４Ｂを構成している。更に、綴杆１４の下方に位置する第３突出部２１３４Ｃが形成されている。
前記折り曲げ部２１３２より綴具１０とは遠い領域は、表表紙２１１２及び／又は裏表紙２１１４の内面に固着される固着部２１３６を構成している。
【００７５】
そして、前記綴杆移動規制部２１２２は、表紙２１１０が開閉されたとき、綴具１０の保持部材１６より綴杆１２，１４の頂部側であって綴杆１２，１４の頂部に向けて綴具１０に綴じられた被綴じ物Ｓの綴じ代側Ｓ１を押し上げないように、回動自在に表紙２１１０に設けられている。
第１突出部２１３４Ａは、その下端縁において第１の綴杆１２の第２の半割杆１２ｂの上端縁と接し、第１の綴杆１２の移動を規制するとともに、第２の突出部２１３４Ｂは、その下端縁において、第２の綴杆１４の第４の半割杆１４ｂの上端縁と接し、第１の綴杆１２の移動を規制する。
第２の突出部２１３４Ｂは、その上端縁において第１の綴杆１２の第２の半割杆１２ｂの下端縁と接し、第１の綴杆１２の移動を規制する。
【００７６】
前記実施の形態においては、折り曲げ部２１３２は、断面Ｕ字状又は断面Ｖ字状の溝を形成して薄肉にした折り曲げ部を形成したが、かかる構成ではなく単純に綴杆移動規制片２１３０を折り曲げて形成してもよい。
【００７７】
前記実施の形態においては、綴杆移動規制部２１２２は、合成樹脂製綴杆移動規制片２１３０を、表紙２１１０を構成する表表紙２１１２又は裏表紙２１１４の内面に貼着して形成したが、表紙２１１０と一体に形成してもよい。
例えば、綴杆移動規制部３１２２は、表紙３１１０を成形するときに、図３７ないし４０において示すように、トムソン加工装置等の型抜き装置により、前記合成樹脂製綴杆移動規制片３１３０に近似した形状を薄肉ヒンジ部３１１８Ａ又は３１１８Ｂの近傍の所定位置において打ち抜き、且つ背表紙３１１６に近い側を打ち抜かずに残存させて、打ち抜いたスリット部分の端部を結ぶ線上を折り曲げて、打ち抜いてなるスリット部分を綴具１０側に向けて突出させて形成する。
この実施の形態においては、綴杆移動規制部３１２２は、Ｕ字状又はコの字に打ち抜いて、突出部３１３４の外周縁を形成し、Ｕ字状に打ち抜いたスリットにより囲まれた舌片部部位の両端（一定間隔をおいて離れた部位）を結ぶ線上を薄肉ヒンジ部３１１８Ａ，３１１８Ｂと平行に折り曲げて折り曲げ部３１３２を形成するとともに、Ｕ字状に打ち抜かれてなる舌片部を綴具１０側に折り曲げて突出部３１３４を形成している。
【００７８】
前記実施の形態においては、第１の綴杆１２及び第２の綴杆１４を開くとき、第１の半割杆１２ａと第３の半割杆１４ａ及び第２の半割杆１２ｂと第４の半割杆１４ｂが、それぞれ反対側方向に移動するように構成されているが、第１の半割杆１２ａと第２の半割杆１２ｂのうち及び第３の半割杆１４ａと第４の半割杆１４ｂのうち一方のみが、移動するように構成してもよい。
例えば、綴杆移動規制部１１２２が当接する側である第２の半割杆１２ｂ及び第４の半割杆１４ｂ側とは反対側の第１の半割杆１２ａ及び第３の半割杆１４ａを移動しないように構成し、綴具１０を開閉するとき移動する第２の半割杆１２ｂ及び第４の半割杆１４ｂ側に綴杆移動規制部１１２２を設けるようにしてもよい。
第２の半割杆１２ｂ及び第４の半割杆１４ｂを移動しないようにする構造としては、例えば、第２の作動片３２を保持部材１６の内側面に係止させて、その移動を抑制する構造が考えられる。
【００７９】
開閉部材は、前記実施の形態の綴具においては、一対の作動片に対応して、１個が装填されていたが、合計２個の開閉部材を装填してもよい。
また、作動部材を構成する第１の作動片及び第２の作動片は、それぞれ一体成形されていたが、綴杆の数が増加（４穴、２０穴、２６穴、３０穴など）するに従って、第１の作動片及び第２の作動片をそれぞれ分割してもよい。
また、綴具１０の第１の綴杆１２と第２の綴杆１４とに跨る回転板Ｒ（図３２図示）を第１の綴杆１２及び第２の綴杆１４に第１の綴杆１２及び第２の綴杆１４の軸方向に回転自在に嵌挿して、被綴じ物Ｓを表紙１１１０の開閉に合わせて整列できるようにしてもよい。
もっとも、綴杆移動規制部１１２２と回転板Ｒとは互いに障害とならない構造を備える必要はある。
【００８０】
次に、本発明にかかる別の実施の形態である４穴真円型リング綴具を固定されたファイル・バインダ類について、図４１ないし図４６に基づいて説明する。
この実施の形態においては、前記綴杆移動規制部４１２２は、平面視略方形の合成樹脂シート製綴杆移動規制片４１３０からなる。綴杆移動規制片４１３０は、第１の綴杆５１２と、第２の綴杆５１３、第３の綴杆５１４及び第４の綴杆５１５に跨る長さを備え、第１の綴杆５１２、第２の綴杆５１３、第３の綴杆５１４及び第４の綴杆５１５側の長手端縁に、それと平行な長手端縁に向けて細長い切り込み４１３８Ａ，４１３８Ｂ，４１３８Ｃ及び４１３８Ｄを形成して、突出部４１３４（第１突出部４１３４Ａ，第２突出部４１３４Ｂ，第３突出部４１３４Ｃ，第４突出部４１３４Ｄ，第５突出部４１３４Ｅ）を形成されている。
【００８１】
綴具５１０は、一対のそれぞれ略円環状の金属製の第１の綴杆５１２、第２の綴杆５１３、第３の綴杆５１４および第４の綴杆５１５と、前記第１の綴杆５１２および第４の綴杆５１５をそれぞれ間隔をおいて設けることができる長さを備えた保持部材５１６と、その表面に第１の綴杆５１２および第４の綴杆５１５が間隔をおいてそれぞれの基部が固定され、第１の綴杆５１２第２の綴杆５１３、第３の綴杆５１４および第４の綴杆５１５が前記保持部材５１６に固定されるように保持部材５１６の内側に可動自在に固定された作動部材５１８とを備える。
【００８２】
綴杆は、４穴タイプのために、第１の綴杆５１２、第２の綴杆５１３、第３の綴杆５１４および第４の綴杆５１５の４個の綴杆からなる。第１の綴杆５１２は、第１の半割杆５１２ａおよび第２の半割杆５１２ｂを備え、第２の綴杆５１３は、第３の半割杆５１３ａおよび第４の半割杆５１３ｂを備え、第３の綴杆５１４は、第５の半割杆５１４ａおよび第６の半割杆５１４ｂを備え、第４の綴杆５１５は、第７の半割杆５１５ａおよび第８の半割杆５１５ｂを備える。
そして、用紙等の被綴じ物Ｓに予め穿設された綴じ孔に挿通して、用紙等の被綴じ物Ｓを綴じることができるように、第１の半割杆５１２ａおよび第２の半割杆５１２ｂの先端と、第３の半割杆５１３ａおよび第４の半割杆５１３ｂの先端と、第５の半割杆５１４ａおよび第６の半割杆５１４ｂの先端と、第７の半割杆５１５ａおよび第８の半割杆５１５ｂの先端とにおいて、すなわち第１の綴杆５１２、第２の綴杆５１３、第３の綴杆５１４および第４の綴杆５１５の頂部において、綴杆係止部５５０が形成されている。
第１の綴杆５１２を構成する第１の半割杆５１２ａと第２の半割杆５１２ｂとは、第１の半割杆５１２ａの綴杆係止部５５０と、第２の半割杆５１２ｂの綴杆係止部５５０とを係止することにより、環状に係合される。
また、第３の綴杆５１４を構成する第５の半割杆５１４ａと第６の半割杆５１４ｂとは、第５の半割杆５１４ａの綴杆係止部５５０と第６の半割杆５１４ｂの綴杆係止部５５０とを係止することにより、環状に係合される。
【００８３】
綴杆移動規制片４１３０は、表紙４１１０の開閉に対応して屈曲するように、表表紙４１１２及び裏表紙４１１４と背表紙４１１６との境界と平行な折り曲げ部４１３２を形成されている。
前記折り曲げ部４１３２より綴具５１０に近い方の領域は、前記第１の綴杆５１２、第２の綴杆５１３、第３の綴杆５１４及び第４の綴杆５１５が開かれるときに移動するように構成された第１の綴杆５１２、第２の綴杆５１３、第３の綴杆５１４及び第４の綴杆５１５を開くように移動する方向側の面において、表表紙４１１２及び／又は裏表紙４１１４が閉じられたとき、第１の綴杆５１２、第２の綴杆５１３、第３の綴杆５１４及び第４の綴杆５１５が閉じられた状態において第１の綴杆５１２、第２の綴杆５１３、第３の綴杆５１４及び第４の綴杆５１５と接し、且つ綴具の保持部材５１６の表面に近い位置において、第１の綴杆５１２、第２の綴杆５１３、第３の綴杆５１４及び第４の綴杆５１５の開く方向への移動を規制するように突き出し設けられる、第１突出部４１３４Ａ、第２突出部４１３４Ｂ、４１３４Ｃ及び４１３４Ｄを構成している。更に、第４の綴杆５１５の下方に位置する第５突出部４１３４Ｅが形成されている。
前記折り曲げ部４１３２より綴具５１０とは遠い領域は、表表紙４１１２及び／又は裏表紙４１１４の内面に固着される固着部４１３６を構成している。
【００８４】
そして、前記綴杆移動規制部４１３２は、表紙４１１０が開閉されたとき、綴具５１０の保持部材５１６より第１の綴杆５１２、第２の綴杆５１３、第３の綴杆５１４及び第４の綴杆５１５の頂部側であって第１の綴杆５１２、第２の綴杆５１３、第３の綴杆５１４及び第４の綴杆５１５の頂部に向けて綴具５１０に綴じられた被綴じ物Ｓの綴じ代側Ｓ１を押し上げないように、回動自在に表紙４１１０に設けられている。
第１突出部４１３４Ａは、その下端縁において第１の綴杆５１２の第２の半割杆５１２ｂの上端縁と接し、第１の綴杆５１２の移動を規制する。
第２突出部４１３４Ｂは、その下端縁において第２の綴杆５１３の第４の半割杆５１３ｂの上端縁と接し、第２の綴杆５１３の移動を規制する。
第３突出部４１３４Ｃは、その下端縁において第３の綴杆５１４の第６の半割杆５１４ｂの上端縁と接し、第３の綴杆５１４の移動を規制する。
第４突出部４１３４Ｄは、その下端縁において第４の綴杆５１５の第８の半割杆５１５ｂの上端縁と接し、第４の綴杆５１５の移動を規制する。
綴杆移動規制部４１２２は、表表紙４１１２を開いたとき、表表紙４１１２と平行移動する。
【００８５】
この実施の形態においては、綴杆移動規制片４１３０の第１突出部４１３４Ａ、第２突出部４１３４Ｂ、第３突出部４１３４Ｃ及び第４突出部４１３４Ｄは、表紙４１１０の幅方向において第１の綴杆５１２の第２の半割杆５１２ｂ、第２の綴杆５１３の第４の半割杆５１３ｂ、第３の綴杆５１４の第６の半割杆５１４ｂ及び第４の綴杆５１５の第８の半割杆５１５ｂの中間に至る高さを備えており、表表紙４１１２が開かれて綴杆移動規制部４１２２が表紙４１１０の幅方向において後退して綴具５１０より離れるときにおいても最も高い中央部分は綴具５１０の第１の綴杆５１２の第２の半割杆５１２ｂ、第２の綴杆５１３の第４の半割杆５１３ｂ、第３の綴杆５１４の第６の半割杆５１４ｂ及び第４の綴杆５１５の第８の半割杆５１５ｂの環状内にとどまる。そして、少なくとも第１の綴杆５１２の第２の半割杆５１２ｂ、第２の綴杆５１３の第４の半割杆５１３ｂ、第３の綴杆５１４の第６の半割杆５１４ｂ及び第４の綴杆５１５の第８の半割杆５１５ｂに近い領域は、徐々にその高さが低くなる円弧状に形成されており、第１の綴杆５１２の第２の半割杆５１２ｂ、第２の綴杆５１３の第４の半割杆５１３ｂ、第３の綴杆５１４の第６の半割杆５１４ｂ及び第４の綴杆５１５の第８の半割杆５１５ｂの上方向すなわち綴杆移動規制部４１２２の突出部４１３４側に移動できる間隔を形成できるように構成されている。
【００８６】
この実施の形態の綴具５１０は、前記実施の形態の綴具１０と略同様の構成であるが、主として、綴杆の数が増加したことに伴う、保持部材の構成、作動部材の構成および開閉部材の構成が異なるので、それらを中心に以下説明する。
【００８７】
保持部材５１６は、第１の綴杆５１２、第２の綴杆５１３、第３の綴杆５１４および第４の綴杆５１５を所定の間隔をおいて設けることができる長さを備える平面略長方形で、その両端、すなわち表紙Ａに取り付ける取付孔５２０近傍においては、平面略半円弧状に形成されている。
保持部材５１６は、被綴じ物載置部５２２の内側には保持空間を備え、その空間に作動部材５１８等を収容するように構成されている。
保持部材５１６の被綴じ物載置部５２２の両端には、その長手方向に略々その一端から他端に亘って、作動部材５１８を摺動自在に保持する保持壁５２４が設けられている。この実施の形態においては、保持部材５１６の長手方向において、第１の綴杆５１２、第２の綴杆５１３、第３の綴杆５１４および第４の綴杆５１５のそれぞれの外側近傍より内部に亘って略全体において垂下されるように、第１の保持壁５２４ａおよび第２の保持壁５２４ｂが連設され、第１の保持壁５２４ａと第２の保持壁５２４ｂとは平行で略同一の形状の板状である。そして、この第１の保持壁５２４ａおよび第２の保持壁５２４ｂと被綴じ物載置部５２２によって囲繞された保持空間内に、後に詳しく説明する作動部材５１８等が収容される。
【００８８】
保持部材５１６の被綴じ物載置部５２２には、第１の綴杆５１２と第２の綴杆５１３とを、一定の間隔（日本工業規格等で決められている一定の長さ）をおいて遊貫するための、第１の貫通孔５２６と第２の貫通孔５２７がそれぞれ穿設されるとともに、第３の綴杆５１４と第４の綴杆５１５とを、一定の間隔（日本工業規格等で決められている一定の長さ）をおいて遊貫するための、第３の貫通孔５２８及び第４の貫通孔５２９がそれぞれ穿設されている。
第１の貫通孔５２６及び第２の貫通孔５２７と第３の貫通孔５２８及び第４の貫通孔５２９とは、それぞれの綴杆を構成する半割杆に対応して、保持部材５１６の幅方向において左右に分かれて一定の間隔をおいて、２つずつ穿設されている。
【００８９】
作動部材５１８を構成する作動片は、前記実施の形態の綴具の作動片とは異なり長く形成された、左右一対の作動片５３０及び作動片５３２を有する。
第１の作動片５３０は、前記第１の半割杆５１２ａ、第３の半割杆５１３ａ、第５の半割杆５１４ａ及び第７の半割杆５１５ａの基部が固定されている。
第２の作動片５３２は、第２の半割杆５１２ｂ、第４の半割杆５１３ｂ、第６の半割杆５１４ｂ及び第８の半割杆５１５ｂの基部が固定されている。
【００９０】
第１の作動片５３０及び第２の作動片５３２は、開閉部材収容部５３６Ａと開閉部材収容部５３６Ｂが形成され、且つ開閉部材収容部５３６Ａの表面（下面）に形成された二対の開閉部材固定部５３８ａ1と開閉部材固定部５３８ａ2及び開閉部材収容部５３６Ｂの表面（下面）に形成された開閉部材固定部５３８ｂ1と開閉部材固定部５３８ｂ2の外側近傍において、第１の作動片５３０及び第２の作動片５３２の長手方向への移動を規制する移動規制部が、２つ形成されている。
そして、開閉部材５４０は、開閉部材収容部５３６Ａの中に装填され、第１の作動片５３０の開閉部材固定部５３８ａ1と第２の作動片５３２の開閉部材固定部５３８ｂ1とに跨って突き合わせ縁５３０ａ及び突き合わせ縁５３２ａと斜交するように固定され、開閉部材５４２は、開閉部材収容部５３６Ｂの中に装填され、第１の作動片５３０の開閉部材固定部５３８ａ2と第２の作動片５３２の開閉部材固定部５３８ｂ2とに跨って突き合わせ縁５３０ａ及び突き合わせ縁５３２ａと斜交するように固定される。
開閉部材５４０の固定先端部５４０ａは第１の作動片５３０の開閉部材固定部５３８ａ1に、固定先端部５４０ｂは第２の作動片５３２の開閉部材固定部５３８ｂ1にそれぞれ固定され、開閉部材５４２の固定先端部５４２ａは第１の作動片５３０の開閉部材固定部５３８ａ2に、固定先端部５４２ｂは第２の作動片５３２の開閉部材固定部５３８ｂ2にそれぞれ固定される。
【００９１】
前記第１の作動片５３０は、前記突き合わせ縁５３０ａとは離れた位置で、間隔をおいて設けられた第１の綴杆５１２の基部と第５の綴杆５１５の基部とを結ぶ方向（図４４図示Ｘ1及びＸ2方向）に近い方向にのびる突条５３０ｈが形成されている。この実施の形態においては、第１の綴杆５１２の基部と第５の綴杆５１５の基部とを結ぶ方向と平行で第１の作動片５３０の長さ方向にのびる。
前記突条５３０ｈは、間隔をおいて設けられた第１の綴杆５１２の基部と第５の綴杆５１５の基部の間で、外側端縁５３０ｂにおいて、突出部５３０ｃ3の近傍を除いて連続して、第１の綴杆５１２及び第５の綴杆５１５が突出する方向とは反対側に向けて突設されている。
前記突条５３０ｈは、第１の作動片５３０を構成する平板状の金属製板体を断面Ｌ字形に折り曲げて形成されている。
また、前記第２の作動片５３２は、前記突き合わせ縁５３２ａとは離れた位置で、間隔をおいて設けられた第１の綴杆５１２の基部と第５の綴杆５１５の基部とを結ぶ方向（図４４図示Ｘ1及びＸ2方向）に近い方向にのびる突条５３２ｈが形成されている。この実施の形態においては、第１の綴杆５１２の基部と第５の綴杆５１５の基部とを結ぶ方向と平行で第２の作動片５３２の長さ方向にのびる。
前記突条５３２ｈは、間隔をおいて設けられた第１の綴杆５１２の基部と第５の綴杆５１５の基部の間で、外側端縁５３２ｂにおいて、突出部５３０ｃ3の近傍を除いて連続して、第１の綴杆５１２及び第５の綴杆５１５が突出する方向とは反対側に向けて突設されている。
前記突条５３２ｈは、第２の作動片５３２を構成する平板状の金属製板体を断面Ｌ字形に折り曲げて形成されている。
したがって、第１の作動片５３０及び第２の作動片５３２は、第１の綴杆５１２の基部と第５の綴杆５１５の基部間におけるしなりが、突条５３０ｈ及び突条５３２ｈにより防止される。
【００９２】
第１の作動片５３０は、基部で固定された第１の半割杆５１２ａ及び第７の半割杆５１５ａの基部の近傍と中央の突出部５３０ｃ3の近傍とに、第１の作動片５３０を補強してしなりを少なくするために、ビード５３４ａ、ビード５３４ｂ及びビード５３４ｅが上面に向けて突設されている。
第２の作動片５３２は、基部で固定された第２の半割杆５１２ｂ及び第８の半割杆５１５ｂの基部の近傍と中央の突出部５３２ｃ3の近傍とに、第２の作動片５３２を補強してしなりを少なくするために、ビード５３４ｃ、ビード５３４ｄ及びビード５３４ｆが上面に向けて突設されている。
【００９３】
ビード５３４ａは、第１の半割杆５１２ａの基部と突出部５３０ｃ1との間において第１の作動片５３０の長手方向にのびる第１直線部５３４ａ１と、突条５３０ｈの内側（第１の作動片５３０の幅方向における略々中央において）で第１の半割杆５１２ａの基部の近傍から第１の作動片５３０の長手方向にのびる第２直線部５３４ａ2と、第１直線部５３４ａ１の内側端と第２直線部５３４ａ２の外側端との間を結ぶ斜線部５３４ａ3とを備え、第１の作動片５３０の下面から上面に向けて一定幅を有する直線状凸部を突設してなる。
ビード５３４ｂは、第７の半割杆５１５ａの基部と突出部５３０ｃ2との間において第１の作動片５３０の長手方向にのびる第１直線部５３４ｂ１と、突条５３０ｈの内側（第１の作動片５３０の幅方向における略々中央において）で第３の半割杆５１４ａの基部の近傍から第１の作動片５３０の長手方向にのびる第２直線部５３４ｂ2と、第１直線部５３４ｂ１の内側端と第２直線部５３４ｂ２の外側端との間を結ぶ斜線部５３４ｂ3とを備え、第１の作動片５３０の下面から上面に向けて一定幅を有する直線状凸部を突設してなる。
ビード５３４ｃは、第２の半割杆５１２ｂの基部と突出部５３２ｃ1との間において第２の作動片５３２の長手方向にのびる第１直線部５３４ｃ１と、突条５３２ｈの内側（第２の作動片５３２の幅方向における略々中央において）で第２の半割杆５１２ｂの基部の近傍から第２の作動片５３２の長手方向にのびる第２直線部５３４ｃ2と、第１直線部５３４ｃ1の内側端と第２直線部５３４ｃ2の外側端との間を結ぶ斜線部５３４ｃ3とを備え、第２の作動片５３２の下面から上面に向けて一定幅を有する直線状凸部を突設してなる。
ビード５３４ｄは、第８の半割杆５１５ｂの基部と突出部５３２ｃ2との間において第２の作動片５３２の長手方向にのびる第１直線部５３４ｄ１と、突条５３２ｈの内側（第２作動片５３２の幅方向における略々中央において）で第３の半割杆５１４ｂの基部の近傍から第２の作動片５３２の長手方向にのびる第２直線部５３４ｄ2と、第１直線部５３４ｄ１の内側端と第２直線部５３４ｄ２の外側端との間を結ぶ斜線部５３４ｄ3とを備え、第２の作動片５３２の下面から上面に向けて一定幅を有する直線状凸部を突設してなる。
ビード５３４ｅは、直線状であり、突出部５３０ｃ3の近傍において、上下に分断された突条５３０ｈと突条５３０ｈとの間に跨って形成されている。
ビード５３４ｆは、直線状であり、突出部５３２ｃ3の近傍において、上下に分断された突条５３２ｈと５３２ｈとの間に跨って形成されている。
【００９４】
開閉部材は、前記実施の形態の綴具においては、一対の作動片に対応して、１個が装填されていたが、この実施の形態の綴具においては、一対の作動片５３０及び作動片５３２の長さに対応して、上下に１個ずつ、合計２個の開閉部材５４０及び開閉部材５４１が装填されている。
【００９５】
突出部５３０ｃ1は第１保持部５６０により、突出部５３０ｃ2は第１保持部５６２により、突出部５３２ｃ1は第２保持部５６４により、突出部５３２ｃ2は第２保持部５６６により、それぞれ保持される。
また、突出部５３０ｃ3は第３保持部５６１により、突出部５３２ｃ3は第３保持部５６５により、それぞれ保持される。
【００９６】
次に、本発明にかかる別の実施の形態である３穴真円型リング綴具について、図４７ないし図５０に基づいて説明する。
この実施の形態においては、前記綴杆移動規制部５１２２は、平面視略方形の合成樹脂シート製綴杆移動規制片５１３０からなる。綴杆移動規制片５１３０は、第１の綴杆６１２と、第２の綴杆６１３及び第３の綴杆６１４とに跨る長さを備え、第１の綴杆６１２、第２の綴杆６１３及び第３の綴杆６１４側の長手端縁に、それと平行な長手端縁に向けて細長い切り込み５１３８Ａ，５１３８Ｂ及び５１３８Ｃを形成して、突出部５１３４（第１突出部５１３４Ａ，第２突出部５１３４Ｂ，第３突出部５１３４Ｃ，第４突出部５１３４Ｄ）を形成されている。
【００９７】
綴具６１０は、一対のそれぞれ略円環状の金属製の第１の綴杆６１２、第２の綴杆６１３及び第３の綴杆６１４と、前記第１の綴杆６１２ないし第３の綴杆６１４をそれぞれ間隔をおいて設けることができる長さを備えた保持部材６１６と、その表面に第１の綴杆６１２ないし第３の綴杆６１４が間隔をおいてそれぞれの基部が固定され、第１の綴杆６１２、第２の綴杆６１３及び第３の綴杆６１４が前記保持部材６１６に固定されるように保持部材６１６の内側に可動自在に固定された作動部材６１８とを備える。
【００９８】
綴杆は、３穴タイプのために、第１の綴杆６１２、第２の綴杆６１３及び第３の綴杆６１４の３個の綴杆からなる。第１の綴杆６１２は、第１の半割杆６１２ａおよび第２の半割杆６１２ｂを備え、第２の綴杆６１３は、第３の半割杆６１３ａおよび第４の半割杆６１３ｂを備え、第３の綴杆６１４は、第５の半割杆６１４ａおよび第６の半割杆６１４ｂを備える。
そして、用紙等の被綴じ物Ｓに予め穿設された綴じ孔に挿通して、用紙等の被綴じ物Ｓを綴じることができるように、第１の半割杆６１２ａおよび第２の半割杆６１２ｂの先端と、第３の半割杆６１３ａおよび第４の半割杆６１３ｂの先端と、第５の半割杆６１４ａと第６の半割杆６１４ｂの先端とにおいて、すなわち第１の綴杆６１２、第２の綴杆６１３および第３の綴杆６１４の頂部において、綴杆係止部６５０が形成されている。
【００９９】
綴杆移動規制片５１３０は、表紙５１１０の開閉に対応して屈曲するように、表表紙５１１２及び裏表紙５１１４と背表紙５１１６との境界と平行な折り曲げ部５１３２を形成されている。
前記折り曲げ部５１３２より綴具６１０に近い方の領域は、前記第１の綴杆６１２、第２の綴杆６１３及び第３の綴杆６１４が開かれるときに移動するように構成された第１の綴杆６１２、第２の綴杆６１３及び第３の綴杆６１４を開くように移動する方向側の面において、表表紙５１１２及び／又は裏表紙５１１４が閉じられたとき、第１の綴杆６１２、第２の綴杆６１３及び第３の綴杆６１４が閉じられた状態において第１の綴杆６１２、第２の綴杆６１３及び第３の綴杆６１４と接し、且つ綴具の保持部材６１６の表面に近い位置において、第１の綴杆６１２、第２の綴杆６１３及び第３の綴杆６１４の開く方向への移動を規制するように突き出し設けられる、第１突出部５１３４Ａ、第２突出部５１３４Ｂ及び５１３４Ｃを構成している。更に、第３の綴杆６１４の下方に位置する第４突出部５１３４Ｄが形成されている。
前記折り曲げ部５１３２より綴具６１０とは遠い領域は、表表紙５１１２及び／又は裏表紙５１１４の内面に固着される固着部５１３６を構成している。
【０１００】
そして、前記綴杆移動規制部５１２２は、表紙５１１０が開閉されたとき、綴具６１０の保持部材６１６より第１の綴杆６１２、第２の綴杆６１３及び第３の綴杆６１４の頂部側であって第１の綴杆６１２、第２の綴杆６１３及び第３の綴杆６１４の頂部に向けて綴具６１０に綴じられた被綴じ物Ｓの綴じ代側Ｓ１を押し上げないように、回動自在に表紙５１１０に設けられている。
第１突出部５１３４Ａは、その下端縁において第１の綴杆６１２の第２の半割杆６１２ｂの上端縁と接し、第１の綴杆６１２の移動を規制する。
第２突出部５１３４Ｂは、その下端縁において、第２の綴杆６１３の第４の半割杆６１３ｂの上端縁と接し、第２の綴杆６１３の移動を規制する。
第３突出部５１３４Ｃは、その下端縁において第３の綴杆６１４の第６の半割杆６１４ｂの上端縁と接し、第３の綴杆６１４の移動を規制する。
綴杆移動規制部５１２２は、表表紙５１１２を開いたとき、表表紙５１１２と平行移動する。
【０１０１】
この実施の形態においては、綴杆移動規制片５１３０の第１突出部５１３４Ａ、第２突出部５１３４Ｂ及び第３突出部５１３４Ｃは、表紙５１１０の幅方向において第１の綴杆６１２の第２の半割杆６１２ｂ、第２の綴杆６１３の第４の半割杆６１３ｂ及び第３の綴杆６１４の第６の半割杆６１４ｂの中間に至る高さを備えており、表表紙５１１２が開かれて綴杆移動規制部５１２２が表紙５１１０の幅方向において後退して綴具６１０より離れるときにおいても最も高い中央部分は綴具６１０の第１の綴杆６１２の第２の半割杆６１２ｂ、第２の綴杆６１３の第４の半割杆６１３ｂ及び第３の綴杆６１４の第６の半割杆６１４ｂの環状内にとどまる。そして、少なくとも第１の綴杆６１２の第２の半割杆６１２ｂ、第２の綴杆６１３の第４の半割杆６１３ｂ及び第３の綴杆６１４の第６の半割杆６１４ｂに近い領域は、徐々にその高さが低くなる円弧状に形成されており、第１の綴杆６１２の第２の半割杆６１２ｂ、第２の綴杆６１３の第４の半割杆６１３ｂ及び第３の綴杆６１４の第６の半割杆６１４ｂの上方向すなわち綴杆移動規制部５１２２の突出部５１３４側に移動できる間隔を形成できるように構成されている。
【０１０２】
この実施の形態の綴具６１０は、前記実施の形態の綴具２１０と略同様の構成であるが、主として、綴杆の数が増加したことに伴う、保持部材の構成、作動部材の構成および開閉部材の構成が異なるので、それらを中心に以下説明する。
【０１０３】
前記綴杆を構成する第１の綴杆６１２、第２の綴杆６１３及び第３の綴杆６１４は、断面円形状金属製線材を、綴杆係止部６５０を外す方向（図４９のＯ1及びＯ2の方向）にのばし、且つ中央部分を押さえることによって綴杆を閉じる方向に対してわん曲させて形成されている。そして、第１の綴杆６１２、第２の綴杆６１３及び第３の綴杆６１４は、中央が綴杆を開く方向（第１の半割杆６１２ａ、第３の半割杆６１３ａ及び第５の半割杆６１４ａは、図４９のＯ3方向、第２の半割杆６１２ｂ、第４の半割杆６１３ｂ、第６の半割杆６１４ｂは、図４９のＯ4方向）に膨み且つ両端が綴杆を閉じる方向にわん曲した断面略空豆（ビーンズ）型の形状に形成されている。
すなわち、環状の第１の綴杆６１２、第２の綴杆６１３及び第３の綴杆６１４を開閉方向に見て、第１の綴杆６１２、第２の綴杆６１３及び第３の綴杆６１４の内側は波状起伏面が形成され、第１の綴杆６１２、第２の綴杆６１３及び第３の綴杆６１４の外側は半円弧状に形成されている。そして、第１の綴杆６１２、第２の綴杆６１３及び第３の綴杆６１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙等の被綴じ物Ｓにあける綴じ穴には丸穴が多いので、用紙等の被綴じ物Ｓの綴じ穴に対応しにくく、用紙等の被綴じ物Ｓの綴じ穴を傷つけるおそれがある。
ところが、綴杆を構成する第１の綴杆６１２、第２の綴杆６１３及び第３の綴杆６１４は、細いならば綴杆係止部６５０の嵌合がうまくゆかないときがある。
そのために、第１の綴杆６１２、第２の綴杆６１３及び第３の綴杆６１４の幅を広げたいが、元の線材として断面積の小さいものを使用しても、元の金属製線材を加工することにより綴杆としては必要な幅が確保されるようにしたい。
そこで、本発明にかかる綴杆は、それを形成する線材の中央部分を押さえて線材を空豆（ビーンズ）型につぶすことにより全体としての幅を広げ、すなわち、綴杆の全体の幅を綴杆係止部６５０を外す方向に広げて、綴杆係止部６５０の嵌合を完全にできるように形成している。
【０１０４】
保持部材６１６は、第１の綴杆６１２、第２の綴杆６１３及び第３の綴杆６１４を所定の間隔をおいて設けることができる長さを備える平面略長方形で、その両端、すなわち表紙Ａに取り付ける取付孔６２０近傍においては、平面略半円弧状に形成されている。
保持部材６１６は、被綴じ物載置部６２２の内側には保持空間を備え、その空間に作動部材６１８等を収容するように構成されている。
保持部材６１６の被綴じ物載置部６２２の両端には、その長手方向に略々その一端から他端に亘って、作動部材６１８を摺動自在に保持する保持壁６２４が設けられている。この実施の形態においては、保持部材６１６の長手方向において、第１の綴杆６１２、第２の綴杆６１３及び第３の綴杆６１４のそれぞれの外側近傍より内部に亘って略全体において垂下されるように、第１の保持壁６２４ａおよび第２の保持壁６２４ｂが連設され、第１の保持壁６２４ａと第２の保持壁６２４ｂとは平行で略同一の形状の板状である。そして、この第１の保持壁６２４ａおよび第２の保持壁６２４ｂと被綴じ物載置部６２２によって囲繞された保持空間内に、後に詳しく説明する作動部材６１８等が収容される。
【０１０５】
保持部材６１６の被綴じ物載置部６２２には、第１の綴杆６１２と第２の綴杆６１３とに、第３の綴杆６１４とを、一定の間隔（日本工業規格等で決められている一定の長さ）をおいて遊貫するための、第１の貫通孔６２６、第２の貫通孔６２７及び第３の貫通孔６２８がそれぞれ穿設されている。
第１の貫通孔６２６と第２の貫通孔６２７と第３の貫通孔６２８とは、それぞれの綴杆を構成する半割杆に対応して、保持部材６１６の幅方向において左右に分かれて一定の間隔をおいて、２つずつ穿設されている。
【０１０６】
作動部材６１８を構成する作動片は、前記実施の形態の綴具１０の作動片と同様に、左右一対の作動片を有する。
前記第１の半割杆６１２ａ、第３の半割杆６１３ａ及び第５の半割杆６１４ａの基部が固定された第１の作動片６３０と第２の半割杆６１２ｂ、第４の半割杆６１３ｂ及び第６の半割杆６１４ｂの基部が固定された第２の作動片６３２とは、前記実施の形態の第１の作動片５３０および第２の作動片５３２と略同一に形成されている。
【０１０７】
第１の作動片６３０及び第２の作動片６３２は、二対の開閉部材収容部６３６Ａと開閉部材収容部６３６Ｂが形成され、且つ開閉部材収容部６３６Ａの表面（下面）に形成された二対の開閉部材固定部６３８ａ1と開閉部材固定部６３８ａ2及び開閉部材収容部６３６Ｂの表面（下面）に形成された開閉部材固定部６３８ｂ1と開閉部材固定部６３８ｂ2の外側近傍において、第１の作動片６３０及び第２の作動片６３２の長手方向への移動を規制する移動規制部が、２つ形成されている。
そして、開閉部材６４０は、開閉部材収容部６３６Ａの中に装填され、第１の作動片６３０の開閉部材固定部６３８ａ1と第２の作動片６３２の開閉部材固定部６３８ｂ1とに跨って突き合わせ縁６３０ａ及び突き合わせ縁６３２ａと斜めに交差するように架け渡され、すなわち斜交するように固定され、開閉部材６４２は、開閉部材収容部６３６Ｂの中に装填され、第１の作動片６３０の開閉部材固定部６３８ａ2と第２の作動片６３２の開閉部材固定部６３８ｂ2とに跨って突き合わせ縁６３０ａ及び突き合わせ縁６３２ａと斜めに交差するように架け渡され、すなわち斜交するように固定される。
開閉部材６４０の固定先端部６４０ａは第１の作動片６３０の開閉部材固定部６３８ａ1に、固定先端部６４０ｂは第２の作動片６３２の開閉部材固定部６３８ｂ1にそれぞれ固定され、開閉部材６４２の固定先端部６４２ａは第１の作動片６３０の開閉部材固定部６３８ａ2に、固定先端部６４２ｂは第２の作動片６３２の開閉部材固定部６３８ｂ2にそれぞれ固定される。
【０１０８】
前記第１の作動片６３０は、前記突き合わせ縁６３０ａとは離れた位置で、間隔をおいて設けられた第１の綴杆６１２の基部と第３の綴杆６１４の基部とを結ぶ方向（図５０図示Ｘ1及びＸ2方向）に近い方向にのびる突条６３０ｈが形成されている。この実施の形態においては、第１の綴杆６１２の基部と第３の綴杆６１４の基部とを結ぶ方向と平行で第１の作動片６３０の長さ方向にのびる。
前記突条６３０ｈは、間隔をおいて設けられた第１の綴杆６１２の基部と第３の綴杆６１４の基部の間で、外側端縁６３０ｂにおいて、突出部６３０ｃ3の近傍を除いて連続して、第１の綴杆６１２及び第３の綴杆６１４が突出する方向とは反対側に向けて突設されている。
前記突条６３０ｈは、第１の作動片６３０を構成する平板状の金属製板体を断面Ｌ字形に折り曲げて形成されている。
また、前記第２の作動片６３２は、前記突き合わせ縁６３２ａとは離れた位置で、間隔をおいて設けられた第１の綴杆６１２の基部と第３の綴杆６１４の基部とを結ぶ方向（図５０図示Ｘ1及びＸ2方向）に近い方向にのびる突条６３２ｈが形成されている。この実施の形態においては、第１の綴杆６１２の基部と第３の綴杆６１４の基部とを結ぶ方向と平行で第２の作動片６３２の長さ方向にのびる。
前記突条６３２ｈは、間隔をおいて設けられた第１の綴杆６１２の基部と第３の綴杆６１４の基部の間で、外側端縁６３２ｂにおいて、突出部６３２ｃ3の近傍を除いて連続して、第１の綴杆６１２及び第３の綴杆６１４が突出する方向とは反対側に向けて突設されている。
前記突条６３２ｈは、第２の作動片６３２を構成する平板状の金属製板体を断面Ｌ字形に折り曲げて形成されている。
したがって、第１の作動片６３０及び第２の作動片６３２は、第１の綴杆６１２の基部と第３の綴杆６１４の基部間におけるしなりが、突条６３０ｈ及び突条６３２ｈにより防止される。
【０１０９】
第１の作動片６３０は、基部で固定された第１の半割杆６１２ａ、第３の半割杆６１３ａ及び第５の半割杆６１４ａの基部の近傍に、第１の作動片６３０を補強してしなりを少なくするために、ビード６３４ａ、ビード６３４ｂ及びビード６３４ｅが上面に向けて突設されている。
第２の作動片６３２は、基部で固定された第２の半割杆６１２ｂ、第４の半割杆６１３ｂ及び第６の半割杆６１４ｂの基部の近傍に、第２の作動片６３２を補強してしなりを少なくするために、ビード６３４ｃ、ビード６３４ｄ及びビード６３４ｆが上面に向けて突設されている。
【０１１０】
ビード６３４ａは、第１の半割杆６１２ａの基部と突出部６３０ｃ1との間において第１の作動片６３０の長手方向にのびる第１直線部６３４ａ１と、突条６３０ｈの内側（第１の作動片６３０の幅方向における略々中央において）で第１の半割杆６１２ａの基部の近傍から第１の作動片６３０の長手方向にのびる第２直線部６３４ａ2と、第１直線部６３４ａ１の内側端と第２直線部６３４ａ２の外側端との間を結ぶ斜線部６３４ａ3とを備え、第１の作動片６３０の下面から上面に向けて一定幅を有する直線状凸部を突設してなる。
ビード６３４ｂは、第５の半割杆６１４ａの基部と突出部６３０ｃ2との間において第１の作動片６３０の長手方向にのびる第１直線部６３４ｂ１と、突条６３０ｈの内側（第１の作動片６３０の幅方向における略々中央において）で第５の半割杆６１４ａの基部の近傍から第１の作動片６３０の長手方向にのびる第２直線部６３４ｂ2と、第１直線部６３４ｂ１の内側端と第２直線部６３４ｂ２の外側端との間を結ぶ斜線部６３４ｂ3とを備え、第１の作動片６３０の下面から上面に向けて一定幅を有する直線状凸部を突設してなる。
ビード６３４ｃは、第２の半割杆６１２ｂの基部と突出部６３２ｃ1との間において第２の作動片６３２の長手方向にのびる第１直線部６３４ｃ１と、突条６３２ｈの内側（第２の作動片６３２の幅方向における略々中央において）で第２の半割杆６１２ｂの基部の近傍から第２の作動片６３２の長手方向にのびる第２直線部６３４ｃ2と、第１直線部６３４ｃ1の内側端と第２直線部６３４ｃ2の外側端との間を結ぶ斜線部６３４ｃ3とを備え、第２の作動片６３２の下面から上面に向けて一定幅を有する直線状凸部を突設してなる。
ビード６３４ｄは、第６の半割杆６１４ｂの基部と突出部６３２ｃ2との間において第２の作動片６３２の長手方向にのびる第１直線部６３４ｄ１と、突条６３２ｈの内側（第２の作動片６３２の幅方向における略々中央において）で第６の半割杆６１４ｂの基部の近傍から第２の作動片６３２の長手方向にのびる第２直線部６３４ｄ2と、第１直線部６３４ｄ１の内側端と第２直線部６３４ｄ2の外側端との間を結ぶ斜線部６３４ｄ3とを備え、第２の作動片６３２の下面から上面に向けて一定幅を有する直線状凸部を突設してなる。
ビード６３４ｅは、第３の半割杆６１３ａの基部と突出部６３０ｃ3の間において、上下に分断された突条６３０ｈと突条６３０ｈとの間に跨って形成されている。
ビード６３４ｅは、第３の半割杆６１３ａの基部と突出部６３０ｃ3との間において第１の作動片６３０の長手方向にのびる第１直線部６３４ｅ１と、突条６３０ｈの内側で第５の半割杆６１３ａの基部の近傍から第１の作動片６３０の長手方向にのびる第２直線部６３４ｅ2と、第１直線部６３４ｅ１と第２直線部６３４ｅ２との間を結ぶ斜線部６３４ｅ3とを備え、第１の作動片６３０の下面から上面に向けて一定幅を有する直線状凸部を突設してなる。
ビード６３４ｆは、第４の半割杆６１３ｂの基部と突出部６３２ｃ3の間において、上下に分断された突条６３２ｈと突条６３２ｈとの間に跨って形成されている。
ビード６３４ｆは、第４の半割杆６１３ｂの基部と突出部６３２ｃ3との間において第２の作動片６３２の長手方向にのびる第１直線部６３４ｆ１と、突条６３２ｈの内側で第３の半割杆６１３ｂの基部の近傍から第２の作動片６３２の長手方向にのびる第２直線部６３４ｆ2と、第１直線部６３４ｆ１と第２直線部６３４ｆ２との間を結ぶ斜線部６３４ｆ3とを備え、第２の作動片６３２の下面から上面に向けて一定幅を有する直線状凸部を突設してなる。
【０１１１】
開閉部材は、前記実施の形態の綴具においては、一対の作動片に対応して、１個が装填されていたが、この実施の形態の綴具においては、一対の作動片に、２個の開閉部材６４０及び開閉部材６４１を装填されている。また、合計２個の開閉部材６４０及び６４１のうち一方のみを装填してもよい。
【０１１２】
突出部６３０ｃ1は第１保持部６６０により、突出部６３０ｃ2は第１保持部６６２により、突６３２ｃ1は第２保持部６６４により、突出部６３２ｃ2は第２保持部６６６により、それぞれ保持される。
また、突出部６３０ｃ3は第３保持部６６１により、突出部６３２ｃ3は第３保持部６６５により、それぞれ保持される。
【０１１３】
前記実施の形態によれば、一対の作動片には、保持部材に形成された貫通孔に通される突出部が形成されているので、作動片に綴杆の基部を例えばカシメ止めをしても作動片にかかるストレスを少なくするために面積を大きくすることができる。そのために、作動片全体の強度を増すことができる。
また、作動片の突出部を通す貫通孔と綴杆を通す貫通孔を共通にすることができるために、保持部材の構造を簡略化して製造コストの引き下げを図ることができる。
【０１１４】
開閉部材４０と開閉部材固定部３８ａ及び開閉部材固定部３８ｂとは、次のように変更してもよい。
図５３ないし図５５は、図１図示綴具１０の変形例を示す図である。
図５３ないし図５５に示すように、開閉部材固定部７３８ａ及び開閉部材固定部７３８ｂは、突き合わせ縁３０ａ及び突き合わせ縁３２ａの長手方向における中央Ｃ（図５３図示）と開閉部材固定部７３８ａ及び開閉部材固定部７３８ｂとを結ぶ線Ｘ３（図５３図示）に沿って、開閉部材７４０が突き合わせ縁３０ａ及び突き合わせ縁３０ａと斜めに交差して架け渡されるように形成してもよい。
すなわち、開閉部材７４０の開閉部材固定部７３８ａは、突き合わせ縁３０ａの長手方向における中央Ｃ（図５３図示）と開閉部材固定部７３８ａを結ぶ線Ｘ３（図５３図示）に沿って、開閉部材７４０が架け渡されるように形成してもよい。
開閉部材７４０の開閉部材固定部７３８ｂは、突き合わせ縁３２ａの長手方向における中央Ｃ（図５３図示）と開閉部材固定部７３８ｂとを結ぶ線Ｘ３（図５３図示）に沿って、開閉部材７４０が架け渡されるように形成してもよい。
開閉部材固定部７３８ａの係止基部７３８ａ1及び開閉部材固定部７３８ｂの係止基部７３８ｂ1が前記線Ｘ３に直交し、開閉部材固定部７３８ａの係止基部７３８ａ1及び開閉部材固定部７３８ｂの係止基部７３８ｂ1の先端（下端）に、それぞれ開閉部材７４０とは反対側に向けて前記線Ｘ３（図５３図示）に沿ってのびる係止外れ止め部７３８ａ2（開閉部材固定部７３８ａの）及び係止外れ止め部７３８ｂ2（開閉部材固定部７３８ｂの）が形成された、側面略Ｌ字型に形成されている。開閉部材固定部７３８ａと開閉部材固定部７３８ｂとは、突き合わせ縁３０ａ及び突き合わせ縁３２ａの長手方向における中央Ｃ（図５３図示）を中心とした点対称形に形成されている。
また、開閉部材４０の一方の固定先端部４２ａ及び開閉部材４０の他方の固定先端部４２ｂは、図５３に示すように、開閉部材７４０の一方の固定先端部７４２ａ及び開閉部材７４０の他方の固定先端部７４２ｂのようにその大きさや形状を変更してもよく、また、規制腕部４６ａ及び規制腕部４６ｂは、図５３に示すように、開閉部材７４０の規制腕部７４６ａ及び開閉部材７４０の規制腕部７４６ｂのようにその長さを変えたり、規制腕部４６ａ及び規制腕部４６ｂのうち一方を無くしてもよい。
【０１１５】
この発明にかかる別の実施の形態である２穴真円型リング綴具を備えたファイル・バインダ類について説明する。
図５６は、本発明にかかる一実施の形態である綴具を備えたファイル・バインダ類を示す斜視図である。図５７は、本発明にかかる一実施の形態である綴具の一例を示す斜視図であり、図５８は、保持部材の斜視図である。図５９は、作動部材及び開閉部材の斜視図解図である。図６０は、開閉部材の平面図である。図６１は、開閉部材の側面図解図で、（Ａ）は元の状態の側面図解図で（Ｂ）（Ｃ）は巻線部の円周方向に力を加えた状態の側面図解図である。図６２Ａは、閉じた状態における綴杆と作動部材を示す平面図解図であり、図６２Ｂは、閉じた状態における綴杆と作動部材を示す左側図解図であり、図６２Ｃ閉じた状態における綴杆と作動部材を示す正面図解図であり、図６２Ｄは、閉じた状態における綴杆と作動部材を示す底面図解図である。図６３は、閉じた状態における綴具の平面図である。図６４は、閉じた状態における綴具の底面図である。図６５は、閉じた状態における綴具の横断面図であり、（Ａ）は、図６４Ａ−Ａ断面図であり、（Ｂ）は、図６４Ｂ−Ｂ断面図である。図６６は、綴杆を開く状態を示す綴具の底面図である。図６７は、綴杆を開く状態を示す綴具の綴杆の図解図である。
【０１１６】
この発明の一実施の形態であるファイル・バインダ類１１００は、表表紙１１１２と、裏表紙１１１４と、前記表表紙１１１２と裏表紙１１１４との間に形成された背表紙１１１６とを有する表紙１１１０と、前記表紙１１１０の背表紙１１１６に固定された綴具１０とを備える。
図５６ないし５７に示す綴具１０は、厚紙その他の比較的硬質なシート材からなる表紙１１１０の略中央に形成される左右一対の薄肉ヒンジ部１１１８，１１２０の内側の背表紙１１１６の内側表面に固定される。
固定する方法としては、綴具１０の長手方向の両端に形成された取付孔２０（後に詳述する）にボルトとナットやはとめ等の固着具を挿通させて、背表紙１１１６と一体となるように固定する方法がある。なお、ここでは、固着具として、ボルトとナットを用いて説明するが、これに限ることなく、例えば、ビス、はとめ、リベット等を用いてもよい。
この実施の形態においては、綴具１０のみが相違し、それ以外の構成については、図１図示ファイル・バインダ類と同様であるので、以下綴具の説明をする。
【０１１７】
綴具１０は、環状の綴杆を構成する一対のそれぞれ略円環状の金属製の第１の綴杆１２および第１の綴杆１２と一対の第２の綴杆１４と、前記第１の綴杆１２および第２の綴杆１４をそれぞれ間隔をおいて設けることができる長さを備えた保持部材１６と、第１の綴杆１２と第２の綴杆１４とが保持部材１６に固定されるように、表面側よりのびるように第１の綴杆１２と第２の綴杆１４とを固定された一対の板状の作動片が保持部材１６の内側に移動自在に固定された、作動部材１８とを備える。
【０１１８】
この綴具１０の綴杆は、主綴杆たる第１の綴杆１２と副綴杆たる第２の綴杆１４とからなる開閉自在の２穴タイプである。
第１の綴杆１２と第２の綴杆１４とは、同一方向に向けて、その綴杆係止部５０を指で外すことができるように構成されている。
そして、綴杆を閉じるときは、主綴杆たる第１の綴杆１２を、例えば親指と人差し指で直接挟んで閉じるように構成されており、第１の綴杆１２を２本の指で挟んで閉じる方向に作動させると、副綴杆たる第２の綴杆１４は追動するように構成されている。
【０１１９】
保持部材１６は、第１の綴杆１２と第２の綴杆１４とを所定の間隔をおいて設けることができる長さを備える平面視略長方形で、その両端、すなわち表紙Ａに取り付ける取付孔２０近傍においては、平面視略半円弧状に形成されている。
保持部材１６は、第１の綴杆１２および第２の綴杆１４を固定する部位より長手方向における外側近傍より内側に向かって、その中央が膨出した断面略半円弧状の被綴じ物載置部２２を備え、且つ、被綴じ物載置部２２の内側は保持空間を備え、その保持空間に作動部材１８等を収容するように構成されている。
保持部材１６の被綴じ物載置部２２の両端には、その長手方向に略その一端から他端に亘って、作動部材１８を摺動自在に保持する保持壁２４が設けられている。この実施の形態においては、保持壁２４は、保持部材１６の長手方向において、第１の綴杆１２および第２の綴杆１４のそれぞれの外側近傍より内部に亘って略全体において垂下されるように、第１の保持壁２４ａおよび第２の保持壁２４ｂが連設され、第１の保持壁２４ａと第２の保持壁２４ｂとは平行で略同一の形状の板状である。
そして、この第１の保持壁２４ａおよび第２の保持壁２４ｂと被綴じ物載置部２２によって囲繞された保持空間内に、後に詳しく説明する作動部材１８、開閉部材４０等が収容される。
【０１２０】
保持部材１６の被綴じ物載置部２２には、第１の綴杆１２と第２の綴杆１４とを、一定の間隔（日本工業規格等で決められている一定の長さ）をおいて遊貫するための第１の貫通孔２６と第２の貫通孔２８がそれぞれ穿設されている。
第１の貫通孔２６と第２の貫通孔２８とは、第１の綴杆１２を構成する第１の半割杆１２ａおよび第２の半割杆１２ｂと、第２の綴杆１４を構成する第３の半割杆１４ａおよび第４の半割杆１４ｂとに対応して、保持部材１６の幅方向において左右に分かれて一定の間隔をおいて、２つずつ穿設されている。
【０１２１】
作動部材１８は、平面視略長方形状金属板からなる一対の第１の作動片３０および第２の作動片３２からなる。
第１の作動片３０及び第２の作動片３２は、その長手方向において、第１の保持壁２４ａ及び第２の保持壁２４ｂと平行でその内面に摺動する外側端縁３０ｂ及び外側端縁３２ｂが形成され、該外側端縁３０ｂ及び外側端縁３２ｂと平行に当該一対の第１の作動片３０及び第２の作動片３２を突き合わせる突き合わせ縁３０ａ及び突き合わせ縁３２ａが内側縁に形成されている。第１の作動片３０及び第２の作動片３２は、突き合わせ縁３０ａ及び突き合わせ縁３２ａの長手方向における中央Ｃ（図６２及び図６４図示）を対称の中心とする点対称形で、保持部材１６の保持空間内において各々をその長手方向において並置したとき、各々その内側縁において屈曲自在に係合する。
【０１２２】
そして、第１の作動片３０および第２の作動片３２は、外側から力が加わらないときには、第１の作動片３０と第２の作動片３２とが谷折り、すなわち保持部材１６の被綴じ物載置部２２の内面より離れた方向（突き合わせ縁３０ａおよび突き合わせ縁３２ａが、図６２図示平面Ｐxyより下側）に向いて、あるいはまた、山折り、すなわち保持部材１６の被綴じ物載置部２２の内面に近づいた方向（突き合わせ縁３０ａおよび突き合わせ縁３２ａが図６２図示平面Ｐxyより上側）に向いて、その谷折りまたは山折りの状態を維持するように、保持部材１６の内側の保持空間部に内設されている。
平面Ｐxyとは、第１の綴杆１２と第２の綴杆１４それぞれの基部が第１の作動片３０と第２の作動片３２に固着された部分（４箇所）を通る左右軸Ｙ1，Ｙ2および前後軸Ｘ1，
Ｘ2（図６２図示）を含む平面である。
【０１２３】
作動部材１８は、一方の作動片、すなわち第１の作動片３０における保持部材１６の被綴じ物載置部２２の内側面と対向する表面（すなわち上面）には、第１の綴杆１２を構成する第１の半割杆１２ａの基部が固定され、且つ、前記第１の半割杆１２ａとは一定の間隔をおいて、第２の綴杆１４を構成する第３の半割杆１４ａの基部が固定されている。
また、他方の作動片、すなわち第２の作動片３２における保持部材１６の被綴じ物載置部２２と対向する表面（すなわち上面）には、第１の綴杆１２を構成する第２の半割杆１２ｂの基部が固定され、且つ、前記第２の半割杆１２ｂと一定の間隔をおいて、第２の綴杆１４を構成する第４の半割杆１４ｂの基部が固定されている。
【０１２４】
一方の作動片、すなわち第１の作動片３０は、前記保持部材１６に形成された第１の貫通孔２６に通される突出部３０ｃ1（第１の半割杆１２ａの近傍に形成）および前記保持
部材１６に形成された第２の貫通孔２８に通される突出部３０ｃ2（第３の半割杆１４ａ
の近傍に形成）が形成されている。
第２の作動片３２は、前記保持部材１６に形成された第１の貫通孔２６に通される突出部３２ｃ1（第２の半割杆１２ｂの近傍に形成）及び前記保持部材１６に形成された第２
の貫通孔２８に通される突出部３２ｃ2（第４の半割杆１４ｂの近傍に形成）が形成され
ている。
そして、一対の第１の作動片３０及び第２の作動片３２は、前記突出部３０ｃ1と突出
部３０ｃ2および突出部３２ｃ1と突出部３２ｃ2が第１の貫通孔２６と第１の貫通孔２６
及び第２の貫通孔２８と第２の貫通孔２８に通された状態で、突き合わされている。
第１の作動片３０及び第２の作動片３２は、突き合わせ縁３０ａおよび突き合わせ縁３２ａが、綴杆、すなわち第１の綴杆１２及び第２の綴杆１４を開いた際には前記保持部材１６の内面に近づき且つ前記第１の綴杆１２及び第２の綴杆１４を閉じた際には前記保持部材１６の内面から離れるように、前記第１の綴杆１２及び第２の綴杆１４を開閉する方向に揺動可能に、前記保持部材１６に保持される。
【０１２５】
第１の作動片３０は、一対の作動片が突き合わされる略直線状の突き合わせ縁３０ａが内側に形成され、前記突き合わせ縁３０ａと略平行な略直線状の外側端縁３０ｂが外側に形成されている。
第２の作動片３２は、一対の作動片が突き合わされる略直線状の突き合わせ縁３２ａが内側に形成され、前記突き合わせ縁３２ａと略平行な略直線状の外側端縁３２ｂが外側に形成されている。
第１の作動片３０の外側端縁３０ｂは、突出部３０ｃ1及び突出部３０ｃ2が、形成されている。
第２の作動片３２の外側端縁３２ｂは、突出部３２ｃ1及び突出部３２ｃ2が、形成されている。
すなわち、その突き合わせ縁３０ａおよび突き合わせ縁３２ａが突き合わされ且つ外側端縁３０ｂおよび外側端縁３２ｂが保持部材１６の第１の保持壁２４ａと第２の保持壁２４ｂとの両壁内内側面に接近する。
【０１２６】
前記突出部３０ｃ1と突出部３０ｃ2とは、第１の半割杆１２ａと第３の半割杆１４ａの基部の取付け位置に近い位置である第１の作動片３０の幅方向において外側で、それぞれ前後に間隔をあけて一対形成され、且つ、突出部３２ｃ1と突出部３２ｃ2とは、第２の半割杆１２ｂと第４の半割杆１４ｂの基部の取付け位置に近い位置である第２の作動片３２の幅方向において外側で、それぞれ前後に間隔をあけて一対形成され、第１の綴杆１２及び第２の綴杆１４の開閉ができるように、保持部材１６の第１の保持壁２４ａ及び第２の保持壁２４ｂより外側に突出している。
突出部３０ｃ1と突出部３０ｃ2とは、保持部材１６の第１の保持壁２４ａの第１の貫通孔２６及び第１の貫通孔２６より外側に突き出る長さを備え、また、突出部３２ｃ1と突
出部３２ｃ2とは、保持部材１６の第２の保持壁２４ｂの第２の貫通孔２８及び第２の貫
通孔２８より外側に突き出る長さを備え、且つ、作動部材１８が綴杆の開閉時に保持部材１６の長手方向に移動可能な幅を有する舌状である。
作動片３０及び作動片３２は、金属またプラスチックの薄板からなり、作動片３０及び作動片３２と突出部３０ｃ1、突出部３０ｃ2、突出部３２ｃ1及び突出部３２ｃ2とは一体成形されてなる。
【０１２７】
前記開閉部材４０は、第１の綴杆１２及び第２の綴杆１４が固定された表面とは反対側の裏面側において、作動部材１８に固定され、前記第１の綴杆１２及び第２の綴杆１４を開くときに、保持部材１６内で、前記作動片３０及び作動片３２を保持部材１６の長手方向に移動させるとともに保持部材１６の内面に近づいた方向に保持されるように、第１の綴杆１２及び第２の綴杆１４を開く方向に変化させるように形成されている。
【０１２８】
前記作動部材４０は、前記第１の綴杆１２及び第２の綴杆１４を固定された表面側とは反対側の裏面側において、第１の綴杆１２及び第２の綴杆１４を開く方向に付勢する開閉部材４０が固定され作動部材４０に固定されている。
そして、前記第１の綴杆１２及び第２の綴杆１４を閉じたときには、作動片３０及び作動片３２は、保持部材１６の内面より離れた位置において、その突き合わせ縁３０ａ及び突き合わせ縁３２ａが突き合わせた状態において、平面状に保持され、そして、前記第１の綴杆１２及び第２の綴杆１４を開いたときには、作動片３０及び作動片３２は、その突き合わせ縁３０ａ及び突き合わせ縁３２ａが突き合わせた状態において保持部材１６の内面に近づいた方向に向いて山折り状に保持されるように、保持部材１６に固定されている。
【０１２９】
前記第１の作動片３０は、突き合わせ縁３０ａの両端近傍であって、第１の半割杆１２ａ及び第３半割杆の１４ａの基部が固定された領域より突き合わせ縁３０ａ寄りを、突き合わせ縁３０ａの両端近傍を突き合わせ縁３０ａに沿って周囲の基準面ＬＰ1より開閉部材４０を固定される面側に曲げて凹まされて第１の作動片の向こう側凹み部１３０ｄ及び第１の作動片の手前側凹み部１３０ｅを形成されている。そして、第１の作動片の手前側凹み部１３０ｅ及び第１の作動片の向こう側凹み部１３０ｄにより前記基準面ＬＰ1より係合部を有する第１の作動片の向こう側第２係合部１３６ｂ4が形成されている。
【０１３０】
また、前記第２の作動片３２は、突き合わせ縁３２ａの両端近傍であって、第２の半割杆１２ｂ及び第４の半割杆１４ｂの基部が固定された領域より突き合わせ縁３２ａ寄りを、突き合わせ縁３２ａの両端近傍を突き合わせ縁３２ａに沿って周囲の基準面ＬＰ2より開閉部材４０を固定される面側に曲げて凹まされて第２の作動片の手前側凹み部１３２ｅ及び第２の作動片の向こう側凹み部１３２ｄを形成されている。そして、該第２の作動片の手前側凹み部１３２ｅ及び第２の作動片の向こう側凹み部１３２ｄにより前記基準面より低い係合面を有する第２作動片の向こう側第２係合部１３６ｂ1を形成されている。
【０１３１】
前記第１の作動片３０は、突き合わせ縁３０ａを周囲の基準面ＬＰ1より開閉部材４０を固定される面側に曲げて凹まされて第１の作動片の向こう側凹み部１３０ｄが形成され且つ開閉部材４０を固定される面とは反対側に曲げて基準面ＬＰ1より低い係合面を有する第１の作動片の向こう側第１係合部１３６ａ1を形成されるとともに、前記第２の作動片３２は、突き合わせ縁３２ａを周囲の基準面ＬＰ2より開閉部材４０を固定される面側に曲げて凹まされて第２の作動片の向こう側凹み部１３２ｄが形成され且つ前記基準面ＬＰ2より低い係合面を有する第２の作動片の向こう側第２係合部１３６ｂ1を形成され、前記第１の作動片の向こう側第１係合部１３６ａ1の係合面と前記第２の作動片の向こう側第２係合部１３６ｂ1の係合面とは、前記基準面ＬＰ1及び基準面ＬＰ2と略々同じ高さ又は低い高さにおいて、係合されている。
【０１３２】
また、前記第２の作動片３２は、突き合わせ縁３２ａを周囲の基準面ＬＰ2より開閉部材４０を固定される面側に曲げて凹まされて第２の作動片の手前側凹み部１３２ｅが形成され且つ開閉部材４０を固定される面とは反対側に曲げて基準面ＬＰ2より低い係合面を有する第２の作動片の手前側第１係合部１３６ａ3を形成されるとともに、前記第１の作動片３０は、突き合わせ縁３０ａを周囲の基準面ＬＰ1より開閉部材４０を固定される面側に曲げて凹まされて第１の作動片の手前側凹み部１３０ｅが形成され且つ前記基準面ＬＰ1より低い係合面を有する第１の作動片の手前側第２係合部１３６ｂ3を形成され、前記第２の作動片の手前側第１係合部１３６ａ3の係合面と前記第１の作動片の手前側第２係合部１３６ｂ3の係合面とは、前記基準面ＬＰ1及び基準面ＬＰ2と略々同じ高さ又は低い高さにおいて、係合されている。
【０１３３】
前記第１の作動片３０は、突き合わせ縁３０ａを周囲の基準面ＬＰ1より開閉部材４０を固定される面側に曲げて凹まされて第１の作動片の手前側凹み部１３０ｅが形成され且つ開閉部材４０を固定される面とは反対側に曲げて基準面ＬＰ1より低い係合面を有する第１の作動片の手前側第１係合部１３６ａ2を形成されるとともに、前記第２の作動片３２は、突き合わせ縁３２ａを周囲の基準面ＬＰ2より開閉部材４０を固定される面側に曲げて凹まされて第２の作動片の手前側凹み部１３２ｅが形成され且つ前記基準面ＬＰ2より低い係合面を有する第２の作動片の手前側第２係合部１３６ｂ2を形成され、前記第１の作動片の手前側第１係合部１３６ａ2の係合面と前記第２の作動片の手前側第２係合部１３６ｂ2の係合面とは、前記基準面ＬＰ1及び基準面ＬＰ2と略々同じ高さ又は低い高さにおいて、係合されている。
【０１３４】
また、前記第２の作動片３２は、突き合わせ縁３２ａを周囲の基準面ＬＰ2より開閉部材４０を固定される面側に曲げて凹まされて第２の作動片の向こう側凹み部１３２ｄが形成され且つ開閉部材４０を固定される面とは反対側に曲げて基準面ＬＰ2より低い係合面を有する第２の作動片の向こう側第１係合部１３６ａ4を形成されるとともに、前記第１の作動片３０は、突き合わせ縁３０ａを周囲の基準面ＬＰ1より開閉部材４０を固定される面側に曲げて凹まされて第１の作動片の向こう側凹み部１３０ｄが形成され且つ前記基準面ＬＰ1より低い係合面を有する第１の作動片の向こう側第２係合部１３６ｂ4を形成され、前記第２の作動片の向こう側第１係合部１３６ａ4の係合面と前記第１の作動片の向こう側第２係合部１３６ｂ4の係合面とは、前記基準面ＬＰ1及び基準面ＬＰ2と略々同じ高さ又は低い高さにおいて、係合されている。
【０１３５】
前記第１の作動片３０の第１係合部１３６ａの係合面と前記第２の作動片３２の第２係合部１３６ｂの係合面とを、前記基準面ＬＰ1及び基準面ＬＰ2と略々同じ高さ又は低い高さにおいて係合されている。
前記第２の作動片３２の第１係合部１３６ａの係合面と前記第１の作動片３０の第２係合部１３６ｂの係合面とを、前記基準面ＬＰ1及び基準面ＬＰ2と略々同じ高さ又は低い高さにおいて係合されている。
第１係合部１３６ａは、第１の作動片の向こう側第１係合部１３６ａ1、第１作動片の手前側第１係合部１３６ａ2、第２の作動片の手前側第１係合部１３６ａ3及び第２の作動片の向こう側第１係合部１３６ａ4を含む。
第２係合部１３６ｂは、第２の作動片の向こう側第２係合部１３６ｂ1、第２の作動片の手前側第２係合部１３６ｂ2、第１の作動片の手前側第２係合部１３６ｂ3及び第１の作動片の向こう側第２係合部１３６ｂ4を含む。
【０１３６】
前記第１の作動片３０は、第１の係合部１３６ａが形成され且つ第２の作動片３２と同じように第２の係合部１３６ｂが形成されるとともに、前記第２の作動片３２は、第２の係合部１３６ｂが形成され且つ第１の作動片３０と同じように第１の係合部１３６ａが形成され、対向する第１の作動片３０及び第２の作動片３２は、第１係合部１３６ａと第２係合部１３６ｂとが係合して、突き合わせ縁３０ａ及び突き合わせ縁３２ａを中心にして第１の作動片３０と第２の作動片３２とが揺動するように形成されている。
このように、前記作動部材１８及び開閉部材４０を保持部材１６の保持空間内において保持され且つ移動できるように、一対の作動片すなわち、第１の作動片３０及び第２の
作動片３２の突き合わせ縁、すなわち、突き合わせ縁３０ａ及び突き合わせ縁３２ａに、移動中にも突き合わせ状態を維持するための係合部すなわち、第１の係合部１３６ａ及び第２の係合部１３６ｂを、開閉部材４０を固定された面側に向けて突出して形成されているので、保持部材１６の高さを低くして低背化を図ることができる。
【０１３７】
第１係合部１３６ａは、保持部材１６の被綴じ物載置部２２の内面側に向けて、作動部材１８の厚み分を凹み部（第１の作動片の向こう側凹み部１３０ｄ、第１の作動片の手前側凹み部１３０ｅ、第２の作動片の向こう側凹み部１３２ｄ、第２の作動片の手前側凹み部１３２ｅ、）を突き出された基部と、前記基部の先端より突き出された押さえ部とを備えた平面視略Ｕ字状に形成されている。そして、押さえ部は、一対の作動片たる第１の作動片３０及び第２の作動片３２のうちの片一方の作動片たる第１の作動片３０または第２の作動片３２のはずれ止めの機能を備えている。
最も外側の第１の作動片の向こう側第１係合部１３６ａ1及び第２の作動片の手前側第１係合部１３６ａ3は、第１の作動片３０と第２の作動片３２を逆方向に移動させたときにおいても作動部材１８の端縁より内側に位置する幅を備えている。
最も外側の第１の作動片の向こう側第１係合部１３６ａ1と内側の第２の作動片の向こう側第１係合部１３６ａ4及び最も外側の第２の作動片の手前側第１係合部１３６ａ3と内側の第１の作動片の手前側第１係合部１３６ａ2とは、第１の綴杆１２及び第２の綴杆１４の基部が取付けられた部位を挟んで適宜な間隔をおいて形成されている。
【０１３８】
そして、前記第１の綴杆１２および第２の綴杆１４が閉じるときには、図６５に示すように、作動部材１８を構成する第１の作動片３０及び第２の作動片３２は、その突き合わせ縁３０ａおよび突き合わせ縁３２ａが保持部材１６の内面（被綴じ物載置部２２の内面）より離れた方向に向いて（すなわち水平で平面状の状態）、第１の作動片３０の突き合わせ縁３０ａと第２の作動片３２の突き合わせ縁３２ａとが突き合わされた状態において保持されるとともに、前記第１の綴杆１２および第２の綴杆１４を開くときには、図７０に示すように、作動部材１８を構成する第１の作動片３０及び第２の作動片３２は、保持部材１６の内面（被綴じ物載置部２２の内面）に近づいた方向に向いて（すなわち山折り状態）、第２の作動片３２の突き合わせ縁３２ａとが突き合わされた状態に保持されるように保持部材１６内の空間において固定される。
【０１３９】
また、作動部材１８を構成する第１の作動片３０及び第２の作動片３２は、保持部材１６の被綴じ物載置部２２の内面に近づいた方向、すなわち山折りの状態においては、第１の作動片３０と第２の作動片３２の長手方向、すなわち第１の作動片３０と第２の作動片３２に固着された第１の半割杆１２ａと第３の半割杆１４ａとを結ぶ線（Ｘ1（図６２図示））および第２の半割杆１２ｂと第４の半割杆１４ｂとを結ぶ線（Ｘ2（図６２図示））と平行な方向に、第１の作動片３０と第２の作動片３２とを移動させることができるように摺動自在に内設されている。
【０１４０】
第１の作動片３０及び第２の作動片３２は、第１の作動片の向こう側凹み部１３０ｄ、第１の作動片の手前側凹み部１３０ｅ、第２の作動片の向こう側凹み部１３２ｄ及び第２の作動片の手前側凹み部１３２ｅに、内側の第１の作動片の手前側第１係合部１３６ａ2及び第２の作動片の向こう側第１係合部１３６ａ4の内側近傍において、第１の作動片３０及び第２の作動片３２の長手方向への移動を規制する移動規制部が形成される。
移動規制部は、第１の作動片３０の突き合わせ縁３０ａに形成された規制凹部３０ｆ及び規制凸起３０ｇと、第２の作動片３２の突き合わせ縁３２ａに形成された規制凹部３２ｆ及び規制凸起３２ｇとから形成される。
規制凹部３０ｆは、凹み３６ａの外側近傍において、突き合わせ縁３０ａより幅方向において凹んだ平面視コ字型の欠きであり、規制凸起３２ｇは、前記規制凹部３０ｆと遊嵌するように形成された平面視コ字型の凸起であり、規制凹部３０ｆに規制凸起３２ｇが遊嵌されて、規制凹部３０ｆ内において第１の作動片３０及び第２の作動片３２がその長手方向に互い違いに移動するように形成されている。
規制凹部３２ｆは、凹み３６ｂの外側近傍において、突き合わせ縁３２ａより幅方向において凹んだ平面視コ字型の欠きであり、規制凸起３０ｇは、前記規制凹部３２ｆと遊嵌するように形成された平面視コ字型の凸起であり、規制凹部３２ｆに規制凸起３０ｇが遊嵌されて、規制凹部３２ｆ内において第１の作動片３０及び第２の作動片３２がその長手方向に互い違いに移動するように形成されている。
【０１４１】
第１の作動片３０の凹み３６ａ内で突き合わせ縁３０ａ側及び第２の作動片３２の凹み３６ｂ内で突き合わせ縁３２ａ側において、第１の綴杆１２と第２の綴杆１４とを開閉方向に変化させる開閉部材４０が設けられている。
前記開閉部材４０は、前記作動部材１８を構成する一対の作動片すなわち作動片３０と作動片３２との間において、一対の作動片３０と作動片３２をそれぞれ逆方向に移動させるとともに、綴杆すなわち第１の綴杆１２及び第２の綴杆１４の開閉状態を保持させるように、第１の作動片３０に間隔をおいて固定された綴杆すなわち第１の半割杆１２ａ及び第３の半割杆１４ａの基部を結ぶ方向と斜めに交差する方向であり、且つ作動片３２に間隔をおいて固定された綴杆すなわち第２の半割杆１２ｂ及び第４の半割杆１４ｂの基部を結ぶ方向と斜めに交差する方向に、架け渡されている。
開閉部材４０は、引っ張りコイルバネからなり、巻線部４４と、巻線部４４の両端から巻線部４４を巻き起こしてフックとした固定先端部４２ａ及び固定先端部４２ｂとを備える。開閉部材４０は、図６１（Ａ）に示すように、巻線部４４の円周方向に規制腕部４６ａと規制腕部４６ｂとが平行に突き出されている。
【０１４２】
前記開閉部材４０は、第１の綴杆１２と第２の綴杆１４とが閉じた状態において、無負荷時には密着していた巻線部４４がのびるように引っ張られた引っ張り荷重を受けた状態で、荷重を受ける固定先端部４２ａが第１の作動片３０に、固定先端部４２ｂが第２の作動片３２に固定されている。
更に、第１の綴杆１２と第２の綴杆１４とが閉じた状態において、開いた状態から閉じた状態への方向に向けて第１の作動片３０と第２の作動片３２とを突き合わせ縁３０ａ及び突き合わせ縁３２ａを中心に回動させる方向に、巻線部４４（コイル）の中心軸まわりにねじりモーメントを受け、ばねに荷重が加わり、素線に曲げ応力を発生させて、固定先端部４２ａが第１の作動片３０に、固定先端部４２ｂが第２の作動片３２に固定されている。
この場合、開閉部材４０は、巻線部４４にねじりモーメントなどの負荷が加わっていない状態（図６１（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図６０及び図６１（Ａ）図示））で、固定先端部４２ａ及び４２ｂが開閉部材固定部３８ａ及び開閉部材固定部３８ｂにそれぞれ固定される。
ばねに荷重を加える荷重の方向としては、巻線部４４（コイル）を巻き込む方向に向くように構成されている。
【０１４３】
規制腕部４６ａ及び規制腕部４６ｂは、固定先端部４２ａ及び固定先端部４２ｂの第１の作動片３０及び第２の作動片３２に固定される側から巻線部４４の中心軸と直交する方向にのび、一方の規制腕部４６ａと他方の規制腕部４６ｂとは、ねじりモーメントが発生しない元の状態は、図６０及び図６１（Ａ）に示すように、巻線部４４の円周方向に略平行に突き出され、互いに反対向きにのびる。
一方の規制腕部４６ａは、固定先端部４２ａが第１の作動片３０の開閉部材固定部３８ａに固定されたとき、第１の作動片３０の裏面にその先端が突き当たり、他方の規制腕部４６ｂは、固定先端部４２ｂが第２の作動片３２の開閉部材固定部３８ｂに固定されたとき、第２の作動片３２の裏面（下面）にその先端が突き当たり、丸フックの固定先端部４２ａ及び固定先端部４２ｂが大きく傾くことなく、常に正規の状態にて開閉部材固定部３８ａ及び開閉部材固定部３８ｂに固定されるように構成されている。
ねじりモーメントが発生しない元の状態においては、一方の規制腕部４６ａともう一方の規制腕部４６ｂとは平行になるように形成されている。
【０１４４】
開閉部材４０は、その固定先端部４２ａの一端が一方の作動片、すなわち第１の作動片３０の裏面（下面）に形成された開閉部材固定部３８ａに係止固定され、開閉部材４０の固定先端部４２ｂ一端が、他方の作動片、すなわち第２の作動片３２の裏面（下面）に形成された開閉部材固定部３８ｂに係止固定されている。
開閉部材固定部３８ａは、開閉部材収容部３６の凹み３６ａの裏面（下面）であって、第１の作動片３０の長手方向の中心Ｃ（図６２及び図６４図示）より第１の綴杆１２及び第２の綴杆１４を開くときに第１の作動片３０の移動する方向側にずれた位置に形成され、開閉部材固定部３８ｂは、開閉部材収容部３６の凹み３６ｂの裏面（下面）であって、第２の作動片３２の長手方向の中心Ｃ（図６２及び図６４図示）より第１の綴じ杆１２及び第２の綴じ杆１４を開くときに第２の作動片３２の移動する方向側にずれた位置に形成されている。
【０１４５】
開閉部材固定部３８ａは、第１の作動片３０の裏面に続く係止基部３８ａ1と、係止基
部３８ａ1の先端（下端）に開閉部材４０とは反対側に向けてのびる係止外れ止め部３８
ａ2が突設された、側面Ｌ字形である。
開閉部材固定部３８ｂは、第２の作動片３２の裏面に続く係止基部３８ｂ1と、係止基
部３８ｂ1の先端（下端）に開閉部材４０とは反対側に向けてのびる係止外れ止め部３８
ｂ2が突設された、側面Ｌ字形である。
開閉部材固定部３８ａと開閉部材固定部３８ｂとは、第１の作動片３０及び第２の作動片３２の長手方向の中心Ｃを中心として、点対称に形成されている。
【０１４６】
開閉部材４０は、第１の作動片３０と第２の作動片３２との突き合わせ縁３０ａおよび突き合わせ縁３２ａが、谷折り状態（図６５図示）、すなわち保持部材１６の被綴じ物載置部２２の内面より離れた状態に保持された状態にあるときに、伸展した状態となるように、第１の作動片３０と第２の作動片３２との間において斜めに架け渡され、この状態において、元の状態に戻ろうとする力が働くように構成されている。
開閉部材４０は、第１の作動片３０および第２の作動片３２のそれぞれの長手方向、すなわち第１の作動片３０の半割杆１２ａを固定する部位と半割杆１４ａを固定する部位とを結ぶ線（前後軸Ｘ1（図６２図示））および第２の作動片３２の半割杆１２ｂを固定する部位と半割杆１４ｂを固定する部位とを結ぶ線（前後軸Ｘ2（図６２図示））と斜めに交差する方向に架け渡されている。
【０１４７】
第１の作動片３０の開閉部材固定部３８ａと第２の作動片３２の開閉部材固定部３８ｂとは、突き合わせ縁３０ａ及び突き合わせ縁３２ａの長手方向における中央Ｃ（図６２及び図６４図示）を回転軸として点対称となるように形成され、開閉部材４０が突き合わせ縁３０ａ及び突き合わせ縁３２ａの長手方向における中央Ｃ（図６２及び図６４図示）より均一な長さによって固定先端部４２ａが開閉部材固定部３８ａに、固定先端部４２ｂが開閉部材固定部３８ｂに係止されて、均一な力が第１の作動片３０及び第２の作動片３２にかかるように構成されている。
第１の作動片３０の突き合わせ縁３０ａ及び第２の作動片３２の突き合わせ縁３２ａにおいて突き合わされた第１の作動片３０と第２の作動片３２との間における距離を、一定に保ち、第１の作動片３０と第２の作動片３２とを引き寄せてそれぞれの位置関係を最適な状態に保つ。
したがって、綴杆を構成する第１の綴杆１２及び第２の綴杆１４の開閉時において、第１の作動片３０及び第２の作動片３２が突き合わせ縁３０ａ及び突き合わせ縁３２ａを枢軸として揺動するときにおいて、第１の作動片３０の幅と第２の作動片３２の幅との和が最大になったとき、すなわち、第１の作動片３０と第２の作動片３２とが平面状態になったときにおいても、第１の作動片３０の最も外側の縁（外側端縁３０ｂ）と保持部材１６の第１の保持壁２４ａとの間及び第２の作動片３２の最も外側の縁（外側端縁３２ｂ）と保持部材１６の第２の保持壁２４ｂとの間に適宜な間隙が生じ、保持部材１６の保持空間内において作動部材１８の第１の作動片３０及び第２の作動片３２が円滑に移動できる。
【０１４８】
開閉部材固定部３８ａ及び開閉部材固定部３８ｂは、図６２に示すように、突き合わせ縁３０ａ及び突き合わせ縁３２ａの長手方向における中央Ｃ（図６２Ｄ図示）と開閉部材固定部３８ａ及び開閉部材固定部３８ｂとを結ぶ線Ｘ３（図６２Ｄ図示）に沿って、開閉部材４０が突き合わせ縁３０ａ及び突き合わせ縁３０ａと斜めに交差して架け渡されるように形成されている。
すなわち、開閉部材４０の開閉部材固定部３８ａは、突き合わせ縁３０ａの長手方向における中央Ｃ（図６２Ｄ図示）と開閉部材固定部３８ａを結ぶ線Ｘ３（図６２Ｄ図示）に沿って、開閉部材４０が架け渡されるように形成されている。
開閉部材４０の開閉部材固定部３８ｂは、突き合わせ縁３２ａの長手方向における中央Ｃ（図６２Ｄ図示）と開閉部材固定部３８ｂとを結ぶ線Ｘ３（図６２Ｄ図示）に沿って、開閉部材４０が架け渡されるように形成されている。
開閉部材固定部３８ａの係止基部３８ａ1及び開閉部材固定部３８ｂの係止基部３８ｂ1が前記線Ｘ３に直交し、開閉部材固定部３８ａの係止基部３８ａ1及び開閉部材固定部３８ｂの係止基部３８ｂ1の先端（下端）に、それぞれ開閉部材４０とは反対側に向けて前記線Ｘ３（図６２Ｄ図示）に沿ってのびる係止外れ止め部３８ａ2（開閉部材固定部３８ａの）及び係止外れ止め部３８ｂ2（開閉部材固定部３８ｂの）が形成された、側面略Ｌ字型に形成されている。開閉部材固定部３８ａと開閉部材固定部３８ｂとは、突き合わせ縁３０ａ及び突き合わせ縁３２ａの長手方向における中央Ｃ（図６２Ｄ図示）を中心とした点対称形に形成されている。
【０１４９】
そして、１対の前記第１の作動片３０及び第２の作動片３２は、前記保持部材１６の長手方向において互いに逆方向に移動させることにより、前記半割杆の組み合わせによる前記第１の綴杆１２及び第２の綴杆１４が分離され、前記第１の綴杆１２及び第２の綴杆１４が分離されたときに、前記開閉部材４０は、前記第１の作動片３０と第２の作動片３２とを付勢して、前記第１の半割杆１２ａと第２の半割杆１２ｂ及び第３の半割杆１４ａと第４の半割杆１４ｂとを開放させる。
【０１５０】
そして、開閉部材４０の弾性により、作動部材１８を構成する第１の作動片３０及び第２の作動片３２は、第１の綴杆１２と第２の綴杆１４を手で開き始めたとき、すなわち、第１の綴杆１２と第２の綴杆１４のそれぞれの綴杆係止部５０を外したとき、伸びていた開閉部材４０の巻線部４４を更に伸ばす方向に作用させ、第１の綴杆１２の第１の半割杆１２ａと第２の半割杆１２ｂとが離れる方向（第１の半割杆１２ａはＯ1方向で、第２の
半割杆１２ｂはＯ2方向（図６２図示））および第２の綴杆１４の第３の半割杆１４ａと第４の半割杆１４ｂとが離れる方向（第３の半割杆１４ａはＯ1方向で、第４の半割杆１４ｂはＯ2方向（図６２図示））に移動し、第１の作動片３０と第２の作動片３２とをそれぞれ逆方向（第１の作動片３０はＯ1方向で、第２の作動片３２はＯ2方向（図６２図示））に移動させるように作用する（図６６参照）。
【０１５１】
さらに、開閉部材４０は、第１の半割杆１２ａと第２の半割杆１２ｂとをおよび第３の半割杆１４ａと第４の半割杆１４ｂとを円周方向（図６２図示の左右軸Ｙ1および左右軸Ｙ2方向）に引き離すように作用する。ねじられていた開閉部材４０は、図６１（Ｂ）（Ｃ）の矢印方向に示すように元の状態に戻ろうとして、第１の半割杆１２ａと第２の半割杆１２ｂとをおよび第３の半割杆１４ａと第４の半割杆１４ｂとを第１の綴杆１２及び第２の綴杆１４の円周方向（第１の半割杆１２ａおよび第３の半割杆１４ａはＯ3方向、第２の半割杆１２ｂおよび第４の半割杆１４ｂはＯ4方向（図６２図示））に引き離すように作用する（図６９参照）。
【０１５２】
そして、開閉部材４０は、開閉部材４０の弾性により伸びていた巻線部４４が縮む方向に作用して、作動部材１８を構成する第１の作動片３０は、綴杆係止部５０を閉じる位置の方向（Ｏ1とは反対の方向（図６２図示））に移動し、且つ、第２の作動片３２は、綴杆係止部５０を閉じる位置の方向（Ｏ2とは反対の方向（図６２図示））に移動する。（図６９及び７０参照）。
すなわち、第１の作動片３０及び第２の作動片３２は、平面状態から山折り状態に変わる。第１の綴杆１２及び第２の綴杆１４は、開く方向（第１の半割杆１２ａ及び第３の半割杆１４ａはＯ3方向、第２の半割杆１２ｂ及び第４の半割杆１４ｂはＯ4方向）に回転して開く。
開閉部材４０は、第１の綴杆１２と第２の綴杆１４とを開いた状態にしたとき、第１の作動片３０の突き合わせ縁３０ａと第２の作動片３２の突き合わせ縁３２ａとが山折り状態、すなわち、保持部材１６の被綴じ物載置部２２の内側面に近づいた状態に保持するように作用する。
【０１５３】
保持部材１６の被綴じ物載置部２２には、被綴じ物載置部２２の長手方向に延びる膨出部２２ａが形成され、膨出部２２ａは、その内側に窪み部が形成され、作動部材１８の係合部３０ｄ及び３２ｅが上側に向いて回転し且つ係合部３０ｅ及び３２ｄが上側に向いて回転するとともに、開閉部材４０が上側に向いて移動したときに、被綴じ物載置部２２の内面と当接しないようにするために、被綴じ物載置部２２の長手方向に延びて形成されている。
そして、前記保持部材１６は、作動部材１８に間隔をおいて設けられた第１の綴杆１２及び第２の綴杆１４の基部を結ぶ方向に近い方向にのびる保持壁２４及び被綴じ物載置部２２を有し、前記保持部材１６の保持壁２４及び被綴じ物載置部２２により、作動部材１８を保持部材１６の内側に保持するための保持部が形成され、前記作動部材１６及び開閉部材４０は、前記第１の綴杆１２及び第２の綴杆１４を開閉するとき、前記保持空間内において移動するように構成されている。
【０１５４】
前記保持部材１６は、前記したように、作動部材１８に間隔をおいて設けられた第１の綴杆１２と第２の綴杆１４との基部を結ぶ方向（図６２図示Ｘ1及びＸ2方向）に近い方向にのびる、第１の保持壁２４ａと第２の保持壁２４ｂとからなる保持壁２４を有し、前記保持壁２４は、作動部材１８に間隔をおいて設けられた第１の綴杆１２と第２の綴杆１４の基部を結ぶ方向（図６２図示Ｘ1及びＸ2方向）と交差する方向にのびて、保持壁２４の外側に向いて突出する第１の作動片３０の突出部３０ｃ1と突出部３０ｃ2及び第２の作動片３２の突出部３２ｃ1と突出部３２ｃ2を保持する保持部、すなわち第１の保持壁２４ａに形成された第１の保持部６０及び第１の保持部６２と、第２の保持壁２４ｂに形成された第２の保持部６４及び第２の保持部６６とを有している。
該第１の保持部６０及び第１の保持部６２は、前記保持壁２４の一部を作動部材１８の突出部３０ｃ1と突出部３０ｃ2より外側に打ち出された第１の保持部６０及び第１の保持部６２が、保持部材１６の内側に嵌装された作動部材１８の突出部３０ｃ1と突出部３０ｃ2を保持するように、保持壁２４（第１の保持壁２４ａ）の内側に向けて凹まされてなる。
また、第２の保持部６４及び第２の保持部６６は、前記保持壁２４の一部を作動部材１８の突出部３２ｃ1と突出部３２ｃ2より外側に打ち出された第２の保持部６４及び第２の保持部６６が、保持部材１６の内側に嵌装された作動部材１８の突出部３２ｃ1と突出部３２ｃ2を保持するように、保持壁２４（第２の保持壁２４ｂ）の内側に向けて凹まされてなる。
【０１５５】
前記第１の保持部６０及び第１の保持部６２と第２の保持部６４及び第２の保持部６６は、前記作動部材１８の第１の作動片３０及び第２の作動片３２の下面に沿って、前記保持壁２４の下縁との間に間隔をおいて細い切り込み６８ａと切り込み７０ａ及び切り込み７２ａと切り込み７４ａが形成され、該切り込み６８ａと切り込み７０ａ及び切り込み７２ａと切り込み７４ａと保持壁２４の下縁との間における保持壁２４の外方に向けて打ち出された領域により、第１の保持部６０及び第１の保持部６２と第２の保持部６４及び第２の保持部６６が形成されている（図７７（Ａ）（Ｂ）参照）。
そして、第１の保持部６０及び第１の保持部６２と第２の保持部６４及び第２の保持部６６を構成する該領域が、保持部材１６の内側に嵌装された作動部材１８の突出部３０ｃ1と突出部３０ｃ2及び突出部３２ｃ1と突出部３２ｃ2の下面を保持するように内側に向けて打ち出され、保持壁２４の該切り込み６８ａと切り込み７０ａ及び切り込み７２ａと切り込み７４ａと保持壁２４の下縁との間の領域以外の領域より内側に向けて凹まされて、第１の保持部６０及び第１の保持部６２と第２の保持部６４及び第２の保持部６６が形成されている（図７８（Ａ）（Ｂ）参照）。
【０１５６】
第１の綴杆１２は、略円環状の綴杆となるように、半円弧状の第１の半割杆１２ａと第２の半割杆１２ｂとから構成され、第２の綴杆１４は、略円環状の綴杆となるように、半円弧状の第３の半割杆１４ａと第４の半割杆１４ｂとから構成されている。そして、用紙等の被綴じ物Ｓに予め穿設された綴じ孔に挿通して、用紙等の被綴じ物Ｓを綴じることができるように、第１の半割杆１２ａおよび第２の半割杆１２ｂと、第３の半割杆１４ａと第４の半割杆１４ｂの先端、すなわち第１の綴杆１２および第２の綴杆１４の頂部において、綴杆係止部５０が形成されている。
【０１５７】
前記綴杆を構成する第１の綴杆１２及び第２の綴杆１４は、断面円形状金属製線材を、綴杆係止部５０を外す方向（図６２のＯ1及びＯ2の方向）にのばし、且つ中央部分を押さえることによって綴杆を閉じる方向に対してわん曲させて形成されている。そして、第１の綴杆１２及び第２の綴杆１４は、中央が綴杆を開く方向（第１の半割杆１２ａ及び第３の半割杆１４ａは、図６２のＯ3方向、第２の半割杆１２ｂ及び第４の半割杆１４ｂは、図６２のＯ4方向）に膨み且つ両端が綴杆を閉じる方向にわん曲した断面略空豆（ビーンズ）型の形状に形成されている。
すなわち、環状の第１の綴杆１２及び第２の綴杆１４を開閉方向に見て、第１の綴杆１２及び第２の綴杆１４の内側は波状起伏面が形成され、第１の綴杆１２及び第２の綴杆１４の外側は半円弧状に形成されている。そして、第１の綴杆１２及び第２の綴杆１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙にあける綴じ穴には丸穴が多いので、用紙等の被綴じ物Ｓの綴じ穴に対応しにくく、用紙等の被綴じ物Ｓの綴じ穴を傷つけるおそれがある。
ところが、綴杆を構成する第１の綴杆１２及び第２の綴杆１４は、細いならば綴杆係止部５０の嵌合がうまくゆかないときがある。
そのために、第１の綴杆１２及び第２の綴杆１４の幅を広げたいが、元の線材として断面積の小さいものを使用しても、元の金属製線材を加工することにより綴杆としては必要な幅が確保されるようにしたい。
そこで、本願発明にかかる綴杆は、それを形成する線材の中央部分を押さえて線材を空豆（ビーンズ）型につぶすことにより全体としての幅を広げ、すなわち、綴杆の全体の幅を綴杆係止部５０を外す方向に広げて、綴杆係止部５０の嵌合を完全にできるように形成している。
【０１５８】
この実施の形態においては、第１の綴杆１２を構成する第１の半割杆１２ａ及び第２の半割杆１２ｂと第２の綴杆１４を構成する第３の半割杆１４ａ及び第４の半割杆１４ｂとは、同じ形状、すなわち曲率（曲率半径）が同じものである。
第１の綴杆１２を構成する第１の半割杆１２ａ及び第２の半割杆１２ｂは、第１の半割杆１２ａの自由端の綴杆係止部５０と、第２の半割杆１２ｂの自由端の綴杆係止部５０とを係止することにより、環状に連結される。
また、第２の綴杆１４を構成する第３の半割杆１４ａと第４の半割杆１４ｂとは、第３の半割杆１４ａの自由端の綴杆係止部５０と、第４の半割杆１４ｂの自由端の綴杆係止部５０とを係止することにより、環状に連結される。
【０１５９】
第１の綴杆１２及び第２の綴杆１４は、それぞれの基部が第１の作動片３０及び第２の作動片３２に固着された部分（４箇所）を通る左右軸Ｙ1，Ｙ2および前後軸Ｘ1，Ｘ2（図６２図示）を含む平面Ｐxyと垂直な平面を構成するように、第１の作動片３０と第２の作動片３２より立設されている。そして、第１の綴杆１２の軸Ｚ1（図６２図示）が構成する円形面と第２の綴杆１４の軸Ｚ2（図６２図示）が構成する円形面とは、平行で、且つ、第１の綴杆１２と第２の綴杆１４が第１の作動片３０と第２の作動片３２と固着された部位を通る平面Ｐxyと垂直となるように構成されている。
【０１６０】
前記綴杆は、第７１図〜第７６図に示すように、直接指で閉じられる主綴杆たる第１の綴杆１２と、該第１の綴杆１２の閉じる方向に向けての作動に追動する副綴杆たる第２の綴杆１４とにより構成されている。
そして、第１の綴杆１２と第２の綴杆１４とは、同一方向（図６６のＯ1及びＯ2方向）に向けて、その綴杆係止部５０を指で外すことができるように構成されている。
第１の綴杆１２を構成する第１の半割杆１２ａの先端に形成された綴杆係止部５０を構成する先端の凸部５２ａ及びその凸部５２ａに続く凹部５２ｂと、第２の半割杆１２ｂの綴杆係止部５０を構成する先端の凸部５４ａ及びその先端の凸部５４ａに続く凹部５４ｂとは、第１の綴杆１２を閉じたとき係合するように逆方向に向けて突き出しあるいは凹み形成されている。
凸部５２ａ及び凸部５４ａは、それぞれ先端から内側に向けて湾曲凸面を有する傾斜対向面５２ｃ及び湾曲凸面を有する傾斜対向面５４ｃと、傾斜対向面５２ｃ及び傾斜対向面５４ｃに続き、凸部５２ａ及び凸部５４ａの後端（基部側）から除々に先端側（すなわち閉じる方向）に入り込んだ傾斜対向面５２ｄ及び傾斜対向面５４ｄが形成され、後端近傍が鉤状で、全体として鉤鼻状に形成されている。
凹部５２ｂは、基部側から先端に向けて湾曲凹面を有する傾斜対向面を備え、凹部５４ｂは、同様に基部側から先端に向けて湾曲凹面を有する傾斜対向面を備えている。
また、第２の綴杆１４を構成する第３の半割杆１４ａの先端に形成された綴杆係止部５０を構成する凸部５６ａ及びその凸部５６ａに続く凹部５６ｂと、第４の半割杆１４ｂの綴杆係止部５０を構成する先端の凸部５８ａ及びその先端の凸部５８ａに続く凹部５８ｂとは、第２の綴杆１４を閉じたとき係合するように逆方向に向けて突き出しあるいは凹み形成されている。
凸部５６ａ及び凸部５８ａは、それぞれ先端から内側に向けて湾曲凸面を有する傾斜対向面５６ｃ及び湾曲凸面を有する傾斜対向面５８ｃと、傾斜対向面５６ｃ及び傾斜対向面５８ｃに続き、凸部５６ａ及び凸部５８ａの後端（基部側）から除々に先端側（すなわち閉じる方向）に入り込んだ傾斜対向面５６ｄ及び傾斜対向面５８ｄが形成され、後端近傍が鉤状で、全体として鉤鼻状に形成されている。
凹部５６ｂは、基部側から先端に向けて湾曲凹面を有する傾斜対向面を備え、凹部５８ｂは、同様に湾曲凹面を有する傾斜対向面を備えている。
【０１６１】
第１の半割杆１２ａの綴杆係止部５０を構成する凸部５２ａ及び第３の半割杆１４ａの綴杆係止部５０を構成する凸部５６ａは、同一方向に向けて突き出し設けられ、先端部から基部側にかけて形成された湾曲凸面を備え、両方が同一形状に形成されている。
また、第１の半割杆１２ａの綴杆係止部５０を構成する凹部５２ｂ及び第３の半割杆１４ａの綴杆係止部５０を構成する凹部５６ｂは、同一方向に向けて凹み形成され、凸部５４ａ及び凸部５６ａの後端から基部側にかけて形成された湾曲凹面を備え、両方が同一形状に形成されている。
第２の半割杆１２ｂの綴杆係止部５０を構成する凸部５４ａ及び第４の半割杆１４ｂの綴杆係止部５０を構成する凸部５８ａは、同一方向に向けて突き出し設けられ、先端部から基部側にかけて形成された湾曲凸面を備え、両方が同一形状に形成されている。
また、第２の半割杆１２ｂの綴杆係止部５０を構成する凹部５４ｂ及び第４の半割杆１４ｂの綴杆係止部５０を構成する凹部５８ｂは、同一方向に向けて凹み形成され、凸部５４ａ及び凸部５８ａの後端から基部側にかけて形成された湾曲凹面を備え、両方が同一形状に形成されている。
第１の半割杆１２ａの凸部５２ａ及び凹部５２ｂと第２の半割杆１２ｂの凸部５４ａ及び凹部５４ｂとは点対称に形成され、第３の半割杆１４ａの凸部５６ａ及び凹部５６ｂと第４の半割杆１４ｂの凸部５８ａ及び凹部５８ｂとは点対称に形成されている。
【０１６２】
第１の綴杆１２の凸部５２ａの傾斜対向面５２ｃ及び凹部５４ｂの傾斜対向面は、第１の綴杆１２の軸方向とは斜交するように形成され、開閉するときには、傾斜対向面５２ｃと凹部５４ｂの傾斜対向面とが一点を共有し合う内接関係で接する。
第１の綴杆１２の凸部５２ａの傾斜対向面５２ｃ及び凸部５４ａの傾斜対向面５４ｃは、第１の綴杆１２の軸方向とは斜交するように形成され、開閉するときには、傾斜対向面５２ｃと傾斜対向面５４ｃとが一点を共有し合う外接関係で接する。
第２の綴杆１４の凸部５６ａの傾斜対向面５６ｃ及び凹部５８ｂの傾斜対向面は、第２の綴杆１４の軸方向とは斜交するように形成され、開閉するときには、傾斜対向面５６ｃと凹部５８ｂの傾斜対向面とが一点を共有し合う内接関係で接する。
第２の綴杆１４の凸部５６ａの傾斜対向面５６ｃ及び凸部５８ａの傾斜対向面５８ｃは、第２の綴杆１４の軸方向とは斜交するように形成され、開閉するときには傾斜対向面５６ｃと傾斜対向面５８ｃとが一点を共有し合う外接関係で接する。
【０１６３】
主綴杆たる第１の綴杆１２を２本の指で挟んで綴杆を閉じ始めるとき、第２の綴杆１４の第３の半割杆１４ａの凸部５６ａと第２の綴杆１４の第４の半割杆１４ｂの凹部５８ｂとが当接する前に（図７４参照）、第１の綴杆１２の第１の半割杆１２ａの凸部５２ａと第１の綴杆１２の第２の半割杆１２ｂの凸部５４ａとが当接し、更に第１の綴杆１２を閉じるように作動させると、第１の綴杆１２の第１の半割杆１２ａの凹部５２ｂが第２の半割杆１２ｂの凸部５４ａ上を摺動するとともに、第１の綴杆１２の第１の半割杆１２ａの凸部５２ａが第２の半割杆１２ｂの凹部５４ｂに嵌合される正規の係止位置を通り過ぎて、第１の半割杆１２ａの凸部５２ａが第２の半割杆１２ｂの凹部５４ｂの傾斜対向面上を摺動してずり上がる（図７５参照）。
このように、第１の綴杆１２を閉じる方向に作動させると、第２の綴杆１４の第３の半割杆１４ａの凸部５６ａと第２の綴杆１４の第４の半割杆１４ｂの凸部５８ａとが当接し、更に、第１の綴杆１２を閉じるように作動させると、第２の綴杆１４の第３の半割杆１４ａの凸部５６ａが第４の半割杆１４ｂの凸部５８ａの傾斜対向面５８ｃ上を摺動し（図７４参照）、更に第１の綴杆１２の第１の半割杆１２ａの凸部５２ａが第２の半割杆１２ｂの凹部５４ｂの傾斜対向面をずり上がると、第２の綴杆１４の第３の半割杆１４ａの凸部５６ａ（第４の半割杆１４ｂの凸部５８ａ）が第４の半割杆１４ｂの凹部５８ｂ（第３の半割杆１４ａの凹部５６ｂ）に嵌まり込み嵌合する（図７５参照）。
その後、第１の綴杆１２から指を離し閉じる力を解放すると、開閉部材４０の作用により第１の綴杆１２はわずかに開く方向に逆戻りして、第１の綴杆１２は、第２の綴杆１４と同様に、第１の半割杆１２ａの凸部５２ａ（第２の半割杆１２ｂの凸部５４ａ）が第２の半割杆１２ｂの凹部５４ｂ（第１の半割杆１２ａの凹部５２ｂ）に嵌まり込み嵌合する（図７６参照）。
【０１６４】
綴杆を閉じるとき、第１の作動片３０及び第２の作動片３２は、山折り状態（図７０参照）から徐々に平面状態（図６５参照）に変わるとともに、同列に並んだ状態から、一旦綴杆係止部５０の外れる方向（第１の作動片３０はＯ1方向、第２の作動片３２はＯ2方向）に移動して、たがいちがいに並んだ状態となり（図７５参照）、その後逆戻りして同列に並ぶ。
それによって、移動規制部を構成する第１の作動片３０の規制凸起３０ｇが第２の作動片３２の規制凹部３２ｆ内を移動して、規制凹部３２ｆにおける綴杆係止部５０の外れる方向とは反対側の端縁に当接し、且つ移動規制部を構成する第２の作動片３２の規制凸起３２ｇが第１の作動片３０の規制凹部３０ｆ内を移動して、規制凹部３０ｆにおける綴杆係止部５０の外れる方向とは反対側の端縁に当接する（図６６参照）。そのために、綴杆を閉じるとき、第１の綴杆１２の第１の半割杆１２ａの凸部５２ａが第２の半割杆１２ｂの凹部５４ｂに嵌合される正規の停止位置を通り過ぎて、第１の半割杆１２ａの凸部５２ａが第２の半割杆１２ｂの凹部５４ｂの傾斜対向面上を摺動してずり上がりオーバーランするとき、第１の綴杆１２の移動距離を規制して適宜な位置でオーバーランが停止され、第１の綴杆１２の綴杆係止部５０から指を外せば開閉部材４０の元の状態に戻ろうとする力が作用して、第１の作動片３０及び第２の作動片３２は、一旦綴杆係止部５０の外れる方向（第１の作動片３０はＯ1方向、第２の作動片３２はＯ2方向）に移動してたがいちがいに並んだ状態から、逆戻りして同列に並び、綴杆係止部５０が嵌合する（図６４、６５、７４、７５及び７６参照）。
【０１６５】
このように、主綴杆たる第１の綴杆１２を閉じ始めると、直接指で閉じられない副綴杆たる第２の綴杆１４が閉じる方向に移動を始め、更に第１の綴杆１２が閉じて正規の係止位置を通り過ぎるまで移動すると、第２の綴杆１４の係合が進み第１の綴杆１２より先に第２の綴杆１４が完全に係止されるので、直接指で閉じられない副綴杆たる第２の綴杆１４が確実に係止された後、主綴杆たる第１の綴杆１２が確実に係止される。
したがって、第１の綴杆１２を指で摘んで先に閉じる方向に移動させたときに、オーバーランするように第１の綴杆１２を摘まめば、確実に第２の綴杆１４を正規の位置に係止でき、第１の綴杆１２の操作のみで、閉じることができる。
このように、第１の綴杆１２を指で操作することにより第２の綴杆１４を閉じることができるので、ワンタッチ綴具としての利便性が高い。
【０１６６】
また、第１の綴杆１２の頂部を指でねじることにより第１の綴杆１２の綴杆係止部５０を外したとき、第１の作動片３０と第２の作動片３２には、ねじられていた開閉部材４０が元の状態に戻ろうとする力、すなわち一方の固定先端部４２ａと他方の固定先端部４２ｂとが、図６１（Ｂ）（Ｃ）矢印方向に示すように、巻線部４４の円周方向に回転して元の状態に戻ろうとするように力が働くことにより、第１の綴杆１２は開く。
そして、第１の綴杆１２及び第２の綴杆１４は、その綴杆係止部５０が外され（図６６参照）、第１の作動片３０及び第２の作動片３２は、平面状態から山折り状態に変わるとともに、綴杆係止部５０の外れる方向（第１の作動片３０はＯ1方向、第２の作動片３２はＯ2方向）に移動する（図６９（Ａ）参照）。それによって、移動規制部を構成する第１の作動片３０の規制凸起３０ｇが第２の作動片３２の規制凹部３２ｆ内を移動して、規制凹部３２ｆにおける綴杆係止部５０の外れる方向とは反対側の端縁に突き当たり、且つ移動規制部を構成する第２の作動片３２の規制凸起３２ｇが第１の作動片３０の規制凹部３０ｆ内を移動して、規制凹部３０ｆにおける綴杆係止部５０方向とは反対側の端縁に突き当たる（図６９参照）。
第１の綴杆１２から手を離すと、第１の綴杆１２及び第２の綴杆１４は、開閉部材４０の一方の固定先端部４２ａと他方の固定先端部４２ｂとが、図６１（Ｂ）（Ｃ）矢印方向に示すように、巻線部４４の円周方向に回転して元の状態に戻ろうとするように第１の作動片３０及び第２の作動片３２に力を働かせることにより、更に開き（第１の半割杆１２ａ及び第３の半割杆１４ａはＯ3方向、第２の半割杆１２ｂ及び第４の半割杆１４ｂはＯ4方向）、且つ、開閉部材４０の巻線部４４が縮むことにより開閉部材４０の固定先端部４２ａと他方の固定先端部４２ｂとを平面視反対方向に移動するように力が働くことにより、第１の作動片３０と第２の作動片３２とは、逆方向に移動する（図６９参照）。
すなわち、作動部材１８及び開閉部材４０は、第２の綴杆１４を構成する第３の半割杆１４ａの凸部５６ａと第４の半割杆１４ｂの凸部５８ａとを開く方向に作用し、そして、第１の綴杆１２の第１の半割杆１２ａの凸部５２ａと第２の半割杆１２ｂの凸部５４ａとを引き離す方向に作用するとともに、第２の綴杆１４を構成する第３の半割杆１４ａの凸部５６ａと第４の半割杆１４ｂの凸部５８ａとを引き離すように作用する。
【０１６７】
このように、この実施の形態においては、第１の綴杆１２又は第２の綴杆１４の頂部を指でねじることにより、第１の綴杆１２の第１の半割杆１２ａおよび第２の半割杆１２ｂの綴杆係止部５０と、第２の綴杆１４の第３の半割杆１４ａおよび第４の半割杆１４ｂの綴杆係止部５０を外すことができる。
【０１６８】
また、第１の綴杆１２の第１の半割杆１２ａと第２の半割杆１２ｂの綴杆係止部５０および第２の綴杆１４の第３の半割杆１４ａと第４の半割杆１４ｂの綴杆係止部５０の係合を解除したとき、作動部材１８は、開閉部材４０の一方の固定先端部４２ａと他方の固定先端部４２ｂとが巻線部４４の円周方向において近づこうとする力が働くことにより、第１の作動片３０の突き合わせ縁３０ａと第２の作動片３２の突き合わせ縁３２ａとが、山折り状態になる。
【０１６９】
次に、作動部材１８を保持部材１６の保持空間内に装填する方法について、主として図７７及び図７８に基づいて説明する。
保持部材１６は、第１の作動片３０と第２の作動片３２を装填する前には、第１の保持壁２４ａの第１の保持部６０及び第１の保持部６２と第２の保持壁２４ｂの第２の保持部６４及び第２の保持部６６とが、第１の保持壁２４ａ及び第２の保持壁２４ｂの他の領域より外側に向けて膨出している（図７７（Ｂ）参照）。
すなわち、第１の保持壁２４ａは、第１の貫通孔２６の近傍において第１の保持部６０及び第１の保持部６２を形成するための第１の保持壁２４ａの下縁との間に間隔をおいて細い切り込み６８ａ及び切り込み７０ａが形成され、該切り込み６８ａ及び切り込み７０ａと第１の保持壁２４ａの下縁との間における領域が第１の保持壁２４ａより外側に向けて打ち出されて、第１の保持部６０及び第１の保持部６２が形成される（図７７（Ｂ）参照）。
また、第２の保持壁２４ｂは、第２の貫通孔２８の近傍において第２の保持部６４及び第２の保持部６６を形成するための第２の保持壁２４ｂの下縁との間に間隔をおいて細い切り込み７２ａ及び切り込み７４ａが形成され、該切り込み７２ａ及び切り込み７４ａと第２の保持壁２４ｂの下縁との間における領域が第２の保持壁２４ｂより外側に向けて打ち出されて、第２の保持部６４及び第２の保持部６６が形成される（図７７（Ａ）参照）。
作動部材１８を保持部材１６の保持空間内に装填するときは、まず、第１の作動片３０を保持部材１６内に装填し、次に、第２の作動片３２を保持部材１６内に装填する（図７８（Ａ）参照）。
このとき、第１の作動片３０の突出部３０ｃ1が第１の保持部６０の内側に、第１の作
動片３０の突出部３０ｃ2が第１の保持部６２の内側に位置し、第２の作動片３２の突出
部３２ｃ1が第２の保持部６４の内側に、第２の作動片３２の突出部３２ｃ2が第２の保持部６６の内側に位置する。
次に、第１の保持部６０、第１の保持部６２、第２の保持部６４及び第２の保持部６６を、第１の保持壁２４ａ及び第２の保持壁２４ｂの内側に向けて打ち込み、平面円弧状の第１の保持部６０、第１の保持部６２、第２の保持部６４及び第２の保持部６６を形成する（図７８（Ｂ）参照）。
而して、第１の保持部６０が突出部３０ｃ1の下面を、第１の保持部６２が突出部３０
ｃ2の下面を、第２の保持部６４が突出部３２ｃ1の下面を、第２の保持部６６が突出部３２ｃ2の下面をそれぞれ保持するように形成される。そして、突出部３０ｃ1は第１の貫通孔２６より外側に、突出部３０ｃ2は第２の貫通孔２８より外側に、突出部３２ｃ1は第１の貫通孔２６より外側に、突出部３２ｃ2は第２の貫通孔２８より外側に突き出る。
【０１７０】
次に、開閉部材４０を作動部材１８に装填する方法について、図５９ないし６１に基づいて説明する。
第１の綴杆１２と第２の綴杆１４とが閉じた状態において、開いた状態から閉じた状態への方向に向けて第１の作動片３０と第２の作動片３２とを突き合わせ縁３０ａ及び突き合わせ縁３２ａを中心に回動させる方向にばねに荷重を加えて、巻線部４４（コイル）の中心軸まわりにねじりモーメントを受け、素線に曲げ応力を発生させるようにして、開閉部材４０を固定先端部４２ａが第１の作動片３０に、固定先端部４２ｂが第２の作動片３２に固定する。
この場合、開閉部材４０は、巻線部４４にねじりモーメントなどの負荷が加わっていない状態（図６１（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図６０及び図６１（Ａ）図示））で、固定先端部４２ａ及び４２ｂが開閉部材固定部３８ａ及び開閉部材固定部３８ｂにそれぞれ固定する。
ばねに荷重を加える荷重の方向としては、巻線部４４（コイル）を巻き込む方向に向くように構成されている。
【０１７１】
前記実施の形態によれば、一対の作動片（第１の作動片３０及び第２の作動片３２）には、保持部材１６に形成された貫通孔（第１の貫通孔２６及び第２の貫通孔２８）に通される突出部（突出部３０ｃ1、突出部３０ｃ2、突出部３２ｃ1、及び突出部３２ｃ2）が形成されているので、作動片（第１の作動片３０及び第２の作動片３２）に綴杆（第１の綴杆１２、第２の綴杆１４）の基部を例えばカシメ止めをしても作動片（第１の作動片３０及び第２の作動片３２）にかかるストレスを少なくするために面積を大きくすることができる。そのために、作動片（第１の作動片３０及び第２の作動片３２）全体の強度を増すことができる。
【０１７２】
前記実施の形態の保持部とは異なり、図７９及び図８０において示すように、保持壁の下端縁より突き出し設けられた方形凸部を内側に向けて折り曲げて、第１の保持壁２４ａに第１の保持部１６０及び第１の保持部１６２が、第２の保持壁２４ｂに第２の保持部１６４及び第２の保持部１６６が形成され、作動部材１８の第１の作動片３０及び第２の作動片３２に形成された（第１の綴杆１２及び第２の綴杆１４が突出する方向とは反対側に向けて突設されている）突条２３０ｈ及び突条２３２ｈの下端縁を、第１の保持壁２４ａの第１の保持部１６０及び第１の保持部１６２、第２の保持壁２４ｂの第２の保持部１６４及び第２の保持部１６６により保持するように構成してもよい。
第１の作動片３０及び第２の作動片３２は、その長さ方向に、第１の保持壁２４ａの第１の保持部１６０と第１の保持部１６２及び第２の保持壁２４ｂの第２の保持部１６４と第２の保持部１６６の上面を摺動して移動することができる。
【０１７３】
前記実施の形態とは異なり、作動部材を、図８１及び図８２に示すように変更してもよい。
図８１及び図８２図示第１の作動片３０は、突き合わせ縁３０ａとは離れた位置で、間隔をおいて設けられた第１の綴杆１２の基部と第２の綴杆１４の基部とを結ぶ方向（図８１図示Ｘ1及びＸ2方向）に近い方向にのびる突条２３０ｈが形成されている。この実施の形態においては、第１の綴杆１２の基部と第２の綴杆１４の基部とを結ぶ方向と平行で第１の作動片３０の長さ方向にのびる。
前記突条２３０ｈは、間隔をおいて設けられた第１の綴杆１２の基部と第２の綴杆１４の基部の間で外側端縁３０ｂの突出部３０ｃ1と突出部３０ｃ2との間において、連続して、第１の綴杆１２及び第２の綴杆１４が突出する方向とは反対側に向けて突設されている。
前記突条２３０ｈは、第１の作動片３０を構成する平板状の金属製板体を断面Ｌ字形に折り曲げて形成されている。
また、図８１及び図８２図示第２の作動片３２は、突き合わせ縁３２ａとは離れた位置で、間隔をおいて設けられた第１の綴杆１２の基部と第２の綴杆１４の基部とを結ぶ方向（図８１図示Ｘ1及びＸ2方向）に近い方向にのびる突条２３２ｈが形成されている。この実施の形態においては、第１の綴杆１２の基部と第２の綴杆１４の基部とを結ぶ方向と平行で第２の作動片３２の長さ方向にのびる。
前記突条２３２ｈは、間隔をおいて設けられた第１の綴杆１２の基部と第２の綴杆１４の基部の間で外側端縁３２ｂの突出部３２ｃ1と突出部３２ｃ2との間において、連続して、第１の綴杆１２及び第２の綴杆１４が突出する方向とは反対側に向けて突設されている。
前記突条２３２ｈは、第２の作動片３２を構成する平板状の金属製板体を断面Ｌ字形に折り曲げて形成されている。
したがって、第１の作動片３０及び第２の作動片３２は、第１の綴杆１２の基部と第２の綴杆１４の基部間におけるしなりが、突条２３０ｈ及び突条２３２ｈにより防止される。
【０１７４】
図８１及び図８２図示第１の作動片３０は、基部で固定された第１の半割杆１２ａ及び第３の半割杆１４ａの基部の近傍に、第１の作動片３０を補強してしなりを少なくするために、ビード２３４ａ及びビード２３４ｂが上面に向けて突設されている。
図８１及び図８２図示第２の作動片３２は、基部で固定された第２の半割杆１２ｂ及び第４の半割杆１４ｂの基部の近傍に、第２の作動片３２を補強してしなりを少なくするために、ビード２３４ｃ及びビード２３４ｄが上面に向けて突設されている。
【０１７５】
ビード２３４ａは、第１の半割杆１２ａの基部と突出部３０ｃ1との間において第１の
作動片３０の長手方向にのびる第１直線部２３４ａ１と、突条２３０ｈの内側（第１の作動片３０の幅方向における略々中央において）で第１の半割杆１２ａの基部の近傍から第１の作動片３０の長手方向にのびる第２直線部２３４ａ2と、第１直線部２３４ａ１の内
側端と第２直線部２３４ａ２の外側端との間を結ぶ斜線部２３４ａ3とを備え、第１の作
動片３０の下面から上面に向けて一定幅を有する直線状凸部を突設してなる。
ビード２３４ｂは、第３の半割杆１４ａの基部と突出部３０ｃ2との間において第１の
作動片３０の長手方向にのびる第１直線部２３４ｂ１と、突条２３０ｈの内側（第１の作動片３０の幅方向における略々中央において）で第３の半割杆１４ａの基部の近傍から第１の作動片３０の長手方向にのびる第２直線部２３４ｂ2と、第１直線部２３４ｂ１の内
側端と第２直線部２３４ｂ２の外側端との間を結ぶ斜線部２３４ｂ3とを備え、第１の作
動片３０の下面から上面に向けて一定幅を有する直線状凸部を突設してなる。
ビード２３４ｃは、第２の半割杆１２ｂの基部と突出部３２ｃ1との間において第２の
作動片３２の長手方向にのびる第１直線部２３４ｃ１と、突条２３２ｈの内側（第２の作動片３２の幅方向における略々中央において）で第２の半割杆１２ｂの基部の近傍から第２の作動片３２の長手方向にのびる第２直線部２３４ｃ2と、第１直線部２３４ｃ1の内側端と第２直線部２３４ｃ2の外側端との間を結ぶ斜線部２３４ｃ3とを備え、第２の作動片３２の下面から上面に向けて一定幅を有する直線状凸部を突設してなる。
ビード２３４ｄは、第４の半割杆１４ｂの基部と突出部３２ｃ2との間において第２の
作動片３２の長手方向にのびる第１直線部２３４ｄ１と、突条２３２ｈの内側（第２の作動片３２の幅方向における略々中央において）で第３の半割杆１４ｂの基部の近傍から第２の作動片３２の長手方向にのびる第２直線部２３４ｄ2と、第１直線部２３４ｄ１の内
側端と第２直線部２３４ｄ２の外側端との間を結ぶ斜線部２３４ｄ3とを備え、第２の作
動片３２の下面から上面に向けて一定幅を有する直線状凸部を突設してなる。
【０１７６】
綴具１０を表紙Ａに取り付けるには、第１の保持壁２４ａおよび第２の保持壁２４ｂの下端縁を接合して取付孔２０，２０にボルトナットや鋲により取り付ければよい。
また、前記実施の形態においては、第１の綴杆１２と第２の綴杆１４といったように、２穴タイプの綴具について説明したが、綴杆を増やした多穴タイプ、例えば、３穴、４穴、２０穴、２６穴、３０穴といった多くの綴杆を備えた綴具とすることができる。
綴杆の数に対応して、保持部材及び作動部材の長さがのびるとともに保持部材の第１の貫通孔及び第２の貫通孔の間に１または複数の第１の貫通孔及び第２の貫通孔と同様な貫通孔を形成し、作動部材に固定された綴杆を貫挿できるようにすればよい。
【０１７７】
開閉部材は、前記実施の形態の綴具においては、一対の作動片に対応して、１個が装填されていたが、合計２個の開閉部材を装填してもよい。
また、作動部材を構成する第１の作動片及び第２の作動片は、それぞれ一体成形されていたが、綴杆の数が増加（４穴、２０穴、２６穴、３０穴など）するに従って、第１の作動片及び第２の作動片をそれぞれ分割してもよい。
【０１７８】
次に、本発明にかかる別の実施の形態である４穴真円型リング綴具（図４１図示綴具の変形例）を備えたファイル・バインダ類について、図８３ないし図８７に基づいて説明する。
この実施の形態の綴具５１０は、前記実施の形態の綴具１０と略同様の構成であるが、主として、綴杆の数が増加したことに伴う、保持部材の構成、作動部材の構成および開閉部材の構成が異なるので、それらを中心に以下説明する。
【０１７９】
綴具５１０は、一対のそれぞれ略円環状の金属製の第１の綴杆５１２、第２の綴杆５１３、第３の綴杆５１４および第４の綴杆５１５と、前記第１の綴杆５１２および第４の綴杆５１５をそれぞれ間隔をおいて設けることができる長さを備えた保持部材５１６と、その表面に第１の綴杆５１２および第４の綴杆５１５が間隔をおいてそれぞれの基部が固定され、第１の綴杆５１２第２の綴杆５１３、第３の綴杆５１４および第４の綴杆５１５が前記保持部材５１６に固定されるように保持部材５１６の内側に可動自在に固定された作動部材５１８とを備える。
【０１８０】
綴杆は、４穴タイプのために、第１の綴杆５１２、第２の綴杆５１３、第３の綴杆５１４および第４の綴杆５１５の４個の綴杆からなる。第１の綴杆５１２は、第１の半割杆５１２ａおよび第２の半割杆５１２ｂを備え、第２の綴杆５１３は、第３の半割杆５１３ａおよび第４の半割杆５１３ｂを備え、第３の綴杆５１４は、第５の半割杆５１４ａおよび第６の半割杆５１４ｂを備え、第４の綴杆５１５は、第７の半割杆５１５ａおよび第８の半割杆５１５ｂを備える。
そして、用紙等の被綴じ物Ｓに予め穿設された綴じ孔に挿通して、用紙等の被綴じ物Ｓを綴じることができるように、第１の半割杆５１２ａおよび第２の半割杆５１２ｂの先端と、第３の半割杆５１３ａおよび第４の半割杆５１３ｂの先端と、第５の半割杆５１４ａおよび第６の半割杆５１４ｂの先端と、第７の半割杆５１５ａおよび第８の半割杆５１５ｂの先端とにおいて、すなわち第１の綴杆５１２、第２の綴杆５１３、第３の綴杆５１４および第４の綴杆５１５の頂部において、綴杆係止部５５０が形成されている。
第１の綴杆５１２を構成する第１の半割杆５１２ａと第２の半割杆５１２ｂとは、第１の半割杆５１２ａの綴杆係止部５５０と、第２の半割杆５１２ｂの綴杆係止部５５０とを係止することにより、環状に係合される。
また、第３の綴杆５１４を構成する第５の半割杆５１４ａと第６の半割杆５１４ｂとは、第５の半割杆５１４ａの綴杆係止部５５０と第６の半割杆５１４ｂの綴杆係止部５５０とを係止することにより、環状に係合される。
【０１８１】
保持部材５１６は、第１の綴杆５１２、第２の綴杆５１３、第３の綴杆５１４および第４の綴杆５１５を所定の間隔をおいて設けることができる長さを備える平面略長方形で、その両端、すなわち表紙Ａに取り付ける取付孔５２０近傍においては、平面略半円弧状に形成されている。
保持部材５１６は、被綴じ物載置部５２２の内側には保持空間を備え、その空間に作動部材５１８等を収容するように構成されている。
保持部材５１６の被綴じ物載置部５２２の両端には、その長手方向に略々その一端から他端に亘って、作動部材５１８を摺動自在に保持する保持壁５２４が設けられている。この実施の形態においては、保持部材５１６の長手方向において、第１の綴杆５１２、第２の綴杆５１３、第３の綴杆５１４および第４の綴杆５１５のそれぞれの外側近傍より内部に亘って略全体において垂下されるように、第１の保持壁５２４ａおよび第２の保持壁５２４ｂが連設され、第１の保持壁５２４ａと第２の保持壁５２４ｂとは平行で略同一の形状の板状である。そして、この第１の保持壁５２４ａおよび第２の保持壁５２４ｂと被綴じ物載置部５２２によって囲繞された保持空間内に、後に詳しく説明する作動部材５１８等が収容される。
【０１８２】
保持部材５１６の被綴じ物載置部５２２には、第１の綴杆５１２と第２の綴杆５１３とを、一定の間隔（日本工業規格等で決められている一定の長さ）をおいて遊貫するための、第１の貫通孔５２６と第２の貫通孔５２７がそれぞれ穿設されるとともに、第３の綴杆５１４と第４の綴杆５１５とを、一定の間隔（日本工業規格等で決められている一定の長さ）をおいて遊貫するための、第３の貫通孔５２８及び第４の貫通孔５２９がそれぞれ穿設されている。
第１の貫通孔５２６及び第２の貫通孔５２７と第３の貫通孔５２８及び第４の貫通孔５２９とは、それぞれの綴杆を構成する半割杆に対応して、保持部材５１６の幅方向において左右に分かれて一定の間隔をおいて、２つずつ穿設されている。
【０１８３】
作動部材５１８を構成する作動片は、前記実施の形態の綴具の作動片とは異なり長く形成された、左右一対の作動片５３０及び作動片５３２を有する。
第１の作動片５３０は、前記第１の半割杆５１２ａ、第３の半割杆５１３ａ、第５の半割杆５１４ａ及び第７の半割杆５１５ａの基部が固定されている。
第２の作動片５３２は、第２の半割杆５１２ｂ、第４の半割杆５１３ｂ、第６の半割杆５１４ｂ及び第８の半割杆５１５ｂの基部が固定されている。
【０１８４】
前記第１の作動片５３０の第１係合部５３６ａの係合面と前記第２の作動片５３２の第２係合部５３６ｂの係合面とを、前記基準面ＬＰ1及び基準面ＬＰ2と略々同じ高さ又は低い高さにおいて係合されている。
前記第２の作動片５３２の第１係合部５３６ａの係合面と前記第１の作動片５３０の第２係合部５３６ｂの係合面とを、前記基準面ＬＰ1及び基準面ＬＰ2と略々同じ高さ又は低い高さにおいて係合されている。
第１係合部５３６ａは、第１の作動片の向こう側第１係合部５３６ａ1、第１作動片の手前側第１係合部５３６ａ2、第２の作動片の手前側第１係合部５３６ａ3及び第２の作動片の向こう側第１係合部５３６ａ4を含む。
第２係合部５３６ｂは、第２の作動片の向こう側第２係合部５３６ｂ1、第２の作動片の手前側第２係合部５３６ｂ2、第１の作動片の手前側第２係合部５３６ｂ3及び第１の作動片の向こう側第２係合部５３６ｂ4を含む。
【０１８５】
第１の作動片５３０及び第２の作動片５３２は、第１の作動片の向こう側凹み部７３０ｄ、第１の作動片の手前側凹み部中央７３０ｅ、第２の作動片の向こう側凹み部７３２ｄ及び第２の作動片の手前側凹み部７３２ｅが形成され、且つ、第１の作動片の向こう側凹み部７３０ｄに第１の作動片の向こう側第１係合部５３６ａ1を形成され、第２の作動片の向こう側凹み部７３２ｄに第２の作動片の向こう側第２係合部５３６ｂ1を形成され、第２の作動片の手前側凹み部７３２ｅに第２の作動片の手前側第１係合部５３６ａ3を形成され、第１の作動片の手前側凹み部７３０ｅに第１の作動片の手前側第２係合部５３６ｂ3を形成され、第１の作動片の手前側凹み部７３０ｅに第１の作動片の手前側第１係合部５３６ａ2を形成され、第２の作動片の手前側凹み部７３２ｅに第２の作動片の手前側第２係合部５３６ｂ2を形成され、第２の作動片の向こう側凹み部７３２ｄに第２の作動片の向こう側第１係合部５３６ａ4を形成され、第１の作動片の向こう側凹み部７３０ｄに第１の作動片の向こう側第２係合部５３６ｂ4を形成されている。
【０１８６】
第１の作動片の向こう側凹み部７３０ｄ及び第２の作動片の向こう側凹み部７３２ｄと第１の作動片の手前凹み部７３０ｅ及び第２の作動片の手前側凹み部７３２ｅは、第１の作動片５３０及び第２の作動片５３２の長さ方向において、上下に分かれて上下２対ずつ形成されている。
又、第１の作動片の向こう側第１係合部５３６ａ1及び第２の作動片の向こう側第１係合部５３６ａ4と第１の作動片の手前側第１係合部５３６ａ2及び第２の作動片の手前側第１係合部５３６ａ3も、第１の作動片５３０及び第２の作動片５３２の長さ方向において、上下に分かれて上下２対ずつ形成されている。
なお、前記実施の形態と同様に、規制凹部５３０ｆ、５３２ｆと規制凸部５３０ｇ、５３２ｇも同様に形成されている。
【０１８７】
そして、開閉部材５４０は、第１の作動片５３０の開閉部材固定部５３８ａ1と第２の作動片５３２の開閉部材固定部５３８ｂ1とに跨って突き合わせ縁５３０ａ及び突き合わせ縁５３２ａと斜交するように固定され、開閉部材５４２は、第１の作動片５３０の開閉部材固定部５３８ａ2と第２の作動片５３２の開閉部材固定部５３８ｂ2とに跨って突き合わせ縁５３０ａ及び突き合わせ縁５３２ａと斜交するように固定される。
開閉部材５４０の固定先端部５４０ａは第１の作動片５３０の開閉部材固定部５３８ａ1に、固定先端部５４０ｂは第２の作動片５３２の開閉部材固定部５３８ｂ1にそれぞれ固定され、開閉部材５４２の固定先端部５４２ａは第１の作動片５３０の開閉部材固定部５３８ａ2に、固定先端部５４２ｂは第２の作動片５３２の開閉部材固定部５３８ｂ2にそれぞれ固定される。
【０１８８】
前記第１の作動片５３０は、前記突き合わせ縁５３０ａとは離れた位置で、間隔をおいて設けられた第１の綴杆５１２の基部と第５の綴杆５１５の基部とを結ぶ方向（図８５図示Ｘ1及びＸ2方向）に近い方向にのびる突条５３０ｈが形成されている。この実施の形態においては、第１の綴杆５１２の基部と第５の綴杆５１５の基部とを結ぶ方向と平行で第１の作動片５３０の長さ方向にのびる。
前記突条５３０ｈは、間隔をおいて設けられた第１の綴杆５１２の基部と第５の綴杆５１５の基部の間で、外側端縁５３０ｂにおいて、突出部５３０ｃ3の近傍を除いて連続して、第１の綴杆５１２及び第５の綴杆５１５が突出する方向とは反対側に向けて突設されている。
前記突条５３０ｈは、第１の作動片５３０を構成する平板状の金属製板体を断面Ｌ字形に折り曲げて形成されている。
また、前記第２の作動片５３２は、前記突き合わせ縁５３２ａとは離れた位置で、間隔をおいて設けられた第１の綴杆５１２の基部と第５の綴杆５１５の基部とを結ぶ方向（図８５図示Ｘ1及びＸ2方向）に近い方向にのびる突条５３２ｈが形成されている。この実施の形態においては、第１の綴杆５１２の基部と第５の綴杆５１５の基部とを結ぶ方向と平行で第２の作動片５３２の長さ方向にのびる。
前記突条５３２ｈは、間隔をおいて設けられた第１の綴杆５１２の基部と第５の綴杆５１５の基部の間で、外側端縁５３２ｂにおいて、突出部５３０ｃ3の近傍を除いて連続して、第１の綴杆５１２及び第５の綴杆５１５が突出する方向とは反対側に向けて突設されている。
前記突条５３２ｈは、第２の作動片５３２を構成する平板状の金属製板体を断面Ｌ字形に折り曲げて形成されている。
したがって、第１の作動片５３０及び第２の作動片５３２は、第１の綴杆５１２の基部と第５の綴杆５１５の基部間におけるしなりが、突条５３０ｈ及び突条５３２ｈにより防止される。
【０１８９】
第１の作動片５３０は、基部で固定された第１の半割杆５１２ａ及び第７の半割杆５１５ａの基部の近傍と中央の突出部５３０ｃ3の近傍とに、第１の作動片５３０を補強してしなりを少なくするために、ビード５３４ａ、ビード５３４ｂ及びビード５３４ｅが上面に向けて突設されている。
第２の作動片５３２は、基部で固定された第２の半割杆５１２ｂ及び第８の半割杆５１５ｂの基部の近傍と中央の突出部５３２ｃ3の近傍とに、第２の作動片５３２を補強してしなりを少なくするために、ビード５３４ｃ、ビード５３４ｄ及びビード５３４ｆが上面に向けて突設されている。
【０１９０】
ビード５３４ａは、第１の半割杆５１２ａの基部と突出部５３０ｃ1との間において第
１の作動片５３０の長手方向にのびる第１直線部５３４ａ１と、突条５３０ｈの内側（第１の作動片５３０の幅方向における略々中央において）で第１の半割杆５１２ａの基部の近傍から第１の作動片５３０の長手方向にのびる第２直線部５３４ａ2と、第１直線部５
３４ａ１の内側端と第２直線部５３４ａ２の外側端との間を結ぶ斜線部５３４ａ3とを備
え、第１の作動片５３０の下面から上面に向けて一定幅を有する直線状凸部を突設してなる。
ビード５３４ｂは、第７の半割杆５１５ａの基部と突出部５３０ｃ2との間において第
１の作動片５３０の長手方向にのびる第１直線部５３４ｂ１と、突条５３０ｈの内側（第１の作動片５３０の幅方向における略々中央において）で第３の半割杆５１４ａの基部の近傍から第１の作動片５３０の長手方向にのびる第２直線部５３４ｂ2と、第１直線部５
３４ｂ１の内側端と第２直線部５３４ｂ２の外側端との間を結ぶ斜線部５３４ｂ3とを備
え、第１の作動片５３０の下面から上面に向けて一定幅を有する直線状凸部を突設してなる。
ビード５３４ｃは、第２の半割杆５１２ｂの基部と突出部５３２ｃ1との間において第
２の作動片５３２の長手方向にのびる第１直線部５３４ｃ１と、突条５３２ｈの内側（第２の作動片５３２の幅方向における略々中央において）で第２の半割杆５１２ｂの基部の近傍から第２の作動片５３２の長手方向にのびる第２直線部５３４ｃ2と、第１直線部５
３４ｃ1の内側端と第２直線部５３４ｃ2の外側端との間を結ぶ斜線部５３４ｃ3とを備え
、第２の作動片５３２の下面から上面に向けて一定幅を有する直線状凸部を突設してなる。
ビード５３４ｄは、第８の半割杆５１５ｂの基部と突出部５３２ｃ2との間において第
２の作動片５３２の長手方向にのびる第１直線部５３４ｄ１と、突条５３２ｈの内側（第２作動片５３２の幅方向における略々中央において）で第３の半割杆５１４ｂの基部の近傍から第２の作動片５３２の長手方向にのびる第２直線部５３４ｄ2と、第１直線部５３
４ｄ１の内側端と第２直線部５３４ｄ２の外側端との間を結ぶ斜線部５３４ｄ3とを備え
、第２の作動片５３２の下面から上面に向けて一定幅を有する直線状凸部を突設してなる。
ビード５３４ｅは、直線状であり、突出部５３０ｃ3の近傍において、上下に分断され
た突条５３０ｈと突条５３０ｈとの間に跨って形成されている。
ビード５３４ｆは、直線状であり、突出部５３２ｃ3の近傍において、上下に分断され
た突条５３２ｈと５３２ｈとの間に跨って形成されている。
【０１９１】
開閉部材は、前記実施の形態の綴具においては、一対の作動片に対応して、１個が装填されていたが、この実施の形態の綴具においては、一対の作動片５３０及び作動片５３２の長さに対応して、上下に１個ずつ、合計２個の開閉部材５４０及び開閉部材５４２が装填されている。
【０１９２】
突出部５３０ｃ1は第１保持部５６０により、突出部５３０ｃ2は第１保持部５６２により、突出部５３２ｃ1は第２保持部５６４により、突出部５３２ｃ2は第２保持部５６６により、それぞれ保持される。
また、突出部５３０ｃ3は第３保持部５６１により、突出部５３２ｃ3は第３保持部５６５により、それぞれ保持される。
【０１９３】
次に、本発明にかかる別の実施の形態である３穴真円型リング綴具（図４７図示綴具の変形例）を備えたファイル・バインダ類について、図８８ないし図９２に基づいて説明する。
この実施の形態の綴具６１０は、前記実施の形態の綴具２１０と略同様の構成であるが、主として、綴杆の数が増加したことに伴う、保持部材の構成、作動部材の構成および開閉部材の構成が異なるので、それらを中心に以下説明する。
【０１９４】
綴具６１０は、一対のそれぞれ略円環状の金属製の第１の綴杆６１２、第２の綴杆６１３及び第３の綴杆６１４と、前記第１の綴杆６１２ないし第３の綴杆６１４をそれぞれ間隔をおいて設けることができる長さを備えた保持部材６１６と、その表面に第１の綴杆６１２ないし第３の綴杆６１４が間隔をおいてそれぞれの基部が固定され、第１の綴杆６１２、第２の綴杆６１３及び第３の綴杆６１４が前記保持部材６１６に固定されるように保持部材６１６の内側に可動自在に固定された作動部材６１８とを備える。
【０１９５】
綴杆は、３穴タイプのために、第１の綴杆６１２、第２の綴杆６１３及び第３の綴杆６１４の３個の綴杆からなる。第１の綴杆６１２は、第１の半割杆６１２ａおよび第２の半割杆６１２ｂを備え、第２の綴杆６１３は、第３の半割杆６１３ａおよび第４の半割杆６１３ｂを備え、第３の綴杆６１４は、第５の半割杆６１４ａおよび第６の半割杆６１４ｂを備える。
そして、用紙等の被綴じ物Ｓに予め穿設された綴じ孔に挿通して、用紙等の被綴じ物Ｓを綴じることができるように、第１の半割杆６１２ａおよび第２の半割杆６１２ｂの先端と、第３の半割杆６１３ａおよび第４の半割杆６１３ｂの先端と、第５の半割杆６１４ａと第６の半割杆６１４ｂの先端とにおいて、すなわち第１の綴杆６１２、第２の綴杆６１３および第３の綴杆６１４の頂部において、綴杆係止部６５０が形成されている。
【０１９６】
前記綴杆を構成する第１の綴杆６１２、第２の綴杆６１３及び第３の綴杆６１４は、断面円形状金属製線材を、綴杆係止部６５０を外す方向（図８９のＯ1及びＯ2の方向）にのばし、且つ中央部分を押さえることによって綴杆を閉じる方向に対してわん曲させて形成されている。そして、第１の綴杆６１２、第２の綴杆６１３及び第３の綴杆６１４は、中央が綴杆を開く方向（第１の半割杆６１２ａ、第３の半割杆６１３ａ及び第５の半割杆６１４ａは、図８９のＯ3方向、第２の半割杆６１２ｂ、第４の半割杆６１３ｂ、第６の半割杆６１４ｂは、図８９のＯ4方向）に膨み且つ両端が綴杆を閉じる方向にわん曲した断面略空豆（ビーンズ）型の形状に形成されている。
すなわち、環状の第１の綴杆６１２、第２の綴杆６１３及び第３の綴杆６１４を開閉方向に見て、第１の綴杆６１２、第２の綴杆６１３及び第３の綴杆６１４の内側は波状起伏面が形成され、第１の綴杆６１２、第２の綴杆６１３及び第３の綴杆６１４の外側は半円弧状に形成されている。そして、第１の綴杆６１２、第２の綴杆６１３及び第３の綴杆６１４は、綴杆を外す方向に見て、両外側が、半円弧状に形成されている。
従来の断面形状丸型の綴杆は、小径だと変形に弱く、大径にすれば断面積が増して材料費がかさみ、従来の断面形状略長方形の綴杆は、用紙等の被綴じ物Ｓにあける綴じ穴には丸穴が多いので、用紙等の被綴じ物Ｓの綴じ穴に対応しにくく、用紙等の被綴じ物Ｓの綴じ穴を傷つけるおそれがある。
ところが、綴杆を構成する第１の綴杆６１２、第２の綴杆６１３及び第３の綴杆６１４は、細いならば綴杆係止部６５０の嵌合がうまくゆかないときがある。
そのために、第１の綴杆６１２、第２の綴杆６１３及び第３の綴杆６１４の幅を広げたいが、元の線材として断面積の小さいものを使用しても、元の金属製線材を加工することにより綴杆としては必要な幅が確保されるようにしたい。
そこで、本発明にかかる綴杆は、それを形成する線材の中央部分を押さえて線材を空豆（ビーンズ）型につぶすことにより全体としての幅を広げ、すなわち、綴杆の全体の幅を綴杆係止部６５０を外す方向に広げて、綴杆係止部６５０の嵌合を完全にできるように形成している。
【０１９７】
保持部材６１６は、第１の綴杆６１２、第２の綴杆６１３及び第３の綴杆６１４を所定の間隔をおいて設けることができる長さを備える平面略長方形で、その両端、すなわち表紙Ａに取り付ける取付孔６２０近傍においては、平面略半円弧状に形成されている。
保持部材６１６は、被綴じ物載置部６２２の内側には保持空間を備え、その空間に作動部材６１８等を収容するように構成されている。
保持部材６１６の被綴じ物載置部６２２の両端には、その長手方向に略々その一端から他端に亘って、作動部材６１８を摺動自在に保持する保持壁６２４が設けられている。この実施の形態においては、保持部材６１６の長手方向において、第１の綴杆６１２、第２の綴杆６１３及び第３の綴杆６１４のそれぞれの外側近傍より内部に亘って略全体において垂下されるように、第１の保持壁６２４ａおよび第２の保持壁６２４ｂが連設され、第１の保持壁６２４ａと第２の保持壁６２４ｂとは平行で略同一の形状の板状である。そして、この第１の保持壁６２４ａおよび第２の保持壁６２４ｂと被綴じ物載置部６２２によって囲繞された保持空間内に、後に詳しく説明する作動部材６１８等が収容される。
【０１９８】
保持部材６１６の被綴じ物載置部６２２には、第１の綴杆６１２と第２の綴杆６１３とに、第３の綴杆６１４とを、一定の間隔（日本工業規格等で決められている一定の長さ）をおいて遊貫するための、第１の貫通孔６２６、第２の貫通孔６２７及び第３の貫通孔６２８がそれぞれ穿設されている。
第１の貫通孔６２６と第２の貫通孔６２７と第３の貫通孔６２８とは、それぞれの綴杆を構成する半割杆に対応して、保持部材６１６の幅方向において左右に分かれて一定の間隔をおいて、２つずつ穿設されている。
【０１９９】
作動部材６１８を構成する作動片は、前記実施の形態の綴具１０の作動片と同様に、左右一対の作動片を有する。
前記第１の半割杆６１２ａ、第３の半割杆６１３ａ及び第５の半割杆６１４ａの基部が固定された第１の作動片６３０と第２の半割杆６１２ｂ、第４の半割杆６１３ｂ及び第６の半割杆６１４ｂの基部が固定された第２の作動片６３２とは、前記実施の形態の第１の作動片５３０および第２の作動片５３２と略同一に形成されている。
【０２００】
前記第１の作動片６３０の第１係合部６３６ａの係合面と前記第２の作動片６３２の第２係合部６３６ｂの係合面とを、前記基準面ＬＰ1及び基準面ＬＰ2と略々同じ高さ又は低い高さにおいて係合されている。
前記第２の作動片６３２の第１係合部６３６ａの係合面と前記第１の作動片６３０の第２係合部１３６ｂの係合面とを、前記基準面ＬＰ1及び基準面ＬＰ2と略々同じ高さ又は低い高さにおいて係合されている。
第１係合部６３６ａは、第１の作動片の向こう側第１係合部６３６ａ1、第１作動片の手前側第１係合部６３６ａ2、第２の作動片の手前側第１係合部６３６ａ3及び第２の作動片の向こう側第１係合部６３６ａ4を含む。
第２係合部６３６ｂは、第２の作動片の向こう側第２係合部６３６ｂ1、第２の作動片の手前側第２係合部６３６ｂ2、第１の作動片の手前側第２係合部６３６ｂ3及び第１の作動片の向こう側第２係合部６３６ｂ4を含む。
また、この実施の形態においては、第１の作動片６３０及び第２の作動片６３２の長手方向における中央においても、第１係合部６３６ａ及び第２係合部６３６ｂが形成されている。
中央の第１係合部６３６ａ及び第２係合部６３６ｂは、第１の作動片の中央の凹み部８３０ｄ5及び第１係合部６３６ａ5並びに第２の作動片の凹み部８３２ｄ5及び第１係合部６３６ａ6が形成されている。
【０２０１】
第１の作動片６３０及び第２の作動片６３２は、第１の作動片の向こう側凹み部８３０ｄ、第１の作動片の手前側凹み部８３０ｅ、第２の作動片の向こう側凹み部８３２ｄ及び第２の作動片の手前側凹み部８３２ｅが形成され、且つ、第１の作動片の向こう側凹み部８３０ｄに第１の作動片の向こう側第１係合部６３６ａ1を形成され、第２の作動片の向こう側凹み部８３２ｄに第２の作動片の向こう側第２係合部６３６ｂ1を形成され、第２の作動片の手前側凹み部８３２ｅに第２の作動片の手前側第１係合部６３６ａ3を形成され、第１の作動片の手前側凹み部８３０ｅに第１の作動片の手前側第２係合部６３６ｂ3を形成され、第２の作動片の手前側凹み部８３２ｅに第１の作動片の手前側第１係合部６３６ａ2を形成され、第２の作動片の手前側凹み部８３２ｅに第２の作動片の手前側第２係合部６３６ｂ2を形成され、第２の作動片の向こう側凹み部８３２ｄに第２の作動片の向こう側第１係合部６３６ａ4を形成され、第１の作動片の向こう側凹み部８３０ｄに第１の作動片の向こう側第２係合部６３６ｂ4を形成されている。
なお、前記実施の形態と同様に、規制凹部６３０ｆ、６３２ｆと規制凸部６３０ｇ、６３２ｇも同様に形成されている。
【０２０２】
そして、開閉部材６４０は、第１の作動片６３０の開閉部材固定部６３８ａ1と第２の作動片６３２の開閉部材固定部６３８ｂ1とに跨って突き合わせ縁６３０ａ及び突き合わせ縁６３２ａと斜めに交差するように架け渡され、すなわち斜交するように固定され、開閉部材６４２は、第１の作動片６３０の開閉部材固定部６３８ａ2と第２の作動片６３２の開閉部材固定部６３８ｂ2とに跨って突き合わせ縁６３０ａ及び突き合わせ縁６３２ａと斜めに交差するように架け渡され、すなわち斜交するように固定される。
開閉部材６４０の固定先端部６４０ａは第１の作動片６３０の開閉部材固定部６３８ａ1に、固定先端部６４０ｂは第２の作動片６３２の開閉部材固定部６３８ｂ1にそれぞれ固定され、開閉部材６４２の固定先端部６４２ａは第１の作動片６３０の開閉部材固定部６３８ａ2に、固定先端部６４２ｂは第２の作動片６３２の開閉部材固定部６３８ｂ2にそれぞれ固定される。
【０２０３】
前記第１の作動片６３０は、前記突き合わせ縁６３０ａとは離れた位置で、間隔をおいて設けられた第１の綴杆６１２の基部と第３の綴杆６１４の基部とを結ぶ方向（図９０図示Ｘ1及びＸ2方向）に近い方向にのびる突条６３０ｈが形成されている。この実施の形態においては、第１の綴杆６１２の基部と第３の綴杆６１４の基部とを結ぶ方向と平行で第１の作動片６３０の長さ方向にのびる。
前記突条６３０ｈは、間隔をおいて設けられた第１の綴杆６１２の基部と第３の綴杆６１４の基部の間で、外側端縁６３０ｂにおいて、突出部６３０ｃ3の近傍を除いて連続して、第１の綴杆６１２及び第３の綴杆６１４が突出する方向とは反対側に向けて突設されている。
前記突条６３０ｈは、第１の作動片６３０を構成する平板状の金属製板体を断面Ｌ字形に折り曲げて形成されている。
また、前記第２の作動片６３２は、前記突き合わせ縁６３２ａとは離れた位置で、間隔をおいて設けられた第１の綴杆６１２の基部と第３の綴杆６１４の基部とを結ぶ方向（図９０図示Ｘ1及びＸ2方向）に近い方向にのびる突条６３２ｈが形成されている。この実施の形態においては、第１の綴杆６１２の基部と第３の綴杆６１４の基部とを結ぶ方向と平行で第２の作動片６３２の長さ方向にのびる。
前記突条６３２ｈは、間隔をおいて設けられた第１の綴杆６１２の基部と第３の綴杆６１４の基部の間で、外側端縁６３２ｂにおいて、突出部６３２ｃ3の近傍を除いて連続して、第１の綴杆６１２及び第３の綴杆６１４が突出する方向とは反対側に向けて突設されている。
前記突条６３２ｈは、第２の作動片６３２を構成する平板状の金属製板体を断面Ｌ字形に折り曲げて形成されている。
したがって、第１の作動片６３０及び第２の作動片６３２は、第１の綴杆６１２の基部と第３の綴杆６１４の基部間におけるしなりが、突条６３０ｈ及び突条６３２ｈにより防止される。
【０２０４】
第１の作動片６３０は、基部で固定された第１の半割杆６１２ａ、第３の半割杆６１３ａ及び第５の半割杆６１４ａの基部の近傍に、第１の作動片６３０を補強してしなりを少なくするために、ビード６３４ａ、ビード６３４ｂ及びビード６３４ｅが上面に向けて突設されている。
第２の作動片６３２は、基部で固定された第２の半割杆６１２ｂ、第４の半割杆６１３ｂ及び第６の半割杆６１４ｂの基部の近傍に、第２の作動片６３２を補強してしなりを少なくするために、ビード６３４ｃ、ビード６３４ｄ及びビード６３４ｆが上面に向けて突設されている。
【０２０５】
ビード６３４ａは、第１の半割杆６１２ａの基部と突出部６３０ｃ1との間において第
１の作動片６３０の長手方向にのびる第１直線部６３４ａ１と、突条６３０ｈの内側（第１の作動片６３０の幅方向における略々中央において）で第１の半割杆６１２ａの基部の近傍から第１の作動片６３０の長手方向にのびる第２直線部６３４ａ2と、第１直線部６
３４ａ１の内側端と第２直線部６３４ａ２の外側端との間を結ぶ斜線部６３４ａ3とを備
え、第１の作動片６３０の下面から上面に向けて一定幅を有する直線状凸部を突設してなる。
ビード６３４ｂは、第５の半割杆６１４ａの基部と突出部６３０ｃ2との間において第
１の作動片６３０の長手方向にのびる第１直線部６３４ｂ１と、突条６３０ｈの内側（第１の作動片６３０の幅方向における略々中央において）で第５の半割杆６１４ａの基部の近傍から第１の作動片６３０の長手方向にのびる第２直線部６３４ｂ2と、第１直線部６
３４ｂ１の内側端と第２直線部６３４ｂ２の外側端との間を結ぶ斜線部６３４ｂ3とを備
え、第１の作動片６３０の下面から上面に向けて一定幅を有する直線状凸部を突設してなる。
ビード６３４ｃは、第２の半割杆６１２ｂの基部と突出部６３２ｃ1との間において第
２の作動片６３２の長手方向にのびる第１直線部６３４ｃ１と、突条６３２ｈの内側（第２の作動片６３２の幅方向における略々中央において）で第２の半割杆６１２ｂの基部の近傍から第２の作動片６３２の長手方向にのびる第２直線部６３４ｃ2と、第１直線部６
３４ｃ1の内側端と第２直線部６３４ｃ2の外側端との間を結ぶ斜線部６３４ｃ3とを備え
、第２の作動片６３２の下面から上面に向けて一定幅を有する直線状凸部を突設してなる。
ビード６３４ｄは、第６の半割杆６１４ｂの基部と突出部６３２ｃ2との間において第
２の作動片６３２の長手方向にのびる第１直線部６３４ｄ１と、突条６３２ｈの内側（第２の作動片６３２の幅方向における略々中央において）で第６の半割杆６１４ｂの基部の近傍から第２の作動片６３２の長手方向にのびる第２直線部６３４ｄ2と、第１直線部６
３４ｄ１の内側端と第２直線部６３４ｄ2の外側端との間を結ぶ斜線部６３４ｄ3とを備え、第２の作動片６３２の下面から上面に向けて一定幅を有する直線状凸部を突設してなる。
ビード６３４ｅは、第３の半割杆６１３ａの基部と突出部６３０ｃ3の間において、上
下に分断された突条６３０ｈと突条６３０ｈとの間に跨って形成されている。
ビード６３４ｅは、第３の半割杆６１３ａの基部と突出部６３０ｃ3との間において第
１の作動片６３０の長手方向にのびる第１直線部６３４ｅ１と、突条６３０ｈの内側で第５の半割杆６１３ａの基部の近傍から第１の作動片６３０の長手方向にのびる第２直線部６３４ｅ2と、第１直線部６３４ｅ１と第２直線部６３４ｅ２との間を結ぶ斜線部６３４
ｅ3とを備え、第１の作動片６３０の下面から上面に向けて一定幅を有する直線状凸部を
突設してなる。
ビード６３４ｆは、第４の半割杆６１３ｂの基部と突出部６３２ｃ3の間において、上
下に分断された突条６３２ｈと突条６３２ｈとの間に跨って形成されている。
ビード６３４ｆは、第４の半割杆６１３ｂの基部と突出部６３２ｃ3との間において第
２の作動片６３２の長手方向にのびる第１直線部６３４ｆ１と、突条６３２ｈの内側で第３の半割杆６１３ｂの基部の近傍から第２の作動片６３２の長手方向にのびる第２直線部６３４ｆ2と、第１直線部６３４ｆ１と第２直線部６３４ｆ２との間を結ぶ斜線部６３４
ｆ3とを備え、第２の作動片６３２の下面から上面に向けて一定幅を有する直線状凸部を
突設してなる。
【０２０６】
開閉部材は、前記実施の形態の綴具においては、一対の作動片に対応して、１個が装填されていたが、この実施の形態の綴具においては、一対の作動片に、２個の開閉部材６４０及び開閉部材６４１を装填されている。また、合計２個の開閉部材６４０及び６４１のうち一方のみを装填してもよい。
【０２０７】
突出部６３０ｃ1は第１保持部６６０により、突出部６３０ｃ2は第１保持部６６２により、突出部６３２ｃ1は第２保持部６６４により、突出部６３２ｃ2は第２保持部６６６により、それぞれ保持される。
また、突出部６３０ｃ3は第３保持部６６１により、突出部６３２ｃ3は第３保持部６６５により、それぞれ保持される。
【０２０８】
前記実施の形態によれば、一対の作動片には、保持部材に形成された貫通孔に通される突出部が形成されているので、作動片に綴杆の基部を例えばカシメ止めをしても作動片にかかるストレスを少なくするために面積を大きくすることができる。そのために、作動片全体の強度を増すことができる。
また、作動片の突出部を通す貫通孔と綴杆を通す貫通孔を共通にすることができるために、保持部材の構造を簡略化して製造コストの引き下げを図ることができる。
【０２０９】
開閉部材４０と開閉部材固定部３８ａ及び開閉部材固定部３８ｂとは、次のように変更してもよい。
開閉部材４０の一方の固定先端部４２ａ及び開閉部材４０の他方の固定先端部４２ｂは、開閉部材４０の一方の固定先端部４２ａ及び開閉部材４０の他方の固定先端部４２ｂのようにその大きさや形状を変更してもよく、また、規制腕部４６ａ及び規制腕部４６ｂは、開閉部材４０の規制腕部４６ａ及び開閉部材４０の規制腕部４６ｂの長さを変えたり、規制腕部４６ａ及び規制腕部４６ｂのうち一方を無くしてもよい。
【産業上の利用可能性】
【０２１０】
この発明に係るファイル・バインダは、用箋等を綴じるファイルないしバインダとして用いることができる。
【図面の簡単な説明】
【０２１１】
【図１】本発明にかかる一実施の形態である綴具を備えたファイル・バインダ類を示す斜視図である。
【図２】図１図示ファイル・バインダ類の表紙を閉じた状態における平面図解図である。
【図３】図１図示ファイル・バインダ類の表紙の図解図であり、（Ａ）は、表紙を閉じた状態における底面図解図であり、（Ｂ）は、表紙の連設部の成形方法を示す斜視図解図である。
【図４】図１図示ファイル・バインダ類の表紙を開いた状態における平面図解図である。
【図５】図１図示ファイル・バインダ類の表紙の図解図であり、（Ａ）は、表紙を開き始めた状態における底面図解図であり、（Ｂ）は、表紙を開いた状態における底面図解図である。
【図６】本発明にかかる一実施の形態である綴具の一例を示す斜視図である。
【図７】保持部材の斜視図である。
【図８】作動部材及び開閉部材の斜視図解図である。
【図９】開閉部材の平面図である。
【図１０】開閉部材の側面図解図で、（Ａ）は元の状態の側面図解図で（Ｂ）は巻線部の円周方向に力を加えて作動片に固定された状態の側面（図９Ａ方向矢視）図解図であり、（Ｃ）は巻線部の円周方向に力を加えて作動片に固定された状態の側面（図９Ｂ方向矢視）図解図である。
【図１１】綴杆及び作動部材の図解図であり、（Ａ）は閉じた状態における綴杆と作動部材を示す平面図解図であり、（Ｂ）は第２の作動片の左側図解図である。
【図１２】閉じた状態における綴具の平面図である。
【図１３】閉じた状態における綴具の底面図である。
【図１４】閉じた状態における綴具の横断面図であり、（Ａ）は、図１３Ａ−Ａ断面図であり、（Ｂ）は、図１３Ｂ−Ｂ断面図である。
【図１５】綴杆を開く状態を示す綴具の底面図である。
【図１６】綴杆を開く状態を示す綴具の綴杆の図解図である。
【図１７】開いた状態における綴具の平面図である。
【図１８】開く状態を示す綴具の底面図解図であり、（Ａ）は、ほぼ開いた綴具の底面図解図であり、（Ｂ）は、開き終わった底面図解図である。
【図１９】開いた状態における綴具の横断面図であり、（Ａ）は、図１４Ａ−Ａ断面図であり、（Ｂ）は、図１４Ｂ−Ｂ断面図である。
【図２０】綴杆の係止部を示す図解図であり、（Ａ）は、平面図解図であり、（Ｂ）は、（Ａ）のＡ−Ａ断面図解図であり、（Ｃ）は、正面図解図である。
【図２１】綴杆の係止部を示す図解図であり、（Ａ）は、側面図解図であり、（Ｂ）は、（Ａ）のＢ−Ｂ断面図解図である。
【図２２】綴杆を閉じる状態を示す綴杆の図解図であり、（Ａ）は、平面図解図であり、（Ｂ）は、正面図解図である。
【図２３】綴杆を閉じる状態を示す綴杆の図解図であり、（Ａ）は、平面図解図であり、（Ｂ）は、正面図解図である。
【図２４】綴杆を閉じる状態を示す綴杆の図解図であり、（Ａ）は、平面図解図であり、（Ｂ）は、正面図解図である。
【図２５】綴杆を閉じる状態を示す綴杆の図解図であり、（Ａ）は、平面図解図であり、（Ｂ）は、正面図解図である。
【図２６】保持部材の形成方法を示す図解図であり、（Ａ）は保持部材の側面図解図であり、（Ｂ）は底面図解図である。
【図２７】保持部材の形成方法を示す底面図解図である。
【図２８】保持部材の変形例の形成方法を示す底面図解図である。
【図２９】図２８Ａ方向矢視図である。
【図３０】作動部材の変形例を示す底面図解図である。
【図３１】作動部材の変形例を示す断面図解図である。
【図３２】図１図示ファイル・バインダ類の使用状況を示す底面図解図である。
【図３３】本発明にかかる別の実施の形態であるファイル・バインダ類の表紙を閉じた状態における平面図解図である。
【図３４】図３３図示ファイル・バインダ類の表紙を閉じた状態における底面図解図である。
【図３５】図３３図示ファイル・バインダ類の表紙を開いた状態における平面図解図である。
【図３６】図３３図示ファイル・バインダ類の表紙を開いた状態における底面図解図である。
【図３７】本発明にかかる別の実施の形態であるファイル・バインダ類の表紙の要部の斜視図解図である。
【図３８】本発明にかかる別の実施の形態であるファイル・バインダ類の表紙を閉じた状態における底面図解図である。
【図３９】本発明にかかる別の実施の形態であるファイル・バインダ類の表紙の製造方法を示す斜視図解図である。
【図４０】本発明にかかる別の実施の形態であるファイル・バインダ類の表紙の製造方法を示す斜視図解図である。
【図４１】この発明の別の実施の形態であるファイル・バインダ類の表紙を開いた状態における平面図解図である。
【図４２】別の実施の形態である綴具の一例を示す斜視図である。
【図４３】別の実施の形態である綴具の一例を示す平面図である。
【図４４】図４２図示綴具の全体の底面図である。
【図４５】（Ａ）（Ｂ）は図４４の一部を拡大した底面図である。
【図４６】（Ａ）は図４２図示綴具の側面図であり、（Ｂ）は図４２図示綴具の綴杆の断面図である。
【図４７】この発明の別の実施の形態であるファイル・バインダ類の表紙を開いた状態における平面図解図である。
【図４８】別の実施の形態である綴具の一例を示す斜視図である。
【図４９】別の実施の形態である綴具の一例を示す平面図である。
【図５０】図４８図示綴具の全体の底面図である。
【図５１】（Ａ）（Ｂ）は図５０の一部を拡大した底面図である。
【図５２】（Ａ）は図４８図示綴具の側面図であり、（Ｂ）は図４８図示綴具の綴杆の断面図である。
【図５３】開閉部材及び作動部材の変形例を示す底面図解図である。
【図５４】開閉部材の変形例を示す平面図である。
【図５５】作動部材及び開閉部材の変形例を示す斜視図解図である。
【図５６】本発明にかかる一実施の形態である綴具を備えたファイル・バインダ類を示す斜視図である。
【図５７】本発明にかかる一実施の形態である綴具の一例を示す斜視図である。
【図５８】保持部材の斜視図である。
【図５９】作動部材及び開閉部材の斜視図解図である。
【図６０】開閉部材の平面図である。
【図６１】開閉部材の側面図解図で、（Ａ）は元の状態の側面図解図で（Ｂ）（Ｃ）は巻線部の円周方向に力を加えた状態の側面図解図である。
【図６２Ａ】閉じた状態における綴杆と作動部材を示す平面図解図である。
【図６２Ｂ】閉じた状態における綴杆と作動部材を示す左側図解図である。
【図６２Ｃ】閉じた状態における綴杆と作動部材を示す正面図解図である。
【図６２Ｄ】閉じた状態における綴杆と作動部材を示す底面図解図である。
【図６３】閉じた状態における綴具の平面図解図である。
【図６４】閉じた状態における綴具の底面図である。
【図６５】閉じた状態における綴具の横断面図であり、（Ａ）は、図６４Ａ−Ａ断面図であり、（Ｂ）は、概略を示した図６４Ｂ−Ｂ断面図である。
【図６６】綴杆を開く状態を示す綴具の底面図である。
【図６７】綴杆を開く状態を示す綴具の綴杆の図解図である。
【図６８】開いた状態における綴具の平面図解図である。
【図６９】開く状態を示す綴具の底面図解図である。
【図７０】開いた状態における綴具の横断面図であり、（Ａ）は、図６９Ａ−Ａ断面図であり、（Ｂ）は、概略を示した図６９Ｂ−Ｂ断面図である。
【図７１】綴杆の係止部を示す図解図であり、（Ａ）は、平面図解図であり、（Ｂ）は、（Ａ）のＡ−Ａ断面図解図であり、（Ｃ）は、正面図解図である。
【図７２】綴杆の係止部を示す図解図であり、（Ａ）は、側面図解図であり、（Ｂ）は、（Ａ）のＢ−Ｂ断面図解図である。
【図７３】綴杆を閉じる状態を示す綴杆の図解図であり、（Ａ）は、平面図解図であり、（Ｂ）は、正面図解図である。
【図７４】綴杆を閉じる状態を示す綴杆の図解図であり、（Ａ）は、平面図解図であり、（Ｂ）は、正面図解図である。
【図７５】綴杆を閉じる状態を示す綴杆の図解図であり、（Ａ）は、平面図解図であり、（Ｂ）は、正面図解図である。
【図７６】綴杆を閉じる状態を示す綴杆の図解図であり、（Ａ）は、平面図解図であり、（Ｂ）は、正面図解図である。
【図７７】保持部材の形成方法を示す図解図であり、（Ａ）は保持部材の側面図解図であり、（Ｂ）は底面図解図である。
【図７８】保持部材の形成方法を示す底面図解図である。
【図７９】保持部材の変形例の形成方法を示す底面図解図である。
【図８０】図７９Ａ方向矢視図である。
【図８１】作動部材の変形例を示す底面図解図である。
【図８２】作動部材の変形例を示す断面図解図である。
【図８３】別の実施の形態である綴具を備えたファイル・バインダ類を示す斜視図である。
【図８４】別の実施の形態である綴具の一例を示す平面図である。
【図８５】図８３図示綴具の全体の底面図である。
【図８６】（Ａ）（Ｂ）は図８５の一部を拡大した底面図である。
【図８７】（Ａ）は図８３図示綴具の側面図であり、（Ｂ）は図８３図示綴具の綴杆の断面図である。
【図８８】別の実施の形態である綴具を備えたファイル・バインダ類を示す斜視図である。
【図８９】別の実施の形態である綴具の一例を示す平面図である。
【図９０】図８８図示綴具の全体の底面図である。
【図９１】（Ａ）（Ｂ）は図９０の一部を拡大した底面図である。
【図９２】（Ａ）は図８８図示綴具の側面図であり、（Ｂ）は図８８図示綴具の綴杆の断面図である。
【符号の説明】
【０２１２】
Ｓ  被綴じ物
Ｒ  回転板
１０，５１０，６１０  綴具
１２，４１２，５１２，６１２  第１の綴杆
１４，４１４，５１３，６１３  第２の綴杆
５１４，６１４  第３の綴杆
５１５  第４の綴杆
１２ａ，４１２ａ，５１２ａ，６１２ａ  第１の半割杆
１２ｂ，４１２ｂ，５１２ｂ，６１２ｂ  第２の半割杆
１４ａ，４１４ａ，５１３ａ，６１３ａ  第３の半割杆
１４ｂ，４１４ｂ，５１３ｂ，６１３ｂ  第４の半割杆
５１４ａ，６１４ａ  第５の半割杆
５１４ｂ，６１４ｂ  第６の半割杆
５１５ａ  第７の半割杆
５１５ｂ  第８の半割杆
１６，５１６，６１６  保持部材
１８，５１８，６１８  作動部材
２０，５２０，６２０  取付孔
２２，５２２，６２２  被綴じ物載置部
２２ａ，膨出部
２４，５２４，６２４  保持壁
２４ａ，５２４ａ，６２４ａ  第１の保持壁
２４ｂ，５２４ｂ，６２４ｂ  第２の保持壁
２６，５２６，６２６  第１の貫通孔
２８，５２７，６２７  第２の貫通孔
５２８，６２８  第３の貫通孔
５２９  第４の貫通孔
３０，５３０，６３０  第１の作動片
３０ａ，５３０ａ，６３０ａ，７３０ａ  突き合わせ縁
３０ｂ，５３０ｂ，６３０ｂ  外側端縁
３０ｃ1，３０ｃ2，５３０ｃ1，５３０ｃ2，５３０ｃ3，６３０ｃ3，６３０ｃ1，
６３０ｃ2 突出部
３０ｄ，３０ｅ  係合部
３０ｆ  規制凹部
３０ｇ  規制凸起
２３０ｈ，５３０ｈ，６３０ｈ  突条
３２，５３２，６３２  第２の作動片
３２ａ，５３２ａ，６３２ａ，７３２ａ  突き合わせ縁
３２ｂ，５３２ｂ，６３２ｂ  外側端縁
３２ｃ1，３２ｃ2，５３２ｃ1，５３２ｃ2，５３２ｃ3，６３２ｃ１，６３２ｃ2，
６３２ｃ3 突出部
３２ｄ，３２ｅ  係合部
３２ｆ，３２ｆ  規制凹部
３２ｇ，３２ｇ  規制凸起
２３２ｈ，５３２ｈ，６３２ｈ  突条
２３４ａ，２３４ｂ，２３４ｃ，２３４ｄ，５３４ａ，５３４ｂ，５３４ｃ，５３４ｄ，５３４ｅ，５３４ｆ，６３４ａ，６３４ｂ，６３４ｃ，６３４ｄ，６３４ｅ，６３４ｆ  ビード
２３４ａ1，２３４ｂ1，２３４ｃ1，２３４ｄ1，５３４ａ1，５３４ｂ1，５３４ｃ1，５３４ｄ1，６３４ａ1，６３４ｂ1，６３４ｃ1，６３４ｄ1，６３４ｅ1，６３４ｆ1 第１直線部
２３４ａ2，２３４ｂ2，２３４ｃ2，２３４ｄ2，５３４ａ2，５３４ｂ2，５３４ｃ2，５３４ｄ2，６３４ａ2，６３４ｂ2，６３４ｃ2，６３４ｄ2，６３４ｅ2，６３４ｆ2 第２直線部
２３４ａ3，２３４ｂ3，２３４ｃ3，２３４ｄ3，５３４ａ3，５３４ｂ3，５３４ｃ3，５３４ｄ3，６３４ａ3，６３４ｂ3，６３４ｃ3，６３４ｄ3，６３４ｅ3，６３４ｆ3 斜線部
３６ａ，３６ｂ，  凹み
３８ａ，３８ｂ，５３８ａ1，５３８ａ2，５３８ｂ1，５３８ｂ2，６３８ａ1，６３８ａ2，６３８ｂ1，６３８ｂ2   ７３８ａ，７３８ｂ  開閉部材固定部
３８ａ1，３８ｂ1  係止基部
３８ａ2，３８ｂ2  係止外れ止め部
３６，５３６Ａ，５３６Ｂ，６３６Ａ，６３６Ｂ  開閉部材収容部
４０，５４０，５４１，６４０，６４１，６４２  開閉部材
４２ａ，５４０ａ，５４２ａ，６４０ａ，６４２ａ，７４２ａ  開閉部材の一方の固定先端部
４２ｂ，５４０ｂ，５４２ｂ，６４０ｂ，６４２ｂ，７４２ｂ  開閉部材の他方の固定先端部
４４  巻線部
４６ａ，４６ｂ，７４６ａ，７４６ｂ  規制腕部
５０，５５０，６５０  綴杆係止部
５２ａ，５４ａ，５６ａ，５８ａ  凸部
５２ｂ，５４ｂ，５６ｂ，５８ｂ  凹部
５２ｃ，５４ｃ，５６ｃ，５８ｃ  凸部の傾斜対向面
５２ｄ，５４ｄ，５６ｄ，５８ｄ  凹部の傾斜対向面
６０，６２，１６０，１６２，５６０，５６２，６６０，６６２  第１の保持部
６４，６６，１６４，１６６，５６４，５６６，６６４，６６６  第２の保持部
５６１，５６５，６６１，６６５  第３の保持部
６８ａ，７０ａ，７２ａ，７４ａ  切り込み
１１００  ファイル・バインダ類
１１１０，２１１０，３１１０，４１１０，５１１０  表紙
１１１２，２１１２，４１１２，５１１２  表表紙
１１１４，２１１４，４１１４，５１１４  裏表紙
１１１６，２１１６，３１１６，４１１６，５１１６  背表紙
１１１８Ａ，１１１８Ｂ，３１１８Ａ，３１１８Ｂ  薄肉ヒンジ部
１１２０  連設部
１１２２，２１２２，３１２２，４１２２，５１２２  綴杆移動規制部
１１３０，２１３０，３１３０，４１３０，５１３０  綴杆移動規制片
１１３２，２１３２，３１３２，４１３２，５１３２  折り曲げ部
１１３４，２１３４，３１３４，４１３４，５１３４  突出部
２１３４Ａ，３１３４Ａ，４１３４Ａ，５１３４Ａ  第１突出部
２１３４Ｂ，４１３４Ｂ，５１３４Ｂ  第２突出部
２１３４Ｃ，４１３４Ｃ，５１３４Ｃ  第３突出部
３４３４Ｄ，５１３４Ｄ  第４突出部
４１３４Ｅ  第５突出部
１１３６，２１３６，４１３６，５１３６  固着部
１１３８Ａ，１１３８Ｂ，３１３８Ａ，３１３８Ｂ，３１３８Ｃ，３１３８Ｄ，４１３８Ａ，４１３８Ｂ，４１３８Ｃ  切り込み
【図１】
0004926106.tif 000002
【図２】
0004926106.tif 000003
【図３】
0004926106.tif 000004
【図４】
0004926106.tif 000005
【図５】
0004926106.tif 000006
【図６】
0004926106.tif 000007
【図７】
0004926106.tif 000008
【図８】
0004926106.tif 000009
【図９】
0004926106.tif 000010
【図１０】
0004926106.tif 000011
【図１１】
0004926106.tif 000012
【図１２】
0004926106.tif 000013
【図１３】
0004926106.tif 000014
【図１４】
0004926106.tif 000015
【図１５】
0004926106.tif 000016
【図１６】
0004926106.tif 000017
【図１７】
0004926106.tif 000018
【図１８】
0004926106.tif 000019
【図１９】
0004926106.tif 000020
【図２０】
0004926106.tif 000021
【図２１】
0004926106.tif 000022
【図２２】
0004926106.tif 000023
【図２３】
0004926106.tif 000024
【図２４】
0004926106.tif 000025
【図２５】
0004926106.tif 000026
【図２６】
0004926106.tif 000027
【図２７】
0004926106.tif 000028
【図２８】
0004926106.tif 000029
【図２９】
0004926106.tif 000030
【図３０】
0004926106.tif 000031
【図３１】
0004926106.tif 000032
【図３２】
0004926106.tif 000033
【図３３】
0004926106.tif 000034
【図３４】
0004926106.tif 000035
【図３５】
0004926106.tif 000036
【図３６】
0004926106.tif 000037
【図３７】
0004926106.tif 000038
【図３８】
0004926106.tif 000039
【図３９】
0004926106.tif 000040
【図４０】
0004926106.tif 000041
【図４１】
0004926106.tif 000042
【図４２】
0004926106.tif 000043
【図４３】
0004926106.tif 000044
【図４４】
0004926106.tif 000045
【図４５】
0004926106.tif 000046
【図４６】
0004926106.tif 000047
【図４７】
0004926106.tif 000048
【図４８】
0004926106.tif 000049
【図４９】
0004926106.tif 000050
【図５０】
0004926106.tif 000051
【図５１】
0004926106.tif 000052
【図５２】
0004926106.tif 000053
【図５３】
0004926106.tif 000054
【図５４】
0004926106.tif 000055
【図５５】
0004926106.tif 000056
【図５６】
0004926106.tif 000057
【図５７】
0004926106.tif 000058
【図５８】
0004926106.tif 000059
【図５９】
0004926106.tif 000060
【図６０】
0004926106.tif 000061
【図６１】
0004926106.tif 000062
【図６２Ａ】
0004926106.tif 000063
【図６２Ｂ】
0004926106.tif 000064
【図６２Ｃ】
0004926106.tif 000065
【図６２Ｄ】
0004926106.tif 000066
【図６３】
0004926106.tif 000067
【図６４】
0004926106.tif 000068
【図６５】
0004926106.tif 000069
【図６６】
0004926106.tif 000070
【図６７】
0004926106.tif 000071
【図６８】
0004926106.tif 000072
【図６９】
0004926106.tif 000073
【図７０】
0004926106.tif 000074
【図７１】
0004926106.tif 000075
【図７２】
0004926106.tif 000076
【図７３】
0004926106.tif 000077
【図７４】
0004926106.tif 000078
【図７５】
0004926106.tif 000079
【図７６】
0004926106.tif 000080
【図７７】
0004926106.tif 000081
【図７８】
0004926106.tif 000082
【図７９】
0004926106.tif 000083
【図８０】
0004926106.tif 000084
【図８１】
0004926106.tif 000085
【図８２】
0004926106.tif 000086
【図８３】
0004926106.tif 000087
【図８４】
0004926106.tif 000088
【図８５】
0004926106.tif 000089
【図８６】
0004926106.tif 000090
【図８７】
0004926106.tif 000091
【図８８】
0004926106.tif 000092
【図８９】
0004926106.tif 000093
【図９０】
0004926106.tif 000094
【図９１】
0004926106.tif 000095
【図９２】
0004926106.tif 000096